(57)【要約】【課題】遊技球通路を備えた遊技機において、同遊技球通路における遊技媒体の流下を阻止する阻止状態と流下を阻止しない阻止解除状態とを好適に切り替えることのできる遊技機を提供する。【解決手段】島設備から供給される遊技球を取り込む取込機構１３０は、一連の取込通路の上流側を構成する外枠側取込ユニット１４０（外枠側取込通路１４４）を備えている。外枠側取込ユニット１４０には、下流側開口１５１を狭めることで外枠側取込通路１４４からの遊技球の流出を阻止するシャッタ機構２００が設けられている。シャッタ機構２００は、下流側開口１５１から突出し外枠側取込通路１４４を下側傾斜通路部１４７の通路方向下流側に向けて延長する第１シャッタ部材２１０と、当該第１シャッタ部材２１０によって延長される領域に対して突出する第２シャッタ部材２３０とを備えている。【選択図】      図１８
2010022458.tif 000002
【特許請求の範囲】
【請求項１】
遊技媒体を案内する案内通路と、
第１位置から第２位置に移動することにより、前記案内通路の特定位置において遊技媒体の流下経路を変更する変更手段と、
前記変更手段が前記第２位置に配置されることに基づいて前記遊技媒体が案内されることとなる領域において、前記変更手段によって案内された遊技媒体に下流側から当接することでそれよりも下流側への遊技媒体の流下を阻止するストッパと
を備えていることを特徴とする遊技機。
【請求項２】
前記変更手段によって遊技媒体が案内される領域は、前記案内通路に含まれる領域であり、
前記ストッパは、前記変更手段によって案内された遊技媒体の流下を阻止する阻止位置と、前記阻止位置よりも前記案内通路の外側に偏倚し前記流下を阻止しない阻止解除位置との両位置へ移動可能に設けられていることを特徴とする請求項１に記載の遊技機。
【請求項３】
前記変更手段は、前記ストッパが前記阻止位置に配置された後、前記第１位置から前記第２位置への移動が完了するように構成されていることを特徴とする請求項２に記載に遊技機。
【発明の詳細な説明】
【技術分野】
【０００１】
本発明は、遊技機に関するものである。
【背景技術】
【０００２】
遊技機の一種であるパチンコ機は、遊技場への設置に際して島設備に固定される外枠と、当該外枠に対して開閉可能に軸支された遊技機本体とを備えている。遊技機本体は、遊技領域を形成する遊技盤や前記遊技領域に対して遊技球の打ち出しを行う発射装置を搭載してなる内枠と、遊技球を一時的に貯留する球受け皿を有した前面枠とを備えており、球受け皿に貯留された遊技球が順次発射装置に送り込まれ、前記遊技領域に打ち出されたそれら遊技球の流下態様等を視認することにより遊技が行われる。
【０００３】
また遊技機には、上述した球受け皿と遊技機の背面側に設けられた遊技球の払出装置とを繋ぐ遊技球通路が設けられており、この遊技球通路を介して球受け皿への遊技球の払い出しが行われる。遊技球通路は前面枠の開放に伴って球受け皿側と払出装置側とに離間する構成となっており、このように通路が分断された場合に遊技球通路の上流側からの遊技球の流出を阻止するシャッタ機構が設けられていることが多い。シャッタ機構によって遊技球の流出を阻止することにより、遊技球が零れるといった不都合を生じにくくしている（例えば、特許文献１参照）。
【特許文献１】特開２００８−２３１８２号公報
【発明の開示】
【発明が解決しようとする課題】
【０００４】
上述したシャッタ機構においては、出没可能に設けられたシャッタ部材が遊技球通路に対して突出し、当該シャッタ部材に当たることによって遊技球の流出を妨げる構成となっているものが一般的である。しかしながら、シャッタ部材を遊技球通路に対して突出させる構成においては、例えばシャッタ部材を遊技球通路に形成された遊技球列に対して割り込ませる必要があり、遊技球の流下を阻止する阻止状態と流下を阻止しない阻止解除状態との切り替えに際して遊技球通路の内面とシャッタ部材との間に遊技球がつかえるといった不都合が生じ得る。仮に、このような不都合が発生すると、シャッタ部材の動作が妨げられ、遊技球の流出を阻止しにくくなると懸念される。つまり、従来のシャッタ機構においては遊技球の流出を阻止する状態と阻止しない状態との切り替えが円滑に行われない可能性があり、依然として改良の余地があると考えられる。
【０００５】
なお、上述したような不都合は、分断されることのない１の遊技球通路の出口部分や中間位置にシャッタ機構（シャッタ部材）を配置し、遊技球の流下を阻止する場合であっても同様に発生し得ると想定される。
【０００６】
本発明は、上記例示した事情等に鑑みてなされたものであり、遊技球通路を備えた遊技機において、同遊技球通路における遊技媒体の流下を阻止する阻止状態と流下を阻止しない阻止解除状態とを好適に切り替えることのできる遊技機を提供することを目的とするものである。
【課題を解決するための手段】
【０００７】
以下、上記課題を解決するための手段について記載する。
【０００８】
請求項１記載の発明は、遊技媒体を案内する案内通路と、第１位置から第２位置に移動することにより、前記案内通路の特定位置において遊技媒体の流下経路を変更する変更手段と、前記変更手段が前記第２位置に配置されることに基づいて前記遊技媒体が案内されることとなる領域において、前記変更手段によって案内された遊技媒体に下流側から当接することでそれよりも下流側への遊技媒体の流下を阻止するストッパとを備えていることを特徴とする。
【発明の効果】
【０００９】
遊技球通路を備えた遊技機において、同遊技球通路における遊技媒体の流下を阻止する阻止状態と流下を阻止しない阻止解除状態とを好適に切り替えることができる。
【発明を実施するための最良の形態】
【００１０】
（第１の実施の形態）
以下、遊技機の一種であるパチンコ遊技機（以下、「パチンコ機」という）の第１の実施の形態を、図面に基づいて詳細に説明する。図１はパチンコ機１０を前方から見た斜視図、図２はパチンコ機１０の背面図、図３はパチンコ機１０を後方から見た斜視図、図４及び図５はパチンコ機の主要な構成を展開して示す斜視図、図６はパチンコ機１０の分解斜視図である。なお、図４及び図６では便宜上パチンコ機１０の遊技領域内の構成を省略している。
【００１１】
パチンコ機１０は、当該パチンコ機１０の外殻を形成する外枠１１と、この外枠１１に対して前方に回動可能（開閉可能）に取り付けられた遊技機本体１２とを備えている。
【００１２】
外枠１１は、板材を四辺に連結し構成されるものであって矩形枠状をなしている。外枠１１を構成する各枠部１１ａ〜１１ｄにおいては、上枠部１１ａ及び下枠部１１ｂが木製となっており、左枠部１１ｃ及び右枠部１１ｄがアルミニウム製となっている。パチンコ機１０は、上下の左右の枠部１１ｃ，１１ｄを島設備に取り付け固定することにより、遊技ホールに設置される。上記のように左右の枠部１１ｃ，１１ｄを金属製とするとともに上下の枠部１１ａ，１１ｂを木製とすることで、島設備への固定を可能としつつ外枠１１の補強を行うことができる。なお、外枠１１の構成は上記のものに限定されることはなく、全ての枠部１１ａ〜１１ｄを木製としてもよく、全ての枠部１１ａ〜１１ｄを金属製としてもよい。また、枠部１１ａ〜１１ｄの全部又は一部を合成樹脂によって形成することも可能である。
【００１３】
外枠１１の一側部に遊技機本体１２が回動可能に支持されている。具体的には、図６に示すように、外枠１１における上枠部１１ａと左枠部１１ｃとの連結部分に上側支持用金具２１が固定されており、さらに外枠１１における下枠部１１ｂと左枠部１１ｃとの連結部分に下側支持用突起２２が設けられている。これら上側支持用金具２１及び下側支持用突起２２により支持機構が構成され、当該支持機構によって外枠１１に対して遊技機本体１２が回動可能に支持されている。この支持機構によって規定される遊技機本体１２の回動中心軸線ＣＬ１は上下方向に延びている。
【００１４】
図３に示すように、外枠１１の左枠部１１ｃ側、すなわち遊技機本体１２の回動基端側（開閉基端側）には、遊技ホールの島設備から供給される遊技球が逐次流入する取込機構１３０が設けられている。特に取込機構１３０の一部（詳しくは外枠側取込ユニット１４０）は外枠１１に対して装着されているが、この取込機構１３０（外枠側取込ユニット１４０）についての詳細は後述する。
【００１５】
また、遊技機本体１２には、図５に示すように、その回動先端部に施錠装置２３が設けられており、遊技機本体１２を外枠１１に対して閉鎖状態とした場合には施錠装置２３の鉤部材２４が外枠１１の右枠部１１ｄの内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００１６】
ここで、図２〜図４に示すように、外枠１１の右枠部１１ｄにおける後縁には、外枠１１の開口内側に突出した規制壁２６が一体形成されており、当該規制壁２６は右枠部１１ｄの全体に沿って形成されている。この規制壁２６により外枠１１の鉤受け部と施錠装置２３の鉤部材２４との係止箇所がパチンコ機１０の背面において露出していない。そして、この規制壁２６により、パチンコ機１０の背面側に針金等の不正用治具を挿入し、鉤受け部と鉤部材２４との係止状態を解除しようとしても、当該係止箇所への侵入が阻止されるため、当該不正行為を阻止することができる。
【００１７】
なお、外枠１１の鉤受け部を前方にのみ開放された箱状に形成し、鉤部材２４が前方から鉤受け部の内部に入り込み、当該内部にて係止状態となる構成としてもよい。この場合であっても、パチンコ機１０の背面側に針金等の不正用治具を挿入し、鉤受け部と鉤部材２４との係止状態を解除しようとする不正行為を阻止することができる。つまり、鉤部材２４と鉤受け部との係止箇所へのパチンコ機１０背面側からの不正用治具の侵入を規制することができるのであれば、当該侵入規制手段の具体的な構成は任意である。
【００１８】
遊技機本体１２は、ベース体としての内枠１３と、その内枠１３の前方に配置される前扉枠１４と、内枠１３の後方に配置される裏パックユニット１５とを備えている（図６参照）。図４及び図５に示すように、遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。また、内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００１９】
次に、遊技機本体１２の前面側の構成について説明する。図７は内枠１３の正面図である。
【００２０】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００２１】
ここで、遊技盤３３の構成を図８に基づいて説明する。図８は遊技盤３３の正面図である。
【００２２】
遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００２３】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は、図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は、第２特定ランプ部４４に対応しており、遊技球がスルーゲート３７を通過した回数は最大４回まで保留され保留ランプ部４６の点灯によってその保留個数が表示されるようになっている。
【００２４】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２５】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。
【００２６】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。
【００２７】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００２８】
遊技球発射機構５０は、図４や図７に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００２９】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、前扉枠１４における窓部５５の左上及び右上には、遊技状態に応じた効果音などが出力されるスピーカ部５４（スピーカユニット５４）が設けられている。
【００３０】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００３１】
下側膨出部５８の右方には、手前側へ突出するようにしてハンドル装置５９が設けられている。ハンドル装置５９が操作されることにより、遊技球発射機構から遊技球が発射される。
【００３２】
次に、遊技機本体１２の背面側の構成について説明する。図９は内枠１３の背面図、図１０は裏パックユニット１５の正面図である。
【００３３】
図９に示すように、内枠１３（遊技盤３３）の背面には、主制御装置ユニット６１及び音声ランプ制御装置ユニット６５が搭載されている。
【００３４】
主制御装置ユニット６１は、合成樹脂製の取付台６２を有し、取付台６２に主制御装置６３が搭載されている。主制御装置６３は、遊技の主たる制御を司る機能（主制御回路）と、電源を監視する機能（停電監視回路）とを有する主制御基板を具備しており、当該主制御基板が透明樹脂材料等よりなる基板ボックス６４に収容されて構成されている。
【００３５】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００３６】
裏パックユニット１５は、図１０に示すように、裏パック７１を備えており、当該裏パック７１に対して、上述した取込機構１３０を構成する本体側取込ユニット１６０，払出機構７２及び制御装置集合ユニット７３が取り付けられている。裏パック７１は透明性を有する合成樹脂により形成されており、本体側取込ユニット１６０などが取り付けられるベース部７４と、音声ランプ制御装置６６などを後方から覆うように、パチンコ機１０後方に突出した略直方体形状の保護カバー部７５とを有している。なお、本体側取込ユニット１６０には、島設備から供給される遊技球を払出機構７２に導く本体側取込通路１６３が設けられているが、これら本体側取込ユニット１６０及び本体側取込通路１６３についての詳細は後述する。
【００３７】
制御装置集合ユニット７３は、横長形状をなす取付台８１を有し、当該取付台８１に払出制御装置８２と電源及び発射制御装置８３（以下便宜上、電源装置８３と称する）とが搭載されている。これら払出制御装置８２と電源装置８３とは、払出制御装置８２がパチンコ機１０後方となるように前後に重ねて配置されている。
【００３８】
払出制御装置８２は、基板ボックス８４内に払出機構７２（詳しくは後述する払出装置９２）を制御する払出制御基板が収容されて構成されている。電源装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００３９】
払出機構７２は、保護カバー部７５よりも遊技機本体１２の回動基端側となる位置に配されており、本体側取込ユニット１６０（詳しくは本体側取込通路１６３）の下流側に連結され上下方向に延びるケースレール９１と同ケースレール９１の最下流部に設けられた払出装置９２とを備えている。
【００４０】
ケースレール９１には、当該ケースレール９１内の通路を通じて払出装置９２から本体側取込ユニット１６０まで連なった遊技球を検知するように球無検知センサ９３が設けられている。球無検知センサ９３は、磁気検知タイプの近接センサにて構成されており、検知範囲内を遊技球が通過する際の磁界の変化が検知されて電気信号として出力される。なお、球無検知センサ９３は磁気検知タイプの近接センサに限定されることはなく、遊技球を検知することができるのであれば任意であり、例えば、フォトセンサやリミットセンサなどを用いてもよい。
【００４１】
球無検知センサ９３は払出制御装置８２に対して電気信号を出力する。具体的には、遊技球を検知していない状態ではＬＯＷレベル信号を出力し、遊技球を検知している状態ではＨＩレベル信号を出力する。なお、これに限定されることはなく、遊技球を検知していない状態ではＨＩレベル信号を出力し、遊技球を検知している状態ではＬＯＷレベル信号を出力する構成としてもよく、また遊技球を検知している状態においてのみ電気信号を出力する構成としてもよい。
【００４２】
払出制御装置８２では、球無検知センサ９３の検知結果に基づいて本体側取込ユニット１６０が球無状態であるか否かを特定し、本体側取込ユニット１６０が球無状態であると特定した場合、払出装置９２による遊技球の払出を停止する。これにより、本体側取込ユニット１６０が球無状態であるにも関わらず、払出装置９２が動作し続けることが防止される。
【００４３】
また、ケースレール９１には、球抜き操作スイッチ９４が設けられている。例えば、本体側取込ユニット１６０に貯留されている遊技球のパチンコ機１０外への排出に際して、ケースレール９１にある遊技球も全て排出する場合に球抜き操作スイッチ９４が押され、ケースレール９１及びその下流側に貯留されている遊技球の排出が可能となる。
【００４４】
払出装置９２では遊技球の払出が実行される。ここで、払出装置９２の構成について図１１を用いて説明する。図１１は払出装置９２内部に形成された通路構造を示す縦断面図である。
【００４５】
払出装置９２は合成樹脂製のハウジング９７を備えており、当該ハウジング９７にはケースレール９１から供給される遊技球が通過する払出通路９８が形成されている。払出通路９８の中間部分には通路幅が左右に広がった収容部９９が設けられており、当該収容部９９に回転体１００が収容されている。回転体１００はその中心が払出モータ１０１の出力軸１０１ａに固定されている。なお、払出通路９８において少なくとも収容部９９の上流側及び下流側は、通路壁によって周囲が区画されていることにより筒状（又は管状）をなしており、さらには中心軸線（又は通路方向）に対して直交する方向の断面は円形状となっている。
【００４６】
払出モータ１０１は、ステッピングモータにより構成されており、出力軸１０１ａは所定方向（図７で見て時計回り方向又は反時計回り方向）に回転駆動される。払出モータ１０１は、払出制御装置８２内に設けられたモータドライバを通じて同じく払出制御装置８２内に設けられたＭＰＵによって駆動制御される。具体的には、ＭＰＵからモータドライバに１パルスの駆動信号（励磁信号又は励磁パルスとも言う。以下同様）が与えられることにより、払出モータ１０１の励磁状態が切り換えられ、出力軸１０１ａが１ｓｔｅｐ進む。払出モータ１０１は、ＭＰＵから６０パルスの駆動信号が与えられることで出力軸１０１ａが６０ｓｔｅｐ進み、当該出力軸１０１ａが１回転するように設定されている。そして、出力軸１０１ａが１回転することで、すなわち払出制御装置８２のＭＰＵから６０パルスの駆動信号が出力されることにより、回転体１００が１回転する。
【００４７】
回転体１００の周縁１００ａには、１８０°間隔で２箇所に、凹部１００ｂが形成されている。凹部１００ｂは、曲面状となっておりその曲率は遊技球の曲率と同程度となっている。また、回転体１００の周縁１００ａにおける凹部１００ｂ間の部位と収容部９９の通路壁との間の距離が遊技球の直径寸法よりも短くなっているのに対して、凹部１００ｂと収容部９９の通路壁との間の距離は遊技球の直径寸法よりも長くなっている。これにより、払出通路９８を流下してきた遊技球が回転体１００の凹部１００ｂに到達すると、当該遊技球は回転体１００の回転に伴って下流側に導出される。
【００４８】
ここで、上記のとおり払出制御装置８２のＭＰＵから６０パルスの駆動信号が出力されることにより回転体１００が１回転するため、回転体１００に１８０°間隔で２箇所に凹部１００ｂが形成された構成においては、１個の遊技球が回転体１００によって下流側に導出されてから払出モータ１０１に３０パルスの駆動信号を与えることにより、次の遊技球が下流側に導出される。なお、回転体１００が１回転するのに必要な駆動信号のパルス数や、１個の遊技球が下流側に導出されてから次の遊技球が下流側に導出されるまでに要する駆動信号のパルス数は、上記のものに限定されることはなく任意である。
【００４９】
払出通路９８には、収容部９９よりも下流側の位置に略平板状をした払出球検知センサ１０２が設置されている。払出球検知センサ１０２は、周知の電磁誘導型の近接センサにて構成されており、検知部１０３の貫通孔１０３ａを遊技球が通過したことによる磁界の変化を電気信号に変換して出力する。払出球検知センサ１０２は払出制御装置８２と電気的に接続されており、払出制御装置８２は当該払出球検知センサ１０２により、回転体１００の下流側へと導出された遊技球の数が確認できるようになっている。
【００５０】
払出装置９２より払い出された遊技球は、裏パック７１に設けられた遊技球分配部１０４に供給される。遊技球分配部１０４は、複数の開口部が左右方向に並設されており、内側の開口部が前扉側上皿通路１０５を介して上皿５７ａに通じており、外側の開口部が前扉側下皿通路１０６を介して下皿５８ａに通じている（図４参照）。かかる遊技球分配部１０４によって、払出装置９２より払い出された遊技球は、上皿５７ａ、下皿５８ａ又は排出通路の何れかに分配される。
【００５１】
払出機構７２には、裏パック基板１１１が設置されている。裏パック基板１１１には、例えば交流２４ボルトの主電源が供給され、電源スイッチ１１２の切替操作により電源ＯＮ又は電源ＯＦＦとされるようになっている。
【００５２】
なお、ベース部７４の上部には外部端子板（図示略）が設けられている。この外部端子板には各種の出力端子が設けられており、これらの出力端子を通じて遊技場側の管理制御装置に対して各種信号が出力される。
【００５３】
（取込機構１３０）
ここで、本パチンコ機１０においては、島設備から供給される遊技球の取り込みに関して、すなわち上述した取込機構１３０に関して特徴的な構成を備えている。そこで以下、その特徴的な構成及びそれに関連する構成について、図２，図３，図１０に加え図１２〜図１５に基づき詳細に説明する。図１２は取込機構１３０を分解して示す分解斜視図、図１３は外枠側取込ユニット１４０の取り付け状態を示す斜視図、図１４（ａ）は各取込ユニット１４０，１６０の内部に形成された通路構造を示す斜視図、図１５（ａ）は取込機構１３０の正面図、図１５（ｂ）は取込機構１３０の縦断面図である。
【００５４】
図１２等に示すように、取込機構１３０は、外枠１１に設けられた前記外枠側取込ユニット１４０と、遊技機本体１２に設けられた前記本体側取込ユニット１６０とによって構成されている。すなわち、取込機構１３０は、相対移動する２つの対象（固定物及び可動物）に対して個別に設けられた各取込ユニット１４０，１６０が組み合わせられることによって構成されている。そして、取込機構１３０は、それら各取込ユニット１４０，１６０が連通した状態となることにより遊技機本体１２側への遊技球の取り込みを許容し、連通状態が解除されることによりそれら遊技球の取り込みを不可とする構成となっている。
【００５５】
図１３に示すように、外枠側取込ユニット１４０は，外枠１１の上枠部１１ａ及び左枠部１１ｃに支持金具１４１を介して取り付けられている。支持金具１４１は上枠部１１ａの内面及び左枠部１１ｃの内面に対して接触した状態でそれら各枠部１１ａ，１１ｃに対してネジ等の締結具（図示略）によって固定されており、外枠側取込ユニット１４０の支持具としての機能と外枠１１の補強材としての機能を併せ有する構成となっている。また、支持金具１４１の一部は外枠１１よりも後方に延出しており、この延出した部分（延出部１４１ａ）に対して外枠側取込ユニット１４０がネジ等の締結具により固定され、当該外枠側取込ユニット１４０のほぼ全体が外枠１１よりも後方に配置されている。つまり、支持金具１４１を用いることによって外枠側取込ユニット１４０の外枠１１後方へのオフセット配置を可能とすることで、外枠側取込ユニット１４０と裏パック７１との干渉を回避可能としつつ、島設備からの遊技球の供給ルートの確保を容易なものとしている。
【００５６】
また、外枠側取込ユニット１４０は、支持金具１４１を介して両枠部１１ａ，１１ｃに固定されているとともに、支持金具１４１に対して３点で支持固定されている。このため、仮に外枠側取込ユニット１４０に対して負荷が加わった場合であっても、そのような負荷によって外枠側取込ユニット１４０が位置ずれするといった不都合が生じにくくなっている。更には、各枠部１１ａ，１１ｃによって外枠側取込ユニット１４０に加わった負荷を効率よく分散することができ、外枠側取込ユニット１４０に負荷が集中することを回避しやすくなっている。
【００５７】
外枠側取込ユニット１４０は、遊技球の出入口を有する略箱状をなしており、合成樹脂製の第１ケース体１４２及び第２ケース体１４３が組み合わせられてなる（図１２及び図１４（ａ）参照）。そして、図１５に示すようにその内部には遊技球の流下経路を規定する外枠側取込通路１４４が形成されている。なお、図１５（ａ）においては、外枠側取込通路１４４を見やすくするために第２ケース体１４３を省略した状態で表示している。
【００５８】
外枠側取込通路１４４は、遊技機本体１２の回動先端側から回動基端側に向けて緩やかに下り傾斜する上側傾斜通路部１４５と、同上側傾斜通路部１４５の下流側の端部に連なり、外枠１１の右枠部１１ｄに沿って下方に延びる上下通路部１４６と、上下通路部１４６の下流側の端部に連なり遊技機本体１２の回動基端側から回動先端側に向けて緩やかに下り傾斜する下側傾斜通路部１４７とを備えている。言い換えれば、外枠側取込通路１４４は、上側傾斜通路部１４５に対して下側傾斜通路部１４７が折り返されて形成されており、遊技機本体１２の背面視において略コ字状をなすように形成されている。
【００５９】
これら各通路部１４５，１４６，１４７は角形の筒状（管状）をなしており、通路幅寸法等が遊技球の直径寸法よりも若干大きく設定されている。これにより、それら各通路部１４５，１４６，１４７内にて一条の遊技球列が形成される構成となっている。換言すれば、それら各通路部１４５，１４６，１４７は、同一箇所を複数の遊技球が同時に通過できないように、すなわち形成される遊技球の列が複数にならないように形成されている。なお、本実施の形態においては、各通路部１４５〜１４７を角形の筒状（管状）としたが、円形の筒状（管状）とすることも可能である。
【００６０】
上側傾斜通路部１４５は外枠１１の上枠部１１ａに沿って延びており、その最上流部位（遊技機本体１２の回動先端側の端部）が遊技機本体１２の回動先端側に開放されている。この開放された部位によって外枠側取込ユニット１４０における遊技球の受入口が構成されている。以下、この開放された部位を上流側開口１４８と称する。
【００６１】
上流側開口１４８は上側傾斜通路部１４５の上流側に向けて徐々に広がるように緩やかに拡張されており、当該上流側開口１４８の縁部には遊技球の直径よりも若干大きい内径を有する略円管状の連結部材１４９が接続されている。これにより、外枠側取込ユニット１４０の外枠側取込通路１４４と連結部材１４９とが連なった状態となっている。この連結部材１４９は着脱可能に設けられており、複数の部材を組み合わせることで構成された固定具１５０によってケース体１４２，１４３に対して一体化されている（図１２等参照）。なお、本実施の形態における各図に記載の連結部材１４９については、便宜上、上流側（すなわち島設備側）を省略し、外枠側取込ユニット１４０に繋がる下流側の一部分のみを示しているが、これに限定されるものではない。また、連結部材１４９の細かな形状については図１２の部分拡大図にのみ示し、他図においては便宜上簡略化して示している。
【００６２】
連結部材１４９における外枠側取込ユニット１４０側と反対側の端部は、島設備（詳しくは遊技球を貯留している部分等）に接続されており、島設備から供給される遊技球は、この連結部材１４９を介して外枠側取込通路１４４（詳しくは上側傾斜通路部１４５）に導かれることとなる。上述したように外枠側取込ユニット１４０は外枠１１に対して後方へオフセットした状態で配置されており且つ上流側開口１４８は遊技機本体１２の回動先端側を向いている。これにより、パチンコ機１０を島設備に設置等する場合に外枠側取込ユニット１４０に対する連結部材１４９の着脱作業が煩雑化することを回避可能となっている。
【００６３】
連結部材１４９は伸縮自在に形成されている。具体的には、図１２の部分拡大図に示すように、蛇腹状をなしており、その通路長が伸び縮みするように形成されている。このため島設備から供給される遊技球を介して大きな負荷が加わった場合には、連結部材１４９自身が変形することで上述したような負荷の一部を分散させることができ、過度の負荷が外枠側取込ユニット１４０に伝わることを回避可能となっている。更に、連結部材１４９においては、内径の変化を抑えつつ通路の長さを変更することが可能となるように形成されている。このため、連結部材１４９の変形に起因して同連結部材１４９の内径が遊技球の通過を許容できない程度に小さくなったり、形成される遊技球列の数が増加する程度に大きくなったりすることを抑制でき、当該連結部材１４９内にて球詰まりが発生しにくくなっている。
【００６４】
なお、連結部材１４９を構成している材料自体が伸び縮みすることにより、当該連結部材１４９の通路長を可変させる構成とすることも可能である。
【００６５】
再び図１５を用いて説明すれば、上側傾斜通路部１４５に連なる上下通路部１４６は、自身の入口部分及び出口部分の前後位置がほぼ同一となるように形成されている。換言すれば、上下通路部１４６は延長方向に延びており、上側傾斜通路部１４５側の端部と下側傾斜通路部１４７側の端部との前後位置がほぼ同一となるように形成されている。このため、上下通路部１４６内を通過する遊技球は、当該上下通路部１４６に沿って上方から下方に落下することとなる。なお、上下通路部１４６を若干傾けることにより、略鉛直方向に延びるように形成することも可能である。
【００６６】
下側傾斜通路部１４７の最下流部位は、上流側開口１４８と同様に、遊技機本体１２の回動先端側に開放されており、この開放された部位によって外枠側取込ユニット１４０における遊技球の排出口が構成されている。以下、この開放部位を下流側開口１５１と称する。
【００６７】
下側傾斜通路部１４７は、遊技球が転動又は摺動する底板部１５２と、その底板部１５２の上方に位置し当該底板部１５２に対して遊技球の直径寸法より大きく且つ遊技球の直径寸法の２倍よりも小さな隙間を隔てて対向する天板部１５３と、それら底板部１５２及び天板部１５３の両者を繋ぐ前板部１５４及び後板部１５５とを有している。底板部１５２及び天板部１５３は、下側傾斜通路部１４７の通路方向と同一方向に延びる略長板状をなしており、天板部１５３の先端は底板部１５２の先端よりも遊技機本体１２の回動先端側（すなわち下側傾斜通路部１４７の通路方向における下流側）に僅かに延出している。そして天板部１５３における下流側の先端部分には、底板部１５２側（外枠側取込通路１４４の内方）に起立する開口フランジ１７８が形成されている。これら開口フランジ１７８の先端部，底板部１５２の先端部，前板部１５４及び後板部１５５によって上述した下流側開口１５１が形成されている。
【００６８】
下流側開口１５１は、底板部１５２の先端部が開口フランジ１７８の先端部に対して後退していることにより、下側傾斜通路部１４７の通路方向に比べて若干下向き、すなわち斜め下側に向けて開放されている。なお、底板部１５２及び天板部１５３と共に下側傾斜通路部１４７を形成している前板部１５４及び後板部１５５は、底板部１５２の先端部及び天板部１５３の先端部よりも下流側に延びている。つまり、下流側開口１５１は、外枠側取込ユニット１４０の外周部から若干内側に入り込んだ位置に配置されている。
【００６９】
ここで、上下通路部１４６と下側傾斜通路部１４７との境界部分に設けられ、外枠側取込通路１４４における減圧手段（球圧軽減手段）の一部を構成する分散構造について図１４（ｂ）に基づき詳細に説明する。図１４（ｂ）は上下通路部１４６及び下側傾斜通路部１４７をパチンコ機１０の上方から見た概略図である。
【００７０】
下側傾斜通路部１４７における最上流部位１４７ａは、上下通路部１４６の最下流部位１４６ａに対してパチンコ機１０の前方に若干ずらして設けられている。すなわち、下側傾斜通路部１４７の最上流部位１４７ａと上下通路部１４６の最下流部位１４６ａとは、パチンコ機１０の平面視において前後に僅かにずれた状態で重なっている。これにより、上下通路部１４６と下側傾斜通路部１４７とに連なる遊技球のうち、上下通路部１４６の最下流位置に待機する遊技球と下側傾斜通路部１４７の最上流位置に待機する遊技球とは、前後方向にずれた状態で接触する。そして、下側傾斜通路部１４７の最上流部位１４７ａに位置する遊技球は、上下通路部１４６の最下流部位１４６ａに位置する遊技球によって下側傾斜通路部１４７の側壁面（すなわち前板部１５４）に押し付けられることとなる。上下通路部１４６と下側傾斜通路部１４７とに連なる遊技球列は、上下通路部１４６から下側傾斜通路部１４７の曲がり部分にて前板部１５４に当接し、その球圧の一部が分散される。このように、下側傾斜通路部１４７の入口部分において減圧を行うことにより、上下通路部１４６，上側傾斜通路部１４５等に連なる遊技球の球圧が、下側傾斜通路部１４７に連なる遊技球列に伝わることを抑制している。
【００７１】
なお、上下通路部１４６の最下流部位１４６ａと下側傾斜通路部１４７の最上流部位１４７ａとが、上下通路部１４６の通路方向（パチンコ機１０の平面視）において必ずしも重なる必要はなく、完全にずらすことも可能である。かかる構成とした場合、例えばそれら各通路部１４６，１４７を繋ぐ中継通路部を設けるとよい。また、下側傾斜通路部１４７における最上流部位１４７ａを上下通路部１４６の最下流部位１４６ａに対して後方にずらしてもよい。
【００７２】
外枠側取込通路１４４においては、上述した上下通路部１４６及び下側傾斜通路部１４７の境界以外における減圧に加え、以下の減圧が行われている。例えば、上側傾斜通路部１４５が下り傾斜していることにより、当該上側傾斜通路部１４５上に載っている遊技球の自重圧力が上側傾斜通路部１４５によって分散されることとなる。また、上側傾斜通路部１４５と上下通路部１４６との境界（すなわち曲がり部分）においては、遊技球が上下通路部１４６における遊技機本体１２の回動基端側の壁面に当たることにより、遊技球列を介して伝わる自重圧力の一部が分散されることとなる。更には、上下通路部１４６と下側傾斜通路部１４７との境界（すなわち曲がり部分）において、遊技球が下側傾斜通路部１４７の上面に当たることにより、遊技球列を介して伝わる自重圧力の一部が分散されることとなる。そして、下側傾斜通路部１４７が下り傾斜していることにより、当該下側傾斜通路部１４７上に載っている遊技球の自重圧力が下側傾斜通路部１４７によって分散されることとなる。以上詳述したように、外枠側取込通路１４４のほぼ全体を用いて遊技球の自重圧力を分散させることにより、島設備から連なる遊技球列を介して大きな負荷が当該外枠側取込通路１４４の下流領域に伝わることを抑制している。
【００７３】
次に、本体側取込ユニット１６０について詳細に説明する。図２や図１５等に示すように、本体側取込ユニット１６０は、外枠側取込ユニット１４０に隣接して設けられている。具体的には、外枠側取込ユニット１４０は本体側取込ユニット１６０に対して遊技機本体１２が開放される際の回動先側となるように配置されており、外枠側取込ユニット１４０の下流側開口１５１から流出した遊技球を受け入れ可能となっている。
【００７４】
図１２及び図１４（ａ）に示すように、裏パック７１のベース部７４には後方に起立する円柱状の起立部７４ａが複数形成されており、本体側取込ユニット１６０にはこれら起立部７４ａに対応する複数の挿通孔１６０ａが形成されている。起立部７４ａが挿通孔１６０ａに挿通された状態で、ネジ等の締結具により本体側取込ユニット１６０と裏パック７１とが固定されている。このように本体側取込ユニット１６０は裏パック７１に一体化されているため、遊技機本体１２が回動された場合には同遊技機本体１２に追従して本体側取込ユニット１６０も移動することとなる。すなわち、本体側取込ユニット１６０は、遊技機本体１２の回動中心軸線ＣＬ１を中心として回動することとなる。
【００７５】
また、本体側取込ユニット１６０は、外枠側取込ユニット１４０と同様に、遊技球の出入口を有する略箱状をなしており、合成樹脂製の第１ケース体１６１及び第２ケース体１６２が組み合わせられてなる（図１２や図１４（ａ）参照）。そして、図１４及び図１５（ｂ）に示すように、本体側取込ユニット１６０の内部には遊技球の流下経路を規定する前記本体側取込通路１６３が形成されている。本体側取込通路１６３は、角形の筒状（管状）をなしており、外枠側取込通路１４４の下流側開口１５１に対応し同下流側開口１５１から流出した遊技球を受け入れる上流側開口１６４と、払出機構７２（詳しくはケースレール９１）の受入口９１ａに対応し本体側取込通路１６３を通過した遊技球を同受入口９１ａに排出する下流側開口１６５とを有している。すなわち、外枠側取込ユニット１４０の下流側開口１５１を通過した遊技球は、一度本体側取込ユニット１６０内に取り込まれた後、本体側取込通路１６３を介して払出機構７２に案内される構成となっている。なお、本体側取込通路１６３が円形の筒状（管状）をなす構成とすることも可能である。
【００７６】
本体側取込通路１６３は、上流側開口１６４を有し本体側取込通路１６３の上流側を構成する上流側通路部１６６と、その上流側通路部１６６の下流側にて連続するとともに当該上流側通路部１６６に対して遊技機本体１２の回動先端側にずれた位置にて下方に延びる上下通路部１６７と、前記下流側開口１６５を有し上下通路部１６７の下流側にて連続するとともに遊技機本体１２の回動基端側に延びる下流側通路部１６８とによって構成されている。各通路部１４５，１４６，１４７の境界に曲がり部分を形成し、本体側取込通路１６３を屈曲（蛇行）させることにより、上流側開口１６４から連なる遊技球の重量負荷がそれら遊技球の列を介して払出機構７２に伝わりにくくなっている。
【００７７】
上流側開口１６４は、上流側通路部１６６の通路方向と斜めに交差するように形成され、開口面積が拡大されている。つまり、上流側通路部１６６における通路幅等をむやみに広げることなく、開口面積の拡大が実現されている。上流側開口１６４の拡大を図ることで、遊技機本体１２と外枠１１と（詳しくは両取込ユニット１４０，１６０）に位置ずれが生じた場合であっても、上流側開口１６４にて遊技球が引っ掛かるといった不都合を生じにくくしている。また、上流側開口１６４は外枠側取込通路１４４の下流側開口１５１に向けて、すなわち斜め上方に開放されている。このように上流側開口１６４を上方に向けることで、両取込ユニット１４０，１６０が離間した場合に、本体側取込ユニット１６０（上流側開口１６４）を介して遊技球が零れ落ちるといった不都合が生じにくくなっている。
【００７８】
本体側取込通路１６３における上下通路部１６７及び下流側通路部１６８は、通路の大きさが遊技球よりも若干大きい程度に抑えられている。これにより、本体側取込通路１６３によって規定される遊技球の流下経路のばらつきが積極的に抑えられている。払出装置９２の払出通路９８及びケースレール９１内に形成されている通路についても同様に、通路の大きさが遊技球よりも若干大きい程度に抑えられ、それら各通路によって規定される遊技球の流下経路ばらつきが積極的に抑えられている。
【００７９】
一方、上述した外枠側取込通路１４４（上側傾斜通路部１４５，上下通路部１４６，下側傾斜通路部１４７）における通路幅等の遊技球に対する余裕代は、本体側取込通路１６３における通路幅等の遊技球に対する余裕代よりも大きく設定されている。言い換えれば、外枠側取込通路１４４においては、遊技球列が複数になることが回避されているものの、遊技球の位置ばらつきを積極的に許容する構成となっている。
【００８０】
ここで、図１６に基づき払出機構７２，ケースレール９１及び本体側取込ユニット１６０に形成された各通路について詳しく説明する。図１６（ａ）は、払出装置９２の待機状態を示し、図１６（ｂ）は、払出装置９２の駆動初期状態を示す。
【００８１】
図１６（ａ）に示すように、払出装置９２が待機状態にある場合、回転体１００の外周部（凹部１００ｂ以外の部位）に当接している遊技球を先頭に払出機構７２，ケースレール９１及び本体側取込ユニット１６０を経由して一列に連なる遊技球列が形成され、それら払出機構７２等に所定数の遊技球が貯留されることとなる。それら払出機構７２，ケースレール９１及び本体側取込ユニット１６０によって構成される一連の通路は、遊技球列が通路内で蛇行等することにより流下経路ばらついた場合であっても、最上流側の遊技球の少なくとも一部（本実施の形態においては凡そ１／３〜１／２程度）が上流側開口１６４から突出するように形成されている。すなわち、払出機構７２，ケースレール９１及び本体側取込ユニット１６０に連なる通路の通路長及び上述した余裕代は、払出機構７２が待機状態である場合に、本体側取込ユニット１６０の上流側開口１６４に係る遊技球の一部が当該上流側開口１６４から突出した状態となるように設定されている。
【００８２】
また、図１６（ａ）に示す状態から払出装置９２が駆動した場合、先ず回転体１００が回動し、当該回転体１００に当接している遊技球が回転体１００の凹部１００ｂに嵌まることとなる（図１６（ｂ）参照）。この状態から更に回動することにより、凹部１００ｂに嵌まった遊技球が収容部９９を通過し、図１１に示したように遊技球の払出しが完了することとなる。
【００８３】
図１６（ｂ）に示した状態においては、外枠側取込ユニット１４０から新たに１の遊技球が本体側取込ユニット１６０に導かれ、この追加された遊技球が上流側開口１６４から突出する構成となっている。すなわち、遊技球の払い出しが行われた場合には、払出しに伴って新たに供給される遊技球が上流側開口１６４から突出することとなり、上流側開口１６４に係る遊技球の突出が担保される構成となっている。
【００８４】
以上詳述した外枠側取込ユニット１４０及び本体側取込ユニット１６０は、外枠１１に対する遊技機本体１２の開閉操作に基づいて相対移動する。ここで、図１７を用いてそれら取込ユニット１４０，１６０の相対移動について説明する。図１７（ａ）は遊技機本体１２が閉鎖された状態を示し、図１７（ｂ）は遊技機本体１２が開放された状態を示す。なお、図１７の（１）群はパチンコ機１０の背面図、図１７の（２）群は各通路を示す概略図であり、図１７（ａ）及び図１７（ｂ）においては、便宜上第２ケース体１４３を省略して示している。
【００８５】
図１７（ａ）に示すように、遊技機本体１２が外枠１１に対して閉じられている状態においては、外枠側取込ユニット１４０及び本体側取込ユニット１６０は隣接しており、それら各取込ユニット１４０，１６０、詳しくは各取込通路１４４，１６３が連通した状態となっている。
【００８６】
上述の如く遊技機本体１２は外枠１１によって回動可能に支持されており、遊技機本体１２が回動することによって、それら遊技機本体１２と外枠１１との相対位置が変化する。本体側取込ユニット１６０は、遊技機本体１２に対して取り付けられているため、遊技機本体１２の回動に伴って当該遊技機本体１２と共に移動することとなる。一方、外枠側取込ユニット１４０は外枠１１に対して取り付けられているため、遊技機本体１２の回動に追従して移動することは無い。つまり、図１７（ｂ）に示すように遊技機本体１２が開放されることによって、本体側取込ユニット１６０が外枠側取込ユニット１４０から遠ざかり外枠側取込ユニット１４０と本体側取込ユニット１６０とが離間した状態となる。
【００８７】
このように本体側取込ユニット１６０が移動し、両取込ユニット１４０，１６０が離間した状態においては、外枠側取込ユニット１４０に設けられたシャッタ機構２００によって同外枠側取込ユニット１４０からの遊技球の流出が阻止され、当該外枠側取込ユニット１４０から遊技球が零れ落ちるといった不都合が回避される。
【００８８】
（シャッタ機構２００及び可変通路部２５０）
次に、図１７及び図１８を用いて上述したシャッタ機構２００の概略について説明する。図１８（ａ）はシャッタ機構２００を拡大して示す図１７（ａ２）の部分拡大図、図１８（ｂ）はシャッタ機構２００をパチンコ機１０の上方から見た概略図である。
【００８９】
シャッタ機構２００は、遊技機本体１２が外枠１１に対して閉鎖されている状態においては外枠側取込ユニット１４０からの遊技球の流出を許容し、遊技機本体１２が外枠１１に対して開放されている状態においては外枠側取込ユニット１４０からの遊技球の流出を阻止するように構成されている。換言すれば、シャッタ機構２００は、遊技機本体１２と外枠１１との位置関係に基づいて、外枠側取込ユニット１４０からの遊技球の流出を許容する許容状態と、外枠側取込ユニット１４０からの遊技球の流出を阻止する阻止状態との２つの状態で切り替え可能に構成されている。
【００９０】
また、シャッタ機構２００は、図１２等に示すように、外枠側取込ユニット１４０に対して一体化されており、外枠側取込ユニット１４０の下流側開口１５１に対して突出可能に設けられた複数（本実施の形態においては２つ）のシャッタ部材２１０，２３０を備えている。これら各シャッタ部材２１０，２３０は下流側開口１５１（詳しくは遊技球の流下経路）を上下に挟んで対を成すように配置されている。
【００９１】
より詳しく説明すれば、シャッタ機構２００は、各シャッタ部材２１０，２３０が下流側開口１５１に対して突出することにより、両者の間隔が当初の開口（すなわち下流側開口１５１）よりも狭くなるように構成されている。そして、このように突出した状態での両シャッタ部材２１０，２３０の間隔は、遊技球の直径未満となるように設定されている。これら突出したシャッタ部材２１０，２３０によって、遊技球の流出が妨げられる事となる。以下便宜上、底板部１５２側に設けられたシャッタ部材２１０を「第１シャッタ部材２１０」、天板部１５３側に設けられたシャッタ部材２３０を「第２シャッタ部材２３０」と称し、各シャッタ部材２１０，２３０について詳細に説明する。
【００９２】
図１８（ａ）に示すように、第１シャッタ部材２１０は、下側傾斜通路部１４７よりも下側に底板部１５２の上面に沿った方向、すなわち当該下側傾斜通路部１４７の通路方向と同一の方向にスライド移動可能な状態で取り付けられている。
【００９３】
外枠側取込ユニット１４０の下側傾斜通路部１４７よりも下側には、下側傾斜通路部１４７の底板部１５２に対して所定の間隔を隔てて対向する対向板部１６９を有してなる収容部１７０が形成されており、それら底板部１５２及び対向板部１６９との間に形成された空間（すなわち収容部１７０内）に第１シャッタ部材２１０がスライド移動可能な状態で収容されている。
【００９４】
収容部１７０における底板部１５２の先端と同じ側には、第１シャッタ部材２１０の突出を許容するスリット１７１が形成されている。第１シャッタ部材２１０は、このスリット１７１を介してスライド移動することにより、下流側開口１５１（詳しくは底板部１５２の先端）に対する突出量が変化する構成となっている。
【００９５】
第１シャッタ部材２１０をスライド可能な状態で支持する構成についてより詳しく説明する。上述した対向板部１６９の下流側開口１５１側には、第１シャッタ部材２１０の底板部１５２に対して所定の間隔を隔てて対向するとともに、底板部１５２との間に第１シャッタ部材２１０を挟んで支持する支持板部１７２が設けられている。支持板部１７２は、第１ケース体１６１に対して一体形成されており、底板部１５２と共に前記スリット１７１を形成している。第１シャッタ部材２１０には、底板部１５２に沿って下側傾斜通路部１４７の通路方向と同一方向に延び、底板部１５２及び支持板部１７２によって挟まれた平板部２１１が形成されている。この平板部２１１は、底板部１５２に重ねて配置されており、その板厚寸法がスリット１７１の隙間寸法（すなわち底板部１５２と支持板部１７２との間隔寸法）と同等となるように形成されている。平板部２１１がスリット１７１内を摺動することにより、第１シャッタ部材２１０のスライド方向が下側傾斜通路部１４７の通路方向と同じ方向となるように規定される。詳しくは、両取込ユニット１４０，１６０が連通した状態における外枠側取込通路１４４の下流側開口１５１から本体側取込通路１６３の上流側開口１６４への遊技球の流れを遮断するように第１シャッタ部材２１０の移動方向が規定されている。
【００９６】
また、第１シャッタ部材２１０の平板部２１１は、その少なくとも一部がスリット１７１から常時突出した状態となるように形成されており、スリット１７１から突出した平板部２１１の一部と底板部１５２とによって、下流側開口１５１付近に段差部分が形成されている。この段差部分の高さ寸法、すなわち底板部１５２の板厚寸法は、遊技球の直径寸法よりも小さく（具体的には半径寸法より小さく）設定されている。
【００９７】
第１シャッタ部材２１０には、当該第１シャッタ部材２１０を突出する側に向けて付勢する付勢部材（詳しくは圧縮コイルバネ２２０）が装着されており、同第１シャッタ部材２１０はその圧縮コイルバネ２２０によって突出する側に向けて常時付勢された状態となっている。なお、起立部２１２におけるストッパ部１７３と反対側には、前記圧縮コイルバネ２２０を取り付ける取付用突起２１５が形成されており、当該取付用突起２１５が圧縮コイルバネ２２０の片側の端部（詳しくは開放部分）に嵌まっている。圧縮コイルバネ２２０の他方の端部は収容部１７０において起立部２１２と対向している壁部１７４に当った状態となっている。
【００９８】
平板部２１１におけるスリット１７１から突出している側と反対の端部には、対向板部１６９側に起立する起立部２１２が形成されている。収容部１７０には、この起立部２１２に当接することにより第１シャッタ部材２１０の収容部１７０からの抜け落ちを防止するストッパ部１７３が形成されており、第１シャッタ部材２１０が突出量の増加する側にスライド移動しそのスライド量が所定値に達した際には、これら起立部２１２及びストッパ部１７３が当接する構成となっている。すなわち、起立部２１２及びストッパ部１７３によって第１シャッタ部材２１０の最大突出位置（底板部１５２の先端からの最大突出量）が規定されている。
【００９９】
第１シャッタ部材２１０の最大突出量は、当該第１シャッタ部材２１０が最大に突出した状態において平板部２１１上に複数の遊技球が載らないように、すなわち平板部２１１に載る遊技球の数が１つに限定されるように設定されている。これにより、第１シャッタ部材２１０に加わる遊技球の重量負荷の増加を抑制可能となっている。また、第１シャッタ部材２１０の最大突出位置では、平板部２１１の上面がその先端に向けて下り傾斜となるように構成されている。
【０１００】
第１シャッタ部材２１０は、遊技機本体１２が閉じられている状態、すなわち両取込ユニット１４０，１６０が連通している状態においてはその突出が抑えられる構成となっている。具体的に説明すれば、平板部２１１におけるスリット１７１から突出した部分の先端には、下方に折れ曲がった折曲部２１３が形成されている。この折曲部２１３は、本体側取込ユニット１６０の外壁に設けられた操作壁部１８０に対応しており、遊技機本体１２が外枠１１に対して閉鎖された状態、すなわち両取込ユニット１４０，１６０が連通した状態においては、折曲部２１３及び操作壁部１８０が当接している。このように、折曲部２１３及び操作壁部１８０が当接した状態においては、本体側取込ユニット１６０（詳しくは上流側開口１６４）と外枠側取込ユニット１４０（詳しくは底板部１５２）との隙間が平板部２１１によって埋められており、両ユニット１４０，１６０間での遊技球の移動が担保されている。
【０１０１】
なお、操作壁部１８０の一部は本体側取込ユニット１６０の上流側開口１６４の開口縁を構成しており、折曲部２１３と操作壁部１８０とが当接している状態においては、平板部２１１が操作壁部１８０よりも上位に位置している。これにより第１シャッタ部材２１０と本体側取込ユニット１６０との境界を通過する遊技球が、操作壁部１８０に引っ掛かることが回避されている。
【０１０２】
第１シャッタ部材２１０の動作について簡単に説明すれば、図１７（ａ）に示すように遊技機本体１２が閉じられている状態では、折曲部２１３が操作壁部１８０によって押され、第１シャッタ部材２１０が圧縮コイルバネ２２０の付勢力に抗して引っ込められている。かかる状態から遊技機本体１２が開放されると、操作壁部１８０が折曲部２１３から離れる側に移動し、圧縮コイルバネ２２０の付勢力によって第１シャッタ部材２１０が突出する側に移動することとなる。そして、起立部２１２及びストッパ部１７３が当接する位置まで突出することにより、その突出量が最大となる（図１７（ｂ）参照）。一方、遊技機本体１２が閉じられる際には、操作壁部１８０によって折曲部２１３が押され、圧縮コイルバネ２２０の付勢力に抗してスライドすることにより、その突出量が減少することとなる。
【０１０３】
以上詳述した第１シャッタ部材２１０は、突出量の増加によって遊技球の通過領域を狭めることが可能となっているが、突出量が最大になった場合であっても第１シャッタ部材２１０単独によって遊技球の流下を遮断しないように構成されている。言い換えれば、第１シャッタ部材２１０の最大突出量は、遊技球の流下を遮断しない程度に抑えられている。なお、第１シャッタ部材２１０がスライド移動することに着目すれば、第１シャッタ部材２１０を「スライドシャッタ部材２１０」と称することも可能である。
【０１０４】
また、上述したように、第１シャッタ部材２１０は遊技機本体１２が開放されることによって突出量が増加する。このように第１シャッタ部材２１０が突出することにより、下側傾斜通路部１４７上に貯留されていた遊技球が、平板部２１１上を移動可能となる。つまり、平板部２１１の突出量の増加に依存して、外枠側取込ユニット１４０内での移動距離が増し、実質的に外枠側取込通路１４４が延長されることとなる。より具体的には、外枠側取込通路１４４が、下側傾斜通路部１４７の通路方向下流側に向け底板部１５２に沿って延長されることとなる。このようにシャッタ機構２００（詳しくは第２シャッタ部材２３０）が外枠側取込通路１４４を延長する機能を有する点に着目すれば、第１シャッタ部材２１０を「通路延長手段」と称することも可能である。また、第１シャッタ部材２１０を介して外枠側取込通路１４４の下流側開口１５１と本体側取込通路１６３の上流側開口１６４とが繋がっている点に着目すれば第１シャッタ部材２１０によって「中継通路部２５０」が形成されているともいえる。更には、第１シャッタ部材２１０の突出量に依存してその通路部分の長さが変化する点に着目すれば、第１シャッタ部材２１０が突出することにより当該第１シャッタ部材２１０に依存して変更される延長通路部分を「可変通路部２５０」と称することも可能である。なお、外枠側取込通路１４４は、上述した上側傾斜通路部１４５，上下通路部１４６及び下側傾斜通路部１４７に可変通路部２５０（中継通路部２５０）を加えた４つの通路部によって構成されているものである。
【０１０５】
第１シャッタ部材２１０が自身のスライド移動に基づき下流側開口１５１に対する突出量を増減する構成であるのに対して、第２シャッタ部材２３０は自身が回動することに基づいて下流側開口１５１に対する突出量が増減する構成となっている。以下、図１２及び図１８を用いて第２シャッタ部材２３０及びそれに関連する構成について説明する。
【０１０６】
図１２及び図１８に示すように外枠側取込ユニット１４０には下側傾斜通路部１４７の通路方向と交差し水平方向に延びる円柱状の軸部１７５が設けらており、この軸部１７５に対応して第２シャッタ部材２３０には軸受け孔２３１が設けられている。軸受け孔２３１はその内径寸法が軸部１７５の外径寸法と同等となるように形成されており、軸部１７５が軸受け孔２３１に挿入されている。これにより、第２シャッタ部材２３０は、外枠側取込ユニット１４０に対して正逆両方向に回動可能な状態で装着されている。
【０１０７】
第２シャッタ部材２３０は、前記軸部１７５の中心軸線（回動中心軸線ＣＬ２）と同一方向に延びる略柱状をなしている。そして、第２シャッタ部材２３０の外周面、詳しくはその外周面における当該第２シャッタ部材２３０の回動中心軸線ＣＬ２に対して放射方向外側に位置する部位には、下流側開口１５１から突出した状態にて遊技球と当接する当接部２３２が形成されている。
【０１０８】
軸部１７５は、開口フランジ１７８を挟んだ天板部１５３の反対側（すなわち遊技機本体１２における回動先端側）且つ天板部１５３の先端部よりも上側に配置されており、天板部１５３との間には第２シャッタ部材２３０の動作スペースが確保されている。そして、第２シャッタ部材２３０は、当接部２３２が軸部１７５の中心軸線よりも天板部１５３側となる範囲において回動可能となるように構成されている。第２シャッタ部材２３０は、許容状態から阻止状態へ移行される場合には当接部２３２が遊技球の流下方向に沿って突出してくる方向（具体的にはパチンコ機１０の背面視において時計回り方向）に回動し、阻止状態から許容状態へ移行される場合には上述した方向と逆（具体的にはパチンコ機１０の背面視において反時計回り方向）に回動する構成となっている。以下便宜上、許容状態から阻止状態へ移行される際の第２シャッタ部材２３０の回動方向を「所定の方向」と称する。
【０１０９】
また、第２シャッタ部材２３０には、当該第２シャッタ部材２３０を突出する側に向けて、すなわち前記所定の方向へ付勢する付勢部材（詳しくは引張コイルバネ２４０）が装着されており、同第２シャッタ部材２３０はその引張コイルバネ２４０によって突出側（前記所定の方向に）に常時付勢された状態となっている。第２シャッタ部材２３０には、軸受け孔２３１よりも上方となる位置に引張コイルバネ２４０を引っ掛ける引掛け部２３５が形成されており、外枠側取込ユニット１４０の天板部１５３にも、引張コイルバネ２４０を引っ掛ける引掛け部１７７が形成されている。引張コイルバネ２４０の両側の端部にはフック部が形成されており、これら各フック部が引掛け部１７７，２３５にそれぞれ引っ掛かった状態となっている。
【０１１０】
第２シャッタ部材２３０の一側部（前側の端部）には、軸受け孔２３１の中心軸線方向に突出する凸部２３３が形成されており、外枠側取込ユニット１４０の第１ケース体１６１には、第２シャッタ部材２３０の突出量が所定の大きさになった場合に上述した凸部２３３に対して当たるストッパ部１７６が形成されている（図１８（ｂ）参照）。これら凸部２３３及びストッパ部１７６が当接することにより、前記所定方向への回動が規制されることとなる。つまり、これら凸部２３３及びストッパ部１７６によって当接部２３２の最大突出位置（すなわち開口フランジ１７８からの当接部２３２の最大突出量）が規定されている。
【０１１１】
本体側取込ユニット１６０には、遊技機本体１２が外枠１１に対して閉鎖された状態、すなわち両取込ユニット１４０，１６０が連通した状態において、第２シャッタ部材２３０の突出を抑える操作片１８１が形成されている。操作片１８１は軸部１７５よりも下側に配置されており、第２シャッタ部材２３０には操作片１８１と当たる第１壁面部２３６が形成されている。遊技機本体１２が外枠１１に対して閉鎖された状態、すなわち両取込ユニット１４０，１６０が連通した状態においては、操作片１８１によって第１壁面部２３６が押され、下流側開口１５１への突出が規制されている。
【０１１２】
遊技機本体１２が開放された際には、遊技機本体１２の移動に伴って操作片１８１も第１壁面部２３６から離れる側に移動することなる。このように操作片１８１が移動することにより、引張コイルバネ２４０の付勢力によって第２シャッタ部材２３０が前記所定の方向に回動し、その突出量が増加する。そして、操作片１８１が第1壁面部２３６から離間することに同期して、上述した凸部２３３及びストッパ部１７６が当り、当接部２３２が最大突出位置に配置されることとなる。
【０１１３】
ここで、当接部２３２についてより詳しく説明する。当接部２３２は、凸部２３３とストッパ部１７６とが当接し第２シャッタ部材２３０の突出量が最大となっている状態において、下側傾斜通路部１４７の上流側に向けて凸となる成分を有する曲面状をなし、当該下側傾斜通路部１４７の下流側から上流側に向けて徐々に突出量が減少するように形成されている。より詳しくは、当接部２３２は、軸部１７５の回転中心軸線ＣＬ２からの距離が一定となる曲面状をなしている。言い換えれば、当接部２３２は、下流側開口１５１に向けて凸となる曲面状をなし、第２シャッタ部材２３０の回動中心軸線ＣＬ２に対して直交する断面が一定曲率の円弧状をなすように形成されている。
【０１１４】
両シャッタ部材２１０，２３０によって遊技球の流出が阻止されている状態においては、当接部２３２に当っている遊技球が上流側に連なる遊技球の自重圧力によって下流側へ押されることとなる。このように遊技球が押された場合、遊技球と当接部２３２との間に発生する摩擦によって、当接部２３２は突出量が大きくなる側、すなわち前記所定の方向に更に回動しようとする。基本的にこのような回動は凸部２３３とストッパ部１７６とが当接することによって規制されるが、仮に過度の力が加わった場合であっても、当接部２３２の突出量が増す側に移動することとなるため、遊技球のかみ込みが強まりやすくなる。故に、遊技球が第２シャッタ部材２３０から抜け落ちるといった不都合の発生が好適に回避される。
【０１１５】
第２シャッタ部材２３０に加わった遊技球の圧力は、上述の如く第２シャッタ部材２３０を所定の方向に回動させようとする圧力と、第２シャッタ部材２３０を通路外側に押そうとする圧力とに分割される。具体的には、後者の圧力は、遊技球及び当接部２３２の接触点ＣＰ１と当該遊技球の中心ＣＴとを結んだ仮想直線Ｌ１方向に伝わることとなる。本実施の形態においては特に、当接部２３２が第２シャッタ部材２３０の回動中心軸線からの距離が一定の曲面状をなすため、この仮想直線Ｌ１は、第２シャッタ部材２３０の回動中心軸線ＣＬ２に対して交差（詳しくは直交）することとなる。このため、遊技球列を介して第２シャッタ部材２３０に加わる球圧は、仮想直線Ｌ１方向に、すなわち軸部１７５に伝わることとなる。故に、軸部１７５と当接部２３２とが離れて配置されている構成であっても、そのような離れに起因して軸部１７５に加わる応力が大きくなることを抑制でき、遊技球の球圧によって第２シャッタ部材２３０が変形等することによりその突出量が減少するといった不都合を生じにくくすることができる。
【０１１６】
第２シャッタ部材２３０は、前記第１シャッタ部材２１０よりも、当該第１シャッタ部材２１０によって延長される通路における下流側となる位置に配置されている（図１７（ｂ）参照）。シャッタ機構２００が阻止状態に切り替えられ第１シャッタ部材２１０が最大突出位置までスライド移動することによって、各シャッタ部材２１０，２３０が上下に並ぶ（すなわち平板部２１１が第２シャッタ部材２３０と対向する）。第２シャッタ部材２３０は、第１シャッタ部材２１０によって延長された領域に対して突出するように構成されている。これにより、第２シャッタ部材２３０は、第１シャッタ部材２１０による通路の延長により遊技球の流下経路が変わることに基づいて、遊技球と当接しその遊技球の移動を遮ることが可能な位置に突出することとなる。
【０１１７】
また、第２シャッタ部材２３０（詳しくは当接部２３２）は、両取込ユニット１４０，１６０が離間した状態において、第１シャッタ部材２１０の平板部２１１に対して所定の間隔を維持するように設けられている。詳しくは、第１シャッタ部材２１０が最も突出した状態における平板部２１１との間に、当該平板部２１１の板面方向において所定の隙間が形成されるように設けられている。これにより、各シャッタ部材２１０，２３０が突出し、遊技球の流出が阻止された状態においても、遊技球の少なくもと一部（具体的には遊技球の流下方向下流側の先端を含む領域）が外枠側取込ユニット１４０から（具体的には本体側取込ユニット１６０の上流側開口１６４側に向けて）露出した状態で維持される。より詳しくは、上述の如く本体側取込ユニット１６０に貯留された遊技球のうち上流側開口１６４に位置する遊技球の少なくとも一部はその上流側開口１６４から露出しているが、このように上流側開口１６４から露出した遊技球と、両シャッタ部材２１０，２３０に当接している遊技球とが、上述した操作壁部１８０及び操作片１８１が折曲部２１３及び第１壁面部２３６に当っていない状態にて当接可能となるように各シャッタ部材２１０，２３０が設けられている。
【０１１８】
更には、当接部２３２は、平板部２１１及び遊技球の接触点ＣＰ２と当該接触点ＣＰ２に対して同遊技球の中心ＣＴを挟んだ反対側の対称点ＣＰ３とを両極として二分された遊技球の両領域のうち、対称点ＣＰ３を含んだ側の領域において上述した可変通路部２５０の下流側となる半分の所定領域（球面の１／４の領域）の少なくとも一部に対して当接するように形成されている。すなわち、遊技球の外周面における平板部２１１と反対側且つ可変通路部２５０の通路方向下流側となる領域に対して当接する構成となっている。このように、各シャッタ部材２１０，２３０が遊技球の上側及び下側にて当接する構成としたことにより、遊技球の列を介して伝わる球圧を両シャッタ部材２１０，２３０に対して好適に分散させることが可能となっている。すなわち、第２シャッタ部材２３０に対して負荷が集中することを抑制することができる。
【０１１９】
当接部２３２及び遊技球の接触点ＣＰ１は、上述した所定領域のうち、流下方向の先端部分と対称点ＣＰ３とを結んだ最短経路（仮想曲線）上に配置されている。これは、当接部２３２の突出量を低減し、第２シャッタ部材２３０の動作範囲を小さくする点で好ましいと考えられる。更には、当接部２３２及び遊技球の接触点ＣＰ１は、上述した所定領域の範囲内で可変通路部２５０の下流側よりも上流側に寄せて設定することが望ましい。これにより、当接部２３２の突出量を低減し、第２シャッタ部材２３０の動作範囲を小さくすることができる。総じて、当接部２３２及び遊技球の接触点ＣＰ１は対称点ＣＰ３に近い位置に設定することが好ましく、これにより、第２シャッタ部材２３０の状態を切り替える際の応答性向上に貢献できる。
【０１２０】
また、図１８（ａ）に示すように、当接部２３２における突出量が最大となる部位は第２シャッタ部材２３０の所定方向への回動に基づいて下側傾斜通路部１４７の上流側から下流側に徐々に移動することとなる。このように、当接部２３２の最大突出部位が、遊技球の流下方向に向けて移動しながらその突出量が増加する構成とすることにより、仮に第２シャッタ部材２３０が遊技球の列に割り込んだ場合であっても、第２シャッタ部材２３０と平板部２１１との間に遊技球が挟まるといった不都合を生じにくくし、第２シャッタ部材２３０の動作が阻害されにくくすることができる。
【０１２１】
第２シャッタ部材２３０（詳しくは当接部２３２）は、両取込ユニット１４０，１６０が連通している状態においては、前記開口フランジ１７８からの突出が回避されている。このため、第２シャッタ部材２３０の突出が抑えられた状態においては、当接部２３２と遊技球とが接触することは無く、第２シャッタ部材２３０の始動時に第２シャッタ部材２３０が遊技球に対して接触しながら移動することが回避されている。すなわち、遊技球との摩擦等に起因して当該第２シャッタ部材２３０の回動が阻害されるといった不都合が生じにくくなっている。これにより、遊技機本体１２の開放に伴って両取込ユニット１４０，１６０が相対移動する際に、第２シャッタ部材２３０の動作（突出）が遅れるといった不都合を生じにくくすることができる。
【０１２２】
上述した開口フランジ１７８は、底板部１５２の先端部（すなわち前記段差部分）よりも下側傾斜通路部１４７の下流側に設けられ、第１シャッタ部材２１０が最も突出している状態において同第１シャッタ部材２１０の平板部２１１と対峙するように形成されている。第２シャッタ部材２３０よりも上流に位置する遊技球の球圧が過度に大きくなった場合には、開口フランジ１７８周辺に位置する遊技球のうち平板部２１１上に位置する遊技球の球面に沿ってその遊技球の上流側に位置する遊技球を上方に誘導することができる。上方に誘導された遊技球は開口フランジ１７８に当たることによりその球圧の一部を天板部１５３に逃がすことが可能となっている。これにより、シャッタ機構２００に対して過度に大きな負荷が加わることを回避することができる。
【０１２３】
図１５（ｂ）等に示すように、開口フランジ１７８（すなわち下流側開口１５１）と本体側取込ユニット１６０の上流側開口１６４との間には所定の隙間が設けられており、この隙間が第２シャッタ部材２３０によって塞がれている。具体的には、第２シャッタ部材２３０には当接部２３２と第１壁面部２３６とを繋ぎ上流側開口１６４側を向いた第２壁面部２３７が形成されており、この第２壁面部２３７によって上述した隙間が塞がれている。これにより、両取込ユニット１４０，１６０間を移動する遊技球が取込機構１３０から零れるといった不都合は生じにくくなっている。このように下流側開口１５１と上流側開口１６４との両者を繋ぐ点に着目すれば、第２シャッタ部材２３０（詳しくは第２壁面部２３７）は、前記前板部１５４，前記後板部１５５及び平板部２１１と共に前記可変通路部２５０を構成しているともいえる。
【０１２４】
以上詳述した第２シャッタ部材２３０は、突出量が増すことにより遊技球の通過領域を狭めることが可能となっているが、その突出量が最大になった場合であっても、単独で遊技球の流下を遮らないように構成されている。なお、第２シャッタ部材２３０が回動することに着目すれば、第２シャッタ部材２３０を「回動シャッタ部材２３０」と称することも可能である。
【０１２５】
シャッタ機構２００における各シャッタ部材２１０，２３０の動作タイミングについて、図１７（ｂ２）及び図１９に基づき説明する。図１９はシャッタ機構２００の動作を示す概略図であり、遊技機本体１２の開放に伴って、図１９（ａ）→図１９（ｂ）→図１９（ｃ）の順に動作する。
【０１２６】
始めに、シャッタ機構２００の動作タイミングを規定する操作壁部１８０及び折曲部２１３と操作片１８１及び第１壁面部２３６との相互の関係について説明する。
【０１２７】
図１７（ｂ２）に示すように、各取込ユニット１４０，１６０が離間している状態での、操作壁部１８０及び折曲部２１３の距離寸法ＬＮ１（外枠側取込ユニット１４０の移動経路に沿った距離寸法）は、操作片１８１及び第１壁面部２３６の距離寸法ＬＮ２（外枠側取込ユニット１４０の移動経路に沿った距離寸法）よりも小さく設定されている。すなわち、第２シャッタ部材２３０を動作させるストローク量は、第１シャッタ部材２１０を動作させるストローク量に比べて小さく設定されている。換言すれば、操作片１８１，第１壁面部２３６，操作壁部１８０，折曲部２１３は、遊技機本体１２の開放に伴って操作片１８１及び第１壁面部２３６が当接している状態から離間している状態に移行される際に、操作壁部１８０及び折曲部２１３は所定の隙間を隔てて対峙するように配置されている。
【０１２８】
図１９（ａ）に示すように、両シャッタ部材２１０，２３０の突出量が最小に抑えられた状態においては上述した可変通路部２５０の通路長が最小となっており、当該可変通路部２５０を通じて外枠側取込ユニット１４０からの遊技球の流出が許容されている。すなわち、底板部１５２上を移動する遊技球は、下流側開口１５１を通過した後、第１シャッタ部材２１０の平板部２１１における先端部分をかすめて外枠側取込ユニット１４０から流出する。
【０１２９】
遊技機本体１２が外枠１１に対して閉じた位置から開放位置へと移動された際には、遊技機本体１２の回動操作に基づいて、各シャッタ部材２１０，２３０の突出を抑制している操作壁部１８０及び操作片１８１が移動することとなる。これにより、各シャッタ部材２１０，２３０の突出量が増加することとなる。これに伴って、可変通路部２５０の通路長が徐々に大きくなる。
【０１３０】
遊技機本体１２が所定の位置まで回動することにより、先ずストローク量が比較的小さく設定された第２シャッタ部材２３０の突出量が最大となる（図１９（ｂ）参照）。第１シャッタ部材２１０の突出量が増加することにより、第１シャッタ部材２１０の平板部２１１に沿って遊技球が移動することとなり、外枠側取込通路１４４が延長されることとなる。第２シャッタ部材２３０は、上述の如く延長された遊技球の流下経路に対しても所定の間隔を隔てた位置に存在しており、当接部２３２と遊技球とが干渉しにくくなっている。
【０１３１】
図１９（ｂ）に示す状態から遊技機本体１２を更に開放することで、第１シャッタ部材２１０の突出量が増加し、更なる通路の延長が実現されることとなる。第１シャッタ部材２１０の突出量が所定量（ほぼ最大となる量）に達した状態においては、可変通路部２５０の通路長が最大となり、変更された流下経路が上述の如く最大に突出した第２シャッタ部材２３０（詳しくは当接部２３２）に対して交差することとなる。これにより、平板部２１１上の遊技球は当接部２３２に当接する。両シャッタ部材２１０，２３０が突出することにより、それらシャッタ部材２１０，２３０の間隔が、当初の開口（すなわち下流側開口１５１）よりも狭くなる。詳しくはそれらシャッタ部材２１０，２３０の間隔が遊技球の直径未満となる。これにより、両シャッタ部材２１０，２３０に当接している遊技球の流出が規制されることとなる。
【０１３２】
以上詳述したように、当初の遊技球の流下経路に対して離れた位置において、第２シャッタ部材２３０を突出させ、その突出した第２シャッタ部材２３０に対して遊技球が当接するように、遊技球の流下経路を変更（延長）させる構成とすることにより、流下する遊技球によって第２シャッタ部材２３０の動作が妨げられることを回避できる。また、第１シャッタ部材２１０は、自身単体で遊技球の流下を阻止するのでなく、平板部２１１に載った遊技球を第２シャッタ部材２３０側へ案内し同第２シャッタ部材２３０とともに遊技球の流下を阻止する構成としたことにより、それら流下する遊技球によって第１シャッタ部材２１０の動作が妨げられにくくなっている。より具体的には、第２シャッタ部材２３０は、自身が突出することにより遊技球の移動スペースを積極的に作り出し、その移動可能となった領域に遊技球を案内している。このため、遊技球列に無理に割り込む必要がなくなり、第１シャッタ部材２１０のスライド軌道上にて別部材との間に遊技球が挟まるといった不都合を生じにくくしている。
【０１３３】
ここで、図２０に基づき両取込ユニット１４０，１６０の位置関係及び相対移動方向に関して詳細に説明する。図２０（ａ）は両取込ユニット１４０，１６０の位置関係を簡略化して示すパチンコ機１０の平面図、図２０（ｂ）は両取込ユニット１４０，１６０の相対移動方向を示す図２０（ａ）の概略図である。
【０１３４】
図２０に示すように、外枠側取込ユニット１４０は、遊技機本体１２の回動中心軸線ＣＬ１を中心として下流側開口１５１を通過する仮想円Ｃ１における下流側開口１５１での接線ＴＬの向きと下側傾斜通路部１４７の通路方向とがパチンコ機１０の平面視において（遊技機本体１２の回動中心軸線ＣＬ１方向から見て）同一となるように形成されている。そして、本体側取込ユニット１６０は、その上流側開口１６４が上述した仮想円Ｃ上に位置するように配置されている。言い換えれば、本体側取込ユニット１６０は、本体側取込ユニット１６０が遊技機本体１２の回動に伴って通過する軌道Ｐが仮想円Ｃ上に重なるように配置されている。これにより両取込ユニット１４０，１６０が相対移動する際の下側傾斜通路部１４７の通路方向に対して直交する方向への相対移動量を、少なくとも回動初期には小さなものとすることができ両取込ユニット１４０の境界に位置する遊技球（例えば本体側取込ユニット１６０の上流側開口１６４から突出した遊技球）が引っ掛かることで本体側取込ユニット１６０の移動、すなわち遊技機本体１２の回動操作が妨げられるといった不都合を生じにくくすることが可能となっている。
【０１３５】
また、上述した各シャッタ部材２１０，２３０の動作に関しても、遊技機本体１２の移動に伴って操作壁部１８０及び操作片１８１が移動することで、遊技機本体１２の回動操作量に対して両シャッタ部材２１０，２３０の突出量が極端に大きくなることを回避できる。すなわち、遊技機本体１２の回動に対して、各シャッタ部材２１０，２３０が過敏に動作することを回避することができる。これにより、遊技機本体１２の位置ずれ等に伴うシャッタ部材２１０，２３０の誤動作を抑制することが可能となっている。更には、遊技機本体１２の回動に合わせて各シャッタ部材２１０，２３０の突出量が徐々に増加する構成とし、第１シャッタ部材２１０による通路の延長に合わせて遊技球を移動させることにより、このような遊技球の移動に沿わせて（逆らわないように）第２シャッタ部材２３０の当接部２３２を移動させることが可能となっている。これにより、遊技球と第２シャッタ部材２３０とをつかえにくくすることが可能となっている。
【０１３６】
次に、図２１及び図２２を参照し、遊技機本体１２の外枠１１に対する開閉動作とシャッタ機構２００の動作との関係について説明する。図２１及び図２２の（ａ１）〜（ｅ１）群はパチンコ機１０の平面概略図、図２１及び図２２の（ａ２）〜（ｅ２）群はシャッタ機構２００の切替動作及び遊技球の流れを説明する説明図である。シャッタ機構２００は、遊技機本体１２が外枠１１に対して閉じた状態から開放される際に、図２１（ａ）→図２１（ｂ）→図２１（ｃ）→図２２（ｄ）→図２２（ｅ）の順に動作する。
【０１３７】
図２１（ａ）に示すように遊技機本体１２を外枠１１に対して閉じた状態においては、外枠側取込ユニット１４０と本体側取込ユニット１６０とが連通し、シャッタ機構２００による遊技球の流下規制は解除された状態となっている。このため、島設備から供給された遊技球は、払出機構７２の回転体１００（詳しくは凹部１００ｂを除く部位）に当接している遊技球を先頭にして、ケースレール９１，本体側取込ユニット１６０，外枠側取込ユニット１４０，連結部材１４９を経由して一列に連なった状態となっている。このため、遊技球の払出しが行われた場合には、逐次遊技球の補給を行うことができ、遊技の円滑な進行が実現されている。
【０１３８】
遊技球の払出しが行われていない場合には、上述した一連の遊技球のうち本体側取込ユニット１６０の上流側開口１６４に係る遊技球の一部（本実施の形態においては凡そ１／３〜１／２程度）が当該上流側開口１６４から突出した状態となっている。なお以下、説明の便宜上、本体側取込ユニット１６０の上流側開口１６４に係る遊技球、すなわち本体側取込ユニット１６０における最上流に位置し上流側開口１６４からその一部が突出している遊技球を第１特定遊技球Ｂ１と称する。
【０１３９】
メンテナンス等の際に遊技機本体１２が閉位置からパチンコ機１０の前方に回動されると、本体側取込ユニット１６０が外枠側取込ユニット１４０から離れる方向に移動することとなる。具体的には、遊技機本体１２の回動中心軸線ＣＬ１を中心とし外枠側取込ユニット１４０の下流側開口１５１を通る仮想円Ｃ１の同下流側開口１５１における接線ＴＬとほぼ同じ方向に本体側取込ユニット１６０が移動し始める。なお実際には、本体側取込ユニット１６０は遊技機本体１２の回動中心軸線ＣＬ１を中心とした円運動を行うため、遊技機本体１２の開放角度が大きくなれば、本体側取込ユニット１６０の移動方向と上述した接線ＴＬの方向とのずれが大きくなる。しかしながら、遊技機本体１２の回動角度が十分に小さい所定の範囲（シャッタ機構２００の動作が行われる範囲）においては、本体側取込ユニット１６０の移動方向は接線ＴＬの方向とほぼ同一となるものである。
【０１４０】
このような本体側取込ユニット１６０の移動に伴って本体側取込ユニット１６０の操作壁部１８０及び操作片１８１が各シャッタ部材２１０，２３０から離れる側に移動し、外枠側取込ユニット１４０の各コイルバネ２２０，２３４の付勢力によって、第１シャッタ部材２１０及び第２シャッタ部材２３０が突出する側に移動する。すなわち、第１シャッタ部材２１０が下側傾斜通路部１４７の通路方向下流側にスライド移動することにより平板部２１１の突出量が増加し、第２シャッタ部材２３０が所定の方向に回動することに基づき当接部２３２が下側傾斜通路部１４７の上流側から下流側に移動し、同当接部２３２の突出量が増加する。
【０１４１】
遊技機本体１２の閉位置からの回動量が所定量に達すると第２シャッタ部材２３０の凸部２３３と外枠側取込ユニット１４０のストッパ部１７６とが当接し、図２１（ｂ）に示すように、先ず第２シャッタ部材２３０の突出量が最大となる。かかる場合、第１シャッタ部材２１０の突出量は平板部２１１上に遊技球を載せることができる程度（本実施の形態においては最大突出量の凡そ半分）に増加し、実質的に下側傾斜通路部１４７が延長されることとなる。つまり、特定遊技球Ｂ１によって下側傾斜通路部１４７内に押し留められていた遊技球（下側傾斜通路部１４７の最下流位置に存在する遊技球）が、自身よりも上流に位置する遊技球列の球圧によって下流側に押されることにより、第１特定遊技球Ｂ１の移動に追従して下流側に移動し、上述した平板部２１１の上面に載った状態となる。そして、平板部２１１に載った後は、平板部２１１の突出に伴って下流側に更に移動することとなる。なお、以下便宜上、下側傾斜通路部１４７の最下流位置に存在し、上述した第１特定遊技球Ｂ１に続く遊技球を第２特定遊技球Ｂ２と称する。
【０１４２】
このように少なくとも第１シャッタ部材２１０（詳しくは平板部２１１）の突出量が最大となる以前は、第２シャッタ部材２３０の当接部２３２と、第２特定遊技球Ｂ２との間には所定の隙間が確保された状態となっており、本体側取込ユニット１６０への遊技球の流入が第１特定遊技球Ｂ１によって抑えられている。
【０１４３】
遊技機本体１２が図２１（ｂ）に示す状態から更に開放されると、本体側取込ユニット１６０の操作片１８１が外枠側取込ユニット１４０の第１壁面部２３６から離間する一方、操作壁部１８０と折曲部２１３との接触は維持されることにより、遊技機本体１２の回動量の増加に合わせて第１シャッタ部材２１０の突出量が増加を続けることとなる。そして、平板部２１１上に位置する第２特定遊技球Ｂ２も同第１シャッタ部材２１０のスライド移動に伴い第１特定遊技球Ｂ１の移動に追従して下流側に移動されることとなる。
【０１４４】
遊技機本体１２の閉位置からの回動量が所定量に達すると、図２１（ｃ）に示すように、第１シャッタ部材２１０の起立部２１２が本体側取込ユニット１６０のストッパ部１７３に当り第１シャッタ部材２１０の突出量も予め定められた最大量に達する。この時点では、平板部２１１上に載置されている第２特定遊技球Ｂ２が本体側取込ユニット１６０から突出している第１特定遊技球Ｂ１に対して当接した状態で保持されており、平板部２１１上に載置されている第２特定遊技球Ｂ２と第２シャッタ部材２３０の当接部２３２との間には隙間が確保された状態となっている。
【０１４５】
図２２（ｄ）に示す状態から更に遊技機本体１２が開放されると、平板部２１１上に載置された第２特定遊技球Ｂ２は平板部２１１に沿って下流側に移動（転動又は摺動）する。これにより、平板部２１１上の第２特定遊技球Ｂ２は第２シャッタ部材２３０の当接部２３２に当り、第２特定遊技球Ｂ２を含む外枠側取込通路１４４内に貯留された全ての遊技球の移動が阻止された状態となる。
【０１４６】
このように両シャッタ部材２１０，２３０に第２特定遊技球Ｂ２が当接することにより、両取込ユニット１４０，１６０の連通状態が解除される。そして、遊技機本体１２が更に開かれることで、両特定遊技球Ｂ１，Ｂ２が離間し、遊技球列が外枠１１側と遊技機本体１２側とで分断された状態となる（図２２（ｅ）参照）。
【０１４７】
一方、外枠１１に対して遊技機本体１２が開放され両取込ユニット１４０，１６０が完全に離間した状態、すなわち両取込通路１４４，１６３が分断されている状態から遊技機本体１２を閉じる際には、シャッタ機構２００が図２２（ｅ）→図２２（ｄ）→図２１（ｃ）→図２１（ｂ）→図２１（ａ）の順に動作することにより遊技球の取り込みが許容されることとなる。
【０１４８】
図２２（ｅ）に示す状態から遊技機本体１２を閉方向に回動させた場合、先ず本体側取込ユニット１６０の上流側開口１６４から当該本体側取込ユニット１６０の外部に突出している遊技球（すなわち前記第１特定遊技球Ｂ１）が、外枠側取込ユニット１４０に貯留され両シャッタ部材２１０，２３０に当接している遊技球（すなわち前記第２特定遊技球Ｂ２）に当たる（図２２（ｄ）参照）。このように特定遊技球Ｂ１，Ｂ２同士が当った時点では、本体側取込ユニット１６０の操作壁部１８０及び第１シャッタ部材２１０の折曲部２１３、本体側取込ユニット１６０の操作片１８１及び第２シャッタ部材２３０の第１壁面部２３６はそれぞれ所定の隙間を隔てて対峙した状態となっている。
【０１４９】
遊技機本体１２が閉位置に向けて更に回動されることに基づいて、外枠側取込ユニット１４０の第２特定遊技球Ｂ２は、本体側取込ユニット１６０の第１特定遊技球Ｂ１によって押され、平板部２１１上を上流側に移動（転動又は摺動）する。これにより第２特定遊技球Ｂ２は、第２シャッタ部材２３０の当接部２３２から離間した状態となる。
【０１５０】
下側傾斜通路部１４７の底板部１５２と第１シャッタ部材２１０の平板部２１１とが段差を形成している。このため、第１特定遊技球Ｂ１によって第２特定遊技球Ｂ２が押された場合には、第２特定遊技球Ｂ２の上流側に隣接し平板部２１１に載っている遊技球が天板部１５３側に持ち上げられやすくなっている。このように上流側の遊技球を移動させることによって第２特定遊技球Ｂ２の上流側への移動スペースが捻出される。これにより、特定遊技球Ｂ１，Ｂ２の支えを生じにくくしている。
【０１５１】
また、このように第１特定遊技球Ｂ１によって第２特定遊技球Ｂ２を押す構成とした場合、第１特定遊技球Ｂ１に加わっている球圧の大きさが極端に大きいと、それら特定遊技球Ｂ１，Ｂ２が支えることで遊技機本体１２を閉じきることが困難となることが懸念される。かかる場合、遊技機本体１２の閉じ動作に伴って発生する衝撃（例えば遊技機本体１２の重量）が取込機構１３０に集中すると想定され、このような集中負荷の発生は取込機構の機能保全の観点から好ましくないと考えられる。この点、本実施の形態においては特に、本体側取込ユニット１６０の上流側開口１６４に、第２特定遊技球Ｂ２と反対側への第１特定遊技球Ｂ１の移動を許容する余裕代を付与している。これにより、第２特定遊技球Ｂ２の移動が困難である場合には第１特定遊技球Ｂ１が積極的に移動することとなり、上述したような特定遊技球Ｂ１，Ｂ２の支えを生じにくい構成を実現している。
【０１５２】
以上詳述したスペースの確保によってもまだ特定遊技球Ｂ１，Ｂ２の支えが解消されない場合であっても、上述した連結部材１４９が変形することによって更なるスペースの確保が可能である。これにより、特定遊技球Ｂ１，Ｂ２の支えは好適に回避されることとなる。
【０１５３】
更に遊技機本体１２を回動させることによって、図２１（ｃ）に示すように、本体側取込ユニット１６０の操作壁部１８０と第１シャッタ部材２１０の折曲部２１３とが当り、第１シャッタ部材２１０が収容部１７０に向けて押されることとなる。このように第１シャッタ部材２１０がスライド移動することによって遊技球の流下規制が解除され両取込ユニット１４０，１６０が連通した状態となる。
【０１５４】
その後、遊技機本体１２が閉位置に到達することによって本体側取込ユニット１６０の操作片１８１及び第２シャッタ部材２３０の第１壁面部２３６が当接し（図２１（ｂ）参照）、第２シャッタ部材２３０が引張コイルバネ２４０の付勢力に抗して回動することとなる。かかる場合、第２シャッタ部材２３０と遊技球とが離間していることにより、第２シャッタ部材２３０の回動が遊技列の球圧によって妨げられることが回避され、円滑な動作が実現されている。
【０１５５】
遊技機本体１２が閉位置に押し込まれることにより、両シャッタ部材２１０，２３０の突出量が減少し、平板部２１１上に載置されていた第２特定遊技球Ｂ２は下側傾斜通路部１４７の底板部１５２上に押し戻されることとなる（図２１（ａ）参照）。
【０１５６】
（パチンコ機１０の電気的構成）
次に、パチンコ機１０の電気的構成について、図２０のブロック図に基づいて説明する。図２０では、電力の供給ラインを二重線矢印で示し、信号ラインを実線矢印で示す。
【０１５７】
主制御装置６３に設けられた主制御基板３０１には、主制御回路３０２と停電監視回路３０３とが内蔵されている。主制御回路３０２には、ＣＰＵ３０４が搭載されている。ＣＰＵ３０４には、当該ＣＰＵ３０４により実行される各種の制御プログラムや固定値データを記憶したＲＯＭ３０５と、そのＲＯＭ３０５内に記憶される制御プログラムの実行に際して各種のデータ等を一時的に記憶するためのメモリであるＲＡＭ３０６と、割込回路やタイマ回路、データ入出力回路などの各種回路が内蔵されている。
【０１５８】
ＣＰＵ３０４には、入力ポート及び出力ポートがそれぞれ設けられている。ＣＰＵ３０４の入力側には、主制御基板３０１に設けられた停電監視回路３０３、払出制御装置８２に設けられた払出制御基板３１１及びその他図示しないスイッチ群などが接続されている。この場合に、停電監視回路３０３には電源及び発射制御装置８３に設けられた電源及び発射制御基板３１５が接続されており、ＣＰＵ３０４には停電監視回路３０３を介して電力が供給される。
【０１５９】
一方、ＣＰＵ３０４の出力側には、停電監視回路３０３、払出制御基板３１１及び中継端子板３１９が接続されている。払出制御基板３１１には、賞球コマンドなどといった各種コマンドが出力される。中継端子板３１９を介して主制御回路３０２から音声ランプ制御装置６６に設けられた音声ランプ制御基板３２１に対して各種コマンドなどが出力される。
【０１６０】
停電監視回路３０３は、主制御回路３０２と電源及び発射制御基板３１５とを中継し、また電源及び発射制御基板３１５から出力される最大電圧である直流安定２４ボルトの電圧を監視する。
【０１６１】
払出制御基板３１１は、払出装置７８により賞球や貸し球の払出制御を行うものである。演算装置であるＣＰＵ３１２は、そのＣＰＵ３１２により実行される制御プログラムや固定値データ等を記憶したＲＯＭ３１３と、ワークメモリ等として使用されるＲＡＭ３１４とを備えている。
【０１６２】
払出制御基板３１１のＣＰＵ３１２には、入出力ポートが設けられている。ＣＰＵ３１２の入力側には、主制御回路３０２、電源及び発射制御基板３１５、及び裏パック基板１１１が接続されている。また、ＣＰＵ３１２の出力側には、主制御回路３０２及び裏パック基板１１１が接続されている。
【０１６３】
電源及び発射制御基板３１５は、電源部３１６と発射制御部３１７とを備えている。電源部３１６は、例えば、遊技場等における商用電源（外部電源）に接続されている。そして、その商用電源から供給される外部電力に基づいて主制御回路３０２や払出制御基板３１１等に対して各々に必要な動作電力を生成するとともに、その生成した動作電力を二重線矢印で示す経路を通じて主制御回路３０２や払出制御基板３１１等に対して供給する。発射制御部３１７は、遊技球発射機構５０の発射制御を担うものであり、遊技球発射機構５０は所定の発射条件が整っている場合に駆動される。
【０１６４】
音声ランプ制御基板３２１は、スピーカユニット５４及び表示制御装置３２５を制御するものである。演算装置であるＣＰＵ３２２は、そのＣＰＵ３２２により実行される制御プログラムや固定値データ等を記憶したＲＯＭ３２３と、ワークメモリ等として使用されるＲＡＭ３２４とを備えている。
【０１６５】
音声ランプ制御基板３２１のＣＰＵ３２２には入出力ポートが設けられている。ＣＰＵ３２２の入力側には中継端子板３１９に中継されて主制御回路３０２が接続されており、主制御回路３０２から出力される各種コマンドに基づいて、スピーカユニット５４及び表示制御装置３２５を制御する。表示制御装置３２５は、音声ランプ制御基板３２１から入力する表示コマンドに基づいて図柄表示装置４１を制御する。
【０１６６】
以上詳述した本実施の形態によれば、以下の優れた効果を奏する。
【０１６７】
島設備から供給される遊技媒体は、取込機構１３０を介してパチンコ機１０側に取り込まれる。取込機構１３０は、外枠１１に設けられた外枠側取込ユニット１４０と遊技機本体１２に設けられた本体側取込ユニット１６０とからなり、遊技機本体１２が外枠１１に対して閉鎖している状態ではそれら各取込ユニット１４０，１６０が連通することにより遊技球の取り込みが許容され、遊技機本体１２が外枠１１に対して開放されている状態ではそれら各取込ユニット１４０，１６０の連通状態が解除されることにより遊技球の取り込みが不可となる。これにより、パチンコ機１０に貯留される遊技球を、外枠１１側と遊技機本体１２側とに分けて保持することができ、遊技機本体１２の重量低減に貢献することが可能となる。そして、遊技機本体１２と外枠１１との連結部分、すなわち上側支持用金具２１や下側支持用突起２２に生じる負担を減らすことができる。
【０１６８】
また、回動可能に支持された遊技機本体１２と外枠１１との相対位置（特に回動先端側での相対位置）は遊技機本体１２の重量や大きさ等に基づいてずれやすくなり、このような位置ずれによって、遊技機本体１２を外枠１１に対して閉じた際にそれら遊技機本体１２と外枠１１とが引っ掛かるといった不都合が生じやすくなる。実際、遊技機本体は図柄表示装置や各種制御装置ユニット等を備えているとともに、当該遊技機本体には多数の遊技球が貯留される。これらの要因により、遊技機本体の総重量が比較的大きなものとなるのが一般的であり、ホール等における遊技機本体の閉作業時には、遊技機本体における回動先端側の下端部が外枠の縁部等に当たって（引っ掛かって）、同遊技機本体の回動が妨げられることが多い。
【０１６９】
この点、本実施の形態に示すように遊技機本体１２に貯留される遊技球を減らすことが可能であれば、遊技機本体１２の総重量を大きく減らすことができ、上述したような遊技機本体１２の傾きを好適に抑制できる。これにより、例えば遊技機本体１２を外枠１１に対して開閉する際に、それら遊技機本体１２と外枠１１とが引っ掛かるといった不都合を生じにくくすることが可能となる。
【０１７０】
更に、従来の遊技機（パチンコ機やパロット）においては、遊技機本体１２が貯留タンクを備える構成が一般的であったが、この貯留タンクを排除することにより、遊技機本体１２の重量低減を促進できる。また近年、遊技演出の多様化等を目的として絵柄表示装置や役物の大型化が進んでおり、上述の如く貯留タンクを廃止することができれば、絵柄表示装置等の配置スペースの確保が容易となる。これにより、絵柄表示装置等の大型化を促進でき、実用上好ましい構成を実現できる。
【０１７１】
取込機構１３０を外枠側取込ユニット１４０と本体側取込ユニット１６０とによって構成した。このように、取込機構１３０を遊技機本体１２側と外枠１１側とに分けて構成することで、遊技機本体１２を回動させる際に、遊技球の流れを許容したり不可としたりする必要が生じる。本実施の形態においては、外枠側取込ユニット１４０に設けられたシャッタ機構２００によって、遊技機本体１２の回動操作に伴って外枠側取込ユニット１４０からの遊技球の流出を阻止する阻止状態と流出を許容する許容状態とを切り替えられる構成とした。これにより、作業者は、遊技機本体１２の開閉を行う度に、遊技球の流下を遮断する等の別途作業を行う必要がなくなり、作業の煩雑化を抑制することが可能となっている。
【０１７２】
外枠側取込ユニット１４０に、当該外枠側取込ユニット１４０内に形成される遊技球列の球圧を減ずる減圧構造を設けた。これにより、両取込ユニット１４０，１６０が離間し上述したシャッタ機構２００によって遊技球の流出が抑えられている場合に、当該シャッタ機構２００に対して過度の球圧が加わることを抑制している。これにより、シャッタ機構２００の保護と、同シャッタ機構２００の動作性の担保とを実現している。
【０１７３】
各取込ユニット１４０，１６０を遊技機本体１２側と外枠１１側とに分けて配置した構成においては、遊技機本体１２と外枠１１との相対位置のずれが各ユニット１４０，１６０の相対位置のずれの要因となり得る。このような位置ずれは、各取込ユニット１４０，１６０間での遊技球の円滑な取り込み（移動）を妨げることとなり好ましくない。この点、本実施の形態においては、各取込ユニット１４０，１６０を遊技機本体１２の回動基端側に配置した（図２等参照）。遊技機本体１２と外枠１１とは回動先端側において相対位置がずれやすくなる一方、回動基端側では相対位置のずれが生じにくくなる。つまり、取込機構１３０を遊技機本体１２の回動基端側に配置することにより、各取込ユニット１４０，１６０の相対位置のずれを抑え、遊技球の取り込みの円滑化に貢献している。
【０１７４】
また、本体側取込ユニット１６０が遊技機本体１２の回動先端側、外枠側取込ユニット１４０が遊技機本体１２の回動基端側となるように配置した。これにより、遊技機本体１２の回動に伴って、本体側取込ユニット１６０は外枠側取込ユニット１４０から離れる方向に移動することとなるため、本体側取込ユニット１６０と外枠側取込ユニット１４０との干渉を回避しやすくでき、外枠側取込通路１４４の出口部分（下流側開口１５１）と本体側取込通路１６３の入口部分（上流側開口１６４）との合わせを好適なものとすることができる。仮に、上述した構成と逆の構成、すなわち外枠側取込ユニットを回動先端側に配置する構成を採用した場合、遊技機本体１２の回動に伴って本体側取込ユニットが移動する際の軌道が、外枠側取込ユニットに対して重なりやすくなる。つまり、遊技機本体１２の回動に伴って、本体側取込ユニットは外枠側取込ユニットに近づく方向に移動し、その後外枠側取込ユニットから離れていくこととなる。このような構成においては本体側取込ユニットと外枠側取込ユニットとの干渉を回避しつつ、外枠側取込ユニットの出口部分と本体側取込ユニットの入口部分の合わせを担保するための構造が必要となり、取込機構に関する構造の煩雑化を生じ得ると想定される。故に、本実施の形態にしめすように本体側取込ユニット１６０が遊技機本体１２の回動先端側、外枠側取込ユニット１４０が遊技機本体１２の回動基端側となるように両取込ユニット１４０，１６０を配置することが好ましい。
【０１７５】
図２０（ｂ）に示したように、各取込ユニット１４０，１６０を遊技機本体１２の回動中心軸線ＣＬ１を中心とする同一の仮想円Ｃ１上に並設した。より具体的には、接線ＴＬ上に外枠側取込ユニット１４０の下流側開口１５１と本体側取込ユニット１６０の上流側開口１６４とを配置し、それら各開口１５１，１６４の向きがパチンコ機１０の平面視において上記接線ＴＬと重なる構成とした。これにより、遊技機本体１２の全回動範囲のうち開放量が比較的小さな所定の範囲では外枠側取込ユニット１４０から流出する遊技球の移動方向と、本体側取込ユニット１６０の移動方向とをパチンコ機１０の平面視において（遊技機本体１２の回動中心軸線ＣＬ１方向から見て）ほぼ同等とすることが可能となっている。これにより、遊技機本体１２が閉位置から回動方向に位置ずれした場合であっても、両取込ユニット１４０，１６０が遊技球の流下経路と交差する方向にずれにくくすることができる。これにより、両取込ユニット１４０，１６０の境界にて遊技球が引っ掛かるといった不都合を生じにくくすることができる。また、両取込ユニット１４０，１６０が離間する際に、それら各取込ユニット１４０，１６０の境界に位置する遊技球が引っ掛かるといった不都合の発生を好適に回避できる。
【０１７６】
外枠側取込ユニット１４０の上側傾斜通路部１４５は左右方向に延びており、連結部材１４９を着脱する際の作業スペースが確保されている。これにより、作業性の担保に貢献している。一方、下側傾斜通路部１４７は前方に傾いて形成されている。これにより、上述したような両取込ユニット１４０，１６０の位置ずれを許容しやすい構成の実現に貢献している。また、上側傾斜通路部１４５，上下通路部１４６，下側傾斜通路部１４７のそれぞれの繋ぎ部分に曲がり部分が形成されている。このため、外枠側取込通路１４４内に形成された遊技球列は、通路壁面に複数箇所で当たることとなり、球圧の分散が好適に実現されている。特に、上下通路部１４６の最下流部位１４６ａと下側傾斜通路部１４７の最上流部位１４７ａとが前後にずれていることにより、下側傾斜通路部１４７よりも上流に位置する遊技球の球圧が、同下側傾斜通路部１４７内に形成された遊技球列に伝わりにくくなっている。これにより、遊技球を介して伝わる圧力が外枠側取込通路１４４内で好適に分散されることとなり、島設備から連なる遊技球列の影響が下流側開口１５１付近にまで及ぶことが好適に抑制されている。
【０１７７】
本実施の形態においては特に、上側傾斜通路部１４５に対して下側傾斜通路部１４７を折り曲げることで外枠側取込ユニット１４０の小型化が図られている。このように外枠側取込ユニット１４０を小型化することによって取込機構１３０全体をコンパクトにまとめることで、遊技機本体１２の回動中心軸線ＣＬ１と取込機構１３０との配置を近づけることが可能となっている。これにより、上側支持用金具２１等に加わる負担の低減に貢献している。
【０１７８】
シャッタ機構２００は、複数のシャッタ部材２１０，２３０によって構成されている。１のシャッタ部材によって遊技球の流下を阻止する構成と比べて、各シャッタ部材２１０，２３０の動作量（移動量）を小さくすることができる。これにより、遊技機本体１２の回動操作に対する応答性を高め、阻止状態への移行をスムーズに行うことが可能となる。また、複数のシャッタ部材２１０，２３０を用いることにより、遊技球を介して加わる重量負荷を好適に分散することができる。
【０１７９】
外枠側取込通路１４４は、遊技球の流れの円滑化等を考慮して同遊技球よりも若干大きく形成されている。しかしながら、このような余裕代の設定により、遊技球の流れの円滑化等に貢献できる反面、遊技球の流れ（流下経路）にばらつきが生じやすくなる。特に、本実施の形態では遊技球が傾斜に沿って転動する構成であるため、上下方向及び流下方向の前後方向へのばらつきの発生頻度は高くなる。仮に、両シャッタ部材を下側傾斜通路部１４７の前後両側に配置する構成とした場合、阻止状態への移行に際し、先ず遊技球がどちらのシャッタ部材に対して当たるかを特定するのは困難になると想定される。遊技球が最初に当たる側のシャッタ部材の強度を下げることは好ましくないため、結果として両シャッタ部材の強度を担保する必要が生じる。この点、本実施の形態に示すように各シャッタ部材２１０，２３０を上下に配置すれば、上下方向における遊技媒体のばらつきは小さいため、所望とするシャッタ部材に遊技球を当てることができ、強度を無駄に強くする必要がなくなる。また、上下に配置することで、各シャッタ部材２１０，２３０の役割を異なるものとすることが可能となっている。
【０１８０】
シャッタ機構２００によって遊技球の流出が規制されている状態においては、両シャッタ部材２１０，２３０に当接している第1特定遊技球Ｂ１が、平板部２１１上に位置している。平板部２１１は底板部１５２から段差状に下っているため、第1特定遊技球Ｂ１に続く遊技球は第1特定遊技球Ｂ１の中心よりも上側に接触することとなる。このため、仮に上流側からの球圧が大きくなっても、第1特定遊技球Ｂ１に続く遊技球が上方に持ち上げられて天板部１５３に当たることとなる。これにより、シャッタ機構２００に対して負荷が集中することを回避できる。
【０１８１】
シャッタ機構２００の各シャッタ部材２１０，２３０に所定の動作順序を設定した。すなわち、先ず遊技球の流下経路から離れた位置に第２シャッタ部材２３０が突出し、その後第１シャッタ部材２１０の突出量が最大となる構成とした。第１シャッタ部材２１０によって流下経路が延長され、この延長された先に第２シャッタ２３０が突出した状態で待ち構えることとなる。第２シャッタ部材２３０は遊技の列が形成される領域に割り込みにくくできる。このため、第２シャッタ部材２３０に遊技球が挟まることにより当該第２シャッタ部材２３０の動作が阻害されたり、可変通路部２５０に位置する遊技球が外枠側取込通路１４４及び本体側取込通路１６３のどちらの通路に配分されるかが区々になったりするといった不都合を生じにくくできる。
【０１８２】
また、第１シャッタ部材２１０を下側傾斜通路部１４７の底板部１５２に沿って突出させ、この突出に合わせて遊技球を移動させる構成とした。これにより、第１シャッタ部材２１０に遊技球が挟まるといった不都合が生じにくくなっている。
【０１８３】
遊技機本体１２の回動に合わせてシャッタ機構を動作させる構成とした場合、両取込ユニット１４０，１６０が離間すると同時又はそれよりも前にシャッタ機構の動作が終了していることが望ましい。しかしながら、遊技機本体１２の回動開始と同時にシャッタ機構
による阻止がなされる構成とすれば、遊技球列における分断が困難な部分にシャッタ機構が割り込むことにより同シャッタ機構に遊技球が挟まって動作が確実に行われなくなったり、両取込ユニット１４０，１６０の境界に位置する遊技球がそれら両取込ユニット１４０，１６０のどちら側に位置するかが不安定になり遊技球の零れが発生しやすくなったりするといった不都合が生じると想定される。この点、本実施の形態においては、遊技機本体１２が解放される際には、本体側取込ユニット１６０の上流側開口１６４から突出した第１特定遊技球Ｂ１によって、当該第１特定遊技球Ｂ１に後続する遊技球（例えば第２特定遊技球Ｂ２）が遊技機本体１２の移動速度に合わせて徐々に移動するように規制されており、この遊技球の移動に合わせて第１シャッタ部材２１０による通路の延長が行われることとなる。これにより、通路が延長されている状態においては遊技球の流出を完全に阻止する必要がなくなり、シャッタ機構２００の動作に対して若干の猶予が与えられることとなる。故に、上述したように遊技球列における分断が困難な部分への割り込みを回避することができ、遊技球列を無理に分断する必要がなくなる。これにより、シャッタ機構２００（詳しくは第２シャッタ部材２３０）の動作に伴う遊技球の零れを好適に抑制できる。
【０１８４】
第２シャッタ部材２３０の当接部２３２は、当該第２シャッタ部材２３０の回動中心軸線ＣＬ２からの距離が一定となる曲面状（回動中心軸線ＣＬ２と直交する断面が円弧状）をなしている。これにより、当接部２３２に対して遊技球が当っている状態では、遊技球の球圧は第２シャッタ部材２３０の回動中心軸線ＣＬ２すなわち軸部１７５に伝わることとなる。このため、球圧によって第２シャッタ部材２３０が回動するといった不都合を生じにくくすることができ、第２シャッタ部材２３０と遊技球とのかみ込みを抑制できる。これにより、流下規制を解除する際の第２シャッタ部材２３０の動作が妨げられることを回避できる。
【０１８５】
また、第２シャッタ部材２３０が阻止状態に切り替えられる際には、当接部２３２の最大突出部位は、上流側から下流側に移動しながらその突出量が徐々に増加する構成となっている。このように、遊技球の流れに沿わせながら突出量を増加させることにより、仮に遊技球の列へ、第２シャッタ部材２３０（詳しくは当接部２３２）が割り込んだ場合であっても、当接部２３２と遊技球とが支えるといった不都合を生じにくくすることができる。
【０１８６】
なお、当接部２３２が上流側に凸となる曲面状をなし、その突出量が上流側から下流側に向けて徐々に増加する構成であることで、仮に当接部２３２が遊技球の列に割り込んだ場合、当接部２３２に沿って遊技球の一部が上流側に押し戻されることとなる。これにより、第２シャッタ部材２３０の動作スペースが確保される。特に、第２シャッタ部材２３０は回転動作により突出量が変化する構成であるため、当接部２３２に加わる球圧が大きくなった場合であっても、規制解除位置に押し戻されるといった不都合が生じることはない。
【０１８７】
当接部２３２を第２シャッタ部材２３０の回動中心軸線ＣＬ２からの距離が一定となる曲面状に形成し、第２シャッタ部材２３０の回動中心軸線ＣＬ２が下側傾斜通路部１４７の通路方向と直交する方向に延びる構成とした。当接部２３２に遊技球が当接している場合、球圧は当接部２３２から軸部１７５に真っ直ぐ伝達される。これにより、当接部２３２と回動中心軸線ＣＬ２とが離れていることに起因する軸部への負担の増加（すなわち応力の発生）を抑えることができる。
【０１８８】
シャッタ機構２００に当接している第２特定遊技球Ｂ２は、第２シャッタ部材２３０によって下方へ押さえられている。このため、後続する遊技球を介して球圧が加わっても、第２特定遊技球Ｂ２が浮き上がることはない。これにより、阻止状態が解除された際には、第２特定遊技球Ｂ２が下流側に向けて円滑に流下することとなり、両取込ユニット１４０，１６０の境界付近での遊技球の暴れを抑制することが可能となっている。
【０１８９】
第２特定遊技球Ｂ２はシャッタ機構２００に当接している状態において、下流側に突出する構成とした。遊技機本体１２を閉位置に向けて回動すると、本体側取込ユニット１６０の上流側開口１６４から突出した第１特定遊技球Ｂ１が第２特定遊技球Ｂ２に接触し、シャッタ機構２００の動作に先んじて外枠側取込ユニット１４０内（主として下側傾斜通路部１４７内）に貯留された遊技球を上流側へ押し上げられることとなる。これにより、第２特定遊技球Ｂ２が第２シャッタ部材２３０の当接部２３２から離間することとなり、第２シャッタ部材２３０の回動が円滑に行われることとなる。これにより、シャッタ機構２００の切り替えを好適に実施できる。
【０１９０】
また、第１シャッタ部材２１０の平板部２１１は底板部１５２に対して段差状に下っている。このため、第２特定遊技球Ｂ２に後続する遊技球は、第２特定遊技球Ｂ２が上流側に押し込まれることで、上方に移動する。これにより、第２特定遊技球Ｂ２の移動スペースが確保される。つまり、底板部１５２と平板部２１１との段差部分によって、第２特定遊技球Ｂ２の移動スペースの確保を容易化し、大きな力を必要とすることなく、第２シャッタ部材２３０と第２特定遊技球Ｂ２とを引き離すことが可能となっている。
【０１９１】
更には、本体側取込ユニット１６０の上流側開口１６４は上流側通路部１６６に対して拡張されており、第１特定遊技球Ｂ１が突出状態を維持したまま第２特定遊技球Ｂ２から離れる方向に移動可能となっている。本実施の形態においては、遊技機本体１２を閉じた際に、第１特定遊技球Ｂ１によって第２特定遊技球Ｂ２を上流側に押す構成とし、上述した段差部分により第２特定遊技球Ｂ２の移動スペースを確保する構成とした。しかしながら、島設備から連なる遊技球の球圧が想定される以上に大きい場合には、第２特定遊技球Ｂ２に後続する遊技球が予め上方に浮き上がっている可能性がある。かかる場合、第２特定遊技球Ｂ２の移動スペースの確保が困難となり、両特定遊技球Ｂ１，Ｂ２が支えることで、両取込ユニット１４０，１６０の連通が阻害され得る。この点、上述の如く第１特定遊技球Ｂ１の移動スペースを確保しておくことで、両特定遊技球Ｂ１，Ｂ２の支えは好適に回避される。
【０１９２】
取込通路を遊技機本体１２側と外枠１１側とに分けて設ける構成においては、遊技機本体１２と外枠１１との相対位置のずれに起因して外枠側取込通路１４４の下流側開口１５１と本体側取込通路１６３の上流側開口１６４とがずれるおそれがある。このような位置ずれは、遊技球の流下を妨げる要因となるため好ましくない。本実施の形態においては特に、第２シャッタ部材２３０の突出量を遊技機本体１２が閉じた状態においては小さくすることができ、外枠側取込通路１４４の下流側開口１５１から本体側取込通路１６３の上流側開口１６４への遊技球の移動を妨げにくくなっている。これにより、第２シャッタ部材２３０を固定式とする構成に比べて、外枠側取込通路１４４の下流側開口１５１と本体側取込通路１６３の上流側開口１６４との境界の広がりを担保し、上述した遊技機本体１２と外枠１１との位置ずれを許容しやすくすることができる。
【０１９３】
（第２の実施の形態）
本実施の形態では、外枠側取込ユニットに設けられた遊技球の流下経路の変更に関する構成が上記第１の実施の形態と異なっている。そこで以下、図２４に基づき流下経路の変更に関する構成、詳しくは流下経路を変更する変更手段について説明する。図２４（ａ）は変更手段を示す斜視図、図２４（ｂ）は外枠側取込ユニットと本体側取込ユニットとが連通した状態での流下経路を示す概略図であり、図２４（ｃ）は、外枠側取込ユニットと本体側取込ユニットとが離間した状態での流下経路を示す概略図である。なお、変更手段以外の各種構成については上記実施の形態と同様であるため、詳細な説明は省略する。
【０１９４】
外枠側取込ユニット３７０（外枠側取込通路３７１）は、上述した第１の実施の形態と同様に、下側傾斜通路部３７２を備えており、その下側傾斜通路部３７２には本体側取込ユニット３９０（本体側取込通路３９１）の上流側開口３９２に連なる下流側開口３７３が形成されている。
【０１９５】
図２４（ａ）に示すように、外枠側取込ユニット３７０には、下流側開口３７３の上流にて当該下流側開口３７３に向かう遊技球の流下経路を変化させる変更手段４００が設けられている。
【０１９６】
変更手段４００は、下側傾斜通路部３７２を形成している前板部３７６側及び後板部３７７側に個別に取り付けられた複数の可動部材４１０，４２０を有している。前板部３７６及び後板部３７７には、各可動部材４１０，４２０に対応して内外に貫通する開口３７８，３７９が形成されている。可動部材４１０，４２０は、これら開口３７８，３７９を介して移動することにより、下側傾斜通路部３７２に対して出没可能な構成となっている。
【０１９７】
それら各開口３７８，３７９における下流側開口３７３と反対側の縁部には、下側傾斜通路部３３１の通路方向と直交し上下に延びる円柱状の軸ピン３８０，３８１が設けられており、それら各軸ピン３８０，３８１が可動部材４１０，４２０に形成されている軸受け孔４１１，４２１に嵌まることにより、両可動部材４１０，４２０が個別に軸支された状態となっている。つまり、両可動部材４１０，４２０は、各軸ピン３８０，３８１の中心軸線ＣＬ３，ＣＬ４を中心として回動可能となっている。以下便宜上、前板部３７６側の可動部材４１０を「第１可動部材４１０」と称し、後板部３７７側の可動部材４２０を「第２可動部材４２０」と称する。
【０１９８】
第１可動部材４１０と第２可動部材４２０とは、一部を除き同様の構成を有するため、先ず第１可動部材４１０について説明し、その後、それら各可動部材４１０，４２０の相違点を中心に第２可動部材４２０について説明する。
【０１９９】
図２４に示すように、第１可動部材４１０は、軸ピン３８０の回動中心軸線ＣＬ３に沿って延びる柱状をなしており、回動中心軸線ＣＬ３と直交する断面が略扇状をなすように形成されている。そして、第１可動部材４１０は、扇状の弧の部分を構成し回動中心軸線ＣＬ３からの距離が一定となるように形成された曲面部４１２が下流側開口３７３側を向くように配置されている。第１可動部材４１０の外周面には、回動中心軸線ＣＬ３に平行で且つ下側傾斜通路部３３１の内方（後板部３７７側）を向いた内側壁部４１３と、同じく回動中心軸線ＣＬ３に平行で且つ下側傾斜通路部３３１の外側を向いた外側壁部４１４とが曲面部４１２を介して連続するように形成されており、第１可動部材４１０が回動することによって下側傾斜通路部３３１（前板部３７６）に対する内側壁部４１３の突出量が増減する構成となっている。
【０２００】
第１可動部材４１０の軸受け孔４１１（詳しくは回動中心軸線ＣＬ３）は、当該第１可動部材４１０の上流側の端部に偏倚して配置されている。これにより、第１可動部材４１０の回動に基づく、当該第１可動部材４１０の回動基端側（上流側）における内側壁部４１３の突出量の変化を抑えつつ、当該第１可動部材４１０の回動先端側（下流側）における内側壁部４１３の突出量の変化を大きくすることが可能となっている。つまり、内側壁部４１３の突出量を上流側から下流側へ徐々に大きくすることで、当該内側壁部４１３に沿って遊技球の流れを円滑に変化させることが可能となっている。
【０２０１】
外枠側取込ユニット３３０には、内側壁部４１３の突出を抑える側へ第１可動部材４１０を付勢する付勢部材としての捻りコイルバネ（図示略）が設けられている。第１可動部材４１０は、この捻りコイルバネにより突出しない側に向けて常時付勢された状態となっている。なお、付勢部材は、捻りコイルバネに限定されるものではなく、圧縮コイルバネや引張コイルバネ等の他のコイルバネを用いてもよいし、板バネ等を用いてもよい。
【０２０２】
外枠側取込ユニット３７０の前板部３７６には、第１可動部材４１０が前記捻りコイルバネの付勢力によって回動し、当該第１可動部材４１０が所定の位置に到達した場合に、第１可動部材４１０の外側壁部４１４に対して当接することにより第１可動部材４１０の回動を規制する規制部３８６が形成されている。言い換えれば、規制部３８６によって内側壁部４１３の突出量が最小（具体的には０）となるように第１可動部材４１０の位置が規定されている。なお、内側壁部４１３は、このように突出量が最小となるように抑えられた状態にて前板部３７６の内面と同一平面上に位置するように形成され、すなわち前板部３７６の内面に対して面一となるように形成され、遊技球の流れを阻害しにくい構成となっている。因みに、内側壁部４１３が曲面状をなす構成とすることも可能である。
【０２０３】
また、第１可動部材４１０には、本体側取込ユニット３９０に形成され外枠側取込ユニット３７０に向けて延びる操作片３９３に当接することにより、内側壁部４１３が突出する側に第１可動部材４１０を回動させる案内部４１５が形成されている。
【０２０４】
案内部４１５は、天板部３７５に形成されたスリット３８８を介して当該天板部３７５から突出しており、その突出した部分には前記捻りコイルバネによって付勢されている側を向き操作片３９３の移動経路（詳しくは第１の実施の形態に示した接線ＴＬ）に対して斜めに交差するように形成された傾斜面４１６が形成されている。この傾斜面４１６を操作片３９３が押すことにより、第１可動部材４１０が捻りコイルバネの付勢力に抗して回動することとなる。
【０２０５】
外枠側取込ユニット３７０と本体側取込ユニット３９０とが連通している状態では、操作片３９３と案内部４１５とによって第１可動部材４１０の最大突出位置（すなわち内側壁部４１３の最大突出量）が規定される。より詳しくは、第１可動部材４１０の最大突出位置は、下側傾斜通路部３７２の通路幅を、すなわち両可動部材４１０，４２０の間隔を遊技球の通過が許容される程度（遊技球の直径よりも若干大きい程度）に狭めるように設定されている。
【０２０６】
ここで、図２４（ｂ），（ｃ）に基づき第１可動部材４１０の動作について簡単に説明する。図２４（ｂ）に示すように、外枠側取込ユニット３７０と本体側取込ユニット３９０とが連通している状態においては、第１可動部材４１０の案内部４１５（詳しくは傾斜面４１６）が操作片３９３によって押され、内側壁部４１３が最大突出位置に配置されている。外枠側取込ユニット３７０と本体側取込ユニット３９０とが離間することに伴って、操作片３９３と案内部４１５（傾斜面４１６）と相対位置が変化し、前記捻りコイルバネの付勢力によって第１可動部材４１０が回動することとなる。第１可動部材４１０の回動量が所定の値に達すると、操作片３９３と案内部４１５との離間に同期して、外側壁部４１４が規制部３８６に当たる。これにより、第１可動部材４１０の回動が規制され、第１可動部材４１０が突出しない位置に配置される（図２４（ｃ）参照）。
【０２０７】
上述した第２可動部材４２０についても第１可動部材４１０と同様に、曲面部４２２，内側壁部４２３及び外側壁部４２４を有しており、内側壁部４２３は第１可動部材４１０の内側壁部４１３と所定の間隔を隔てて対峙している。つまり、対峙する各可動部材４１０，４２０の内側壁部４１３，４２３によって下側傾斜通路部３７２の一部（特定通路領域ＰＥ）が形成されている。また、第１可動部材４１０と同様に、付勢部材としての捻りコイルバネ（図示略）が取り付けられているが、第２可動部材４２０においては、捻りコイルバネによる付勢が第１可動部材４１０と逆となるように構成されている。すなわち、第２可動部材４２０は内側壁部４２３が下側傾斜通路部３７２に対して突出するように付勢されている。
【０２０８】
また、第２可動部材４２０には、当該第２可動部材４２０が前記捻りコイルバネの付勢力によって所定の位置に移動した場合に後板部３７７に当接することにより付勢されている側への更なる回動を規制する規制部４２７が形成されている。すなわち、第２可動部材４２０の最大突出位置（すなわち内側壁部４２３の突出量）が規制部４２７によって規定されている。
【０２０９】
更には、第２可動部材４２０には、第１可動部材４１０の案内部４１５と同様に、本体側取込ユニット３９０に形成された操作片３９４に対応する案内部４２５が、天板部３７５に形成されたスリット３８９から突出するように形成されている。
【０２１０】
ここで、図２４（ｂ），（ｃ）に基づき第２可動部材４２０の動作について簡単に説明する。図２４（ｂ）に示すように、外枠側取込ユニット３７０と本体側取込ユニット３９０とが連通している状態においては、第２可動部材４２０の案内部４２５（詳しくは傾斜面４２６）が操作片３９４によって押され、内側壁部４２３が後板部３７７の内面と同一面上となる位置に配置されている。外枠側取込ユニット３７０と本体側取込ユニット３９０とが離間することによって、操作片３９４と案内部４２５（傾斜面４２６）と相対位置が変化し、前記捻りコイルバネの付勢力に基づき第２可動部材４２０が回動することとなる。第２可動部材４２０の回動量が所定の値に達すると、操作片３９４と案内部４２５との離間に同期して、規制部４２７が後板部３７７に当たり、当該第２可動部材４２０の回動が規制される（図２４（ｃ）参照）。これにより、第２可動部材４２０が最大突出位置に配置された状態となる。
【０２１１】
以上詳述したように、可動部材４１０，４２０が回動することによって、遊技球の流下経路が変更されることとなる。
【０２１２】
可動部材４１０，４２０の下流側には、上述した下流側開口３７３が設けられている。下流側開口３７３は、下側傾斜通路部３２７に対して狭くなるように形成されている。具体的には、前板部３７６の下流側の端部には底板部３７４及び天板部３７５に連なり出口部分の一部を遮蔽する板状の遮蔽部４３０が形成されており、この遮蔽部４３０によって、下流側開口３７３を複数の遊技球が同時に通過できないように、すなわち形成される遊技球の列が複数にならないように規制されている。より詳細には、遮蔽部４３０は、その内面（下側傾斜通路部３７２の上流側を向いた板面）が下側傾斜通路部３７２の通路方向と直交するように形成されている。なお、遮蔽部４３０の内面は下側傾斜通路部３７２の通路方向に対して必ずしも直交させる必要は無く、例えば通路上流側に凸となる曲面状をなすように形成することも可能である。
【０２１３】
遮蔽部４３０は、上述した第１可動部材４１０が突出しない位置に配置され且つ第２可動部材４２０が最大突出位置に配置されることによって規定される遊技球の流下経路の最下流領域に配置され、各可動部材４１０，４２０に当接している遊技球が当たることによりそれら可動部材４１０，４２０によって規定された流下経路を辿る遊技球が下流側開口３７３から流出しないように形成されている。また、遮蔽部４３０は、第１可動部材４１０が最大突出位置に配置され且つ第２可動部材４２０が突出しない位置に配置されることによって規定される遊技球の流下経路の最下流領域に対して干渉しない領域に配置され、それら可動部材４１０，４２０によって規定された流下経路を辿る遊技球の移動（流出）を妨げないように形成されている。言い換えれば、遮蔽部４３０は、第１可動部材４１０が最大突出位置に配置されている状態での内側壁部４１３に対して下側傾斜通路部３７２の通路方向視で当該遮蔽部４３０のほぼ全域が重なるように形成されている。つまり、遮蔽部４３０の前板部３７６からの突出量は、内側壁部４１３の最大突出量よりも小さくさるように設定されている。これにより、遊技球の流出を許容する状態においては、内側壁部４１３の下流側に遮蔽部４３０が隠れることとなり、同遮蔽部４３０の上流側に位置する遊技球が当該遮蔽部４３０に対して引っ掛かりにくくなっている。
【０２１４】
また、遮蔽部４３０は、最大突出位置に配置された第２可動部材４２０の内側壁部４２３との間に隙間が生じるように形成されている。そして、この隙間を介して遊技球の一部を露出させるように構成されている。上述した隙間から露出した遊技球の一部は、第１の実施の形態と同様に、本体側取込通路３９１の上流側開口３９２から突出した遊技球と当接可能となっている。なお、本体側取込ユニット３９０（本体側取込通路３９１）の上流側開口３９２は、上述した下流側開口３７３とほぼ同等の大きさを有するように形成されており、両取込ユニット３７０，３９０が連通している状態においては、上述した遮蔽部４３０と上流側開口３９２の縁部とが当接するように構成されている。
【０２１５】
ここで、上述した操作片３９３，３９４及び案内部４１５，４２５と、前記隙間から露出した遊技球及び上流側開口３９２から突出した遊技球との相互関係について説明する。遮蔽部４３０及び第２可動部材４２０によって遊技球の流出が阻止され、且つそれら遮蔽部４３０及び内側壁部４２３に当接している遊技球と上流側開口３９２から突出している遊技球とが当接している状態において、操作片３９３及び案内部４１５は所定の間隔を隔てて対峙するように構成されている。操作片３９４及び案内部４２５についても同様に、所定の間隔を隔てて対峙するように構成されている。
【０２１６】
以下、上述した操作片３９３や案内部４１５等の位置関係を踏まえて、遊技機本体１２の外枠１１に対する開閉操作に基づく変更手段４００の動作について説明する。
【０２１７】
遊技機本体１２が外枠１１に対して閉鎖されている状態においては、図２４（ｂ）に示すように、外枠側取込ユニット３７０（詳しくは外枠側取込通路３７１）の下流側開口３７３と本体側取込ユニット３９０（詳しくは本体側取込通路３９１）の上流側開口３９２とが連通している。かかる状態では、本体側取込ユニット３９０の操作片３９３，３９４によって各可動部材４１０，４２０の案内部４１５，４２５が押えられ、第１可動部材４１０は突出する位置に、そして第２可動部材４２０は突出しない位置にそれぞれ配置され、それら各可動部材４１０，４２０の内側壁部４１３，４２３によって規定される遊技球の流下経路が外枠側取込通路３７１の下流側開口３７３に連なっている。このため、外枠側取込通路３７１を流下する遊技球が、両可動部材４１０，４２０の内側壁部４１３，４２３に沿って下流側開口３７３に導かれている。このように、第１可動部材４１０が最大突出位置に配置されている状態においては、遮蔽部４３０と遊技球の流下経路との干渉が回避されており、外枠側取込ユニット３７０から本体側取込ユニット３９０への遊技球の受け渡しが担保されている。
【０２１８】
遊技機本体１２が外枠１１に対して開放された場合、本体側取込ユニット３９０の操作片３９３，３９４が外枠側取込ユニット３７０から離れる側に移動する。これに基づいて、前記捻りコイルバネの付勢力により第１可動部材４１０は突出量が減少する側に、そして第２可動部材４２０は突出量が増加する側に回動することとなる。このような両可動部材４１０，４２０の回動に伴って、特定通路領域ＰＥに位置している遊技球（例えば後述する第２特定遊技球Ｂ２）が第２可動部材４２０の内側壁部４２３に押されて第１可動部材４１０の内側壁部４１３側（前板部３７６側）に寄る。両可動部材４１０，４２０は各内側壁部４１３，４２３の間隔をほぼ一定に保ちながら同期して移動し、内側壁部４１３側に押された遊技球は、内側壁部４１３が移動することによって生じたスペースを辿り内側壁部４２３に追従して移動することとなる。また、このように各可動部材４１０，４２０が回動する際には、本体側取込ユニット３９０の上流側開口３９２から突出している第１特定遊技球Ｂ１と、その第１特定遊技球Ｂ１に後続する第２特定遊技球Ｂ２との当接状態が維持されることとなる。
【０２１９】
そして、第１可動部材４１０の外側壁部４１４が規制部３８６に当たることによって第１可動部材４１０の回動が規制され、これと同期して第２可動部材４２０の規制部４２７が後板部３７７に当たることによって第２可動部材４２０の回動も規制される。遊技機本体１２が更に開放されることによって、操作片３９３が案内部４１５から離間するとともに、操作片３９４が案内部４２５から離間し、その後、第１特定遊技球Ｂ１に追従して流下していた第１特定遊技球Ｂ２が遮蔽部４３０に当ることで、当該第２特定遊技球Ｂ２及びその上流側に連なる遊技球の流出が阻止されることとなる。このように第２特定遊技球Ｂ２の移動が阻止されることで、当該第２特定遊技球Ｂ２の第１特定遊技球Ｂ１に追従した移動は規制され、遊技機本体１２の開放に伴って第１特定遊技球Ｂ１と第２特定遊技球Ｂ２とが離間することとなる。すなわち、図２４（ｃ）に示すように、両取込ユニット３７０，３９０が分離した状態となる。
【０２２０】
図２４（ｃ）に示すように遊技機本体１２が外枠１１に対して開放されている状態から、遊技機本体１２が閉じられる場合には、本体側取込ユニット３９０の上流側開口３９２から突出している第１特定遊技球Ｂ１が外枠側取込ユニット３７０の下流側開口３７３から露出している第２特定遊技球Ｂ２に当接する。遊技機本体１２が閉位置に向かって移動することにより、第１特定遊技球Ｂ１に押されて第２特定遊技球Ｂ２が上流側に移動し、第２特定遊技球Ｂ２と遮蔽部４３０とが離間することとなる。すなわち、第２特定遊技球は、両回動中心軸線ＣＬ３，ＣＬ４に近づくように移動する。第２特定遊技球Ｂ２が遮蔽部４３０から離間した後、本体側取込ユニット３９０の操作片３９３，３９４が各可動部材４１０，４２０の案内部４１５，４２５に当接し、それら操作片３９３，３９４によって各案内部４１５，４２５が押されることにより、各可動部材４１０，４２０が捻りコイルバネの付勢力に抗して回動することとなる。
【０２２１】
具体的には、第１可動部材４１０が最大突出位置に向けて移動するとともに、第２可動部材４２０が突出しない位置に向けて移動することとなる。これにより、両可動部材４１０，４２０の内側壁部４１３，４２３の間（すなわち特定通路領域ＰＥ）に位置する遊技球（例えば第２特定遊技球Ｂ２）は、第１可動部材４１０の内側壁部４１３に押されて第２可動部材４２０の内側壁部４２３側（後板部３７７側）に寄る。両可動部材４１０，４２０は各内側壁部４１３，４２３の間隔をほぼ一定に保ちながら同期して移動し、内側壁部４１３側に押された遊技球は、内側壁部４１３が移動することによって生じたスペースを辿り内側壁部４２３に追従して移動することとなる。
【０２２２】
遊技機本体１２が閉位置に到達することに同期して、第１可動部材４１０の内側壁部４１３の突出量が最大となり、第２可動部材４２０の内側壁部４２３の突出量が最少となる。これにより、遊技球の流下経路と遮蔽部４３０との干渉が回避され、遊技球が下流側開口３７３を通過可能となる。
【０２２３】
以上詳述した本実施の形態によれば、以下の優れた効果を奏する。
【０２２４】
両可動部材４１０，４２０が回動することにより、外枠側取込通路３７１を流下する遊技媒体の流下経路が変更される。第１可動部材４１０が突出しない位置に配置され、且つ第２可動部材４２０が最大突出位置に配置されることに基づき遊技球が案内されることとなる領域にて遮蔽部４３０と遊技球とが当接する構成とした。すなわち、流下経路が変更されることで遊技球が到達する領域に遮蔽部４３０を予め待機させる構成とした。予め待機している遮蔽部４３０に向けて遊技球が移動するため、当該遮蔽部４３０を遊技球の列に対して無理に割り込ませる必要がなくなる。これにより、遮蔽部４３０と遊技球とのつかえを回避しやすくでき、遊技球の流下が阻止されている状態（阻止状態）と、遊技球の流下が阻止されていない状態（阻止解除状態）とを好適に切り替えることができる。
【０２２５】
第１可動部材４１０が最大突出位置に配置されている場合には、遮蔽部４３０よりも上流側に位置する遊技球の当該遮蔽部４３０に対する接触を内側壁部４１３によって抑える構成とした。これにより、遮蔽部４３０を、当該遮蔽部４３０に対して当接した遊技球の流出を積極的に抑える構成とすることが可能となっている。仮に、阻止解除状態において遮蔽部４３０と当該遮蔽部４３０よりも上流側に位置する遊技球とを積極的に接触させる構成とした場合、遮蔽部４３０と遊技球との引っ掛かりを回避し遊技球の円滑な流出を実現するための機能、詳しくは遊技球を下流側開口３７３へと導くための傾斜等を遮蔽部４３０に付与する必要が生じ得る。このような変更は、遊技球の流出を阻止するという遮蔽部４３０本来の機能を低下させる要因となり得るため好ましくない。
【０２２６】
この点、本実施の形態に示すように、遊技球の阻止解除状態において第１可動部材４１０（詳しくは内側壁部４１３）によって遮蔽部４３０を隠す構成とすれば、阻止解除状態での遊技球との引っ掛かりを抑えるための機能を遮蔽部４３０に対して付与する必要が無くなる。これにより、遮蔽部４３０による遊技球の流出阻止機能を強化することが可能となっている。つまり、遮蔽部４３０（詳しくはその内面）を下側傾斜通路部３７２の通路方向と直交させる構成とすることで、当該遮蔽部４３０の内面に沿って遊技球が下流側に移動することを抑制しつつ、すなわち阻止状態での遊技球の通り抜けを好適に回避しつつ、内側壁部４１３によって阻止解除状態での球詰まりの発生を好適に抑制している。
【０２２７】
また、内側壁部４１３，４２３は下流側に向けて徐々に突出量が増加する構成としたことにより、前板部３７６や後板部３７７に沿って流下する遊技球の流下経路を円滑に変更することが可能となっている。更には、各可動部材４１０，４２０の回動基端側における各内側壁部４１３，４２３と板部３７６，３７７と境界部位にて段差が生じにくくなっており、内側壁部４１３，４２３の上流側の端部に遊技球が引っ掛かるといった不都合が好適に抑制されている。
【０２２８】
また、第１可動部材４１０が突出しない位置に配置されている状態においては、第１可動部材４１０の内側壁部４１３及び前板部３７６が面一となる構成とした。これにより、遊技球の流下を妨げにくくなっている。同様に、第２可動部材４２０が突出しない位置に配置されている状態においては、第２可動部材４２０の内側壁部４２３及び後板部３７７が面一となることで、遊技球の流下を妨げにくくなっている。
【０２２９】
第２可動部材４２０及び遮蔽部４３０を、第２可動部材４２０の内側壁部４２３に対して遮蔽部４３０が下流側となるように配置した。これにより、第２可動部材４２０が最大突出位置に移動する際に、遮蔽部４３０との間に遊技球がつかえることで、当該第２可動部材４２０の動作が妨げられるといった不都合を好適に抑制している。
【０２３０】
遊技機本体１２が開放される場合には、本体側取込ユニット３９０の上流側開口３９２から突出している第１特定遊技球Ｂ１と外枠側取込ユニット３７０の下流側開口３７３から露出している第２特定遊技球Ｂ２とが当接したまま、移動する構成とした。より詳しくは、第２特定遊技球Ｂ２が遮蔽部４３０に当たるまで、当該第２特定遊技球Ｂ２の流下が第１特定遊技球Ｂ１によって抑えられる構成とした。これにより、両可動部材４１０，４２０による流下経路の変更に先んじて、第２特定遊技球Ｂ２が下流側開口３７３を通過してしまうといった不都合を生じにくくしている。
【０２３１】
また、上述の如く各特定遊技球Ｂ１，Ｂ２の当接を維持する構成としたことで、遊技機本体１２を閉鎖する際には、本体側取込ユニット３９０の上流側開口３９２から突出している第１特定遊技球Ｂ１と外枠側取込ユニット３７０の下流側開口３７３から露出している第２特定遊技球Ｂ２とが当接し、第２特定遊技球Ｂ２が上流側に押されることとなる。かかる場合、第２特定遊技球Ｂ２の移動スペースが確保されないと、両取込ユニット３７０，３９０の連通が確実に行われなくなることが懸念される。この点、本実施の形態においては、外枠側取込通路３７１の下側傾斜通路部３７２の通路幅に対して、各可動部材４１０，４２０による流下経路の変更を許容するように、余裕をもたせる構成としたことで、上述したような第２特定遊技球Ｂ２の移動スペースを確保しやすくしている。これにより、流下経路の変更を可能としつつ、特定遊技球Ｂ１，Ｂ２同士のつかえを好適に抑制することができ、実用上好ましい構成を実現している。
【０２３２】
更には、遊技機本体１２を閉じる場合に、第１特定遊技球Ｂ１によって第２特定遊技球Ｂ２が上流側すなわち回動中心軸線ＣＬ３，ＣＬ４側に押される構成とした。これにより、第２特定遊技球Ｂ２と各内側壁部４１３，４２３との当接部位を回動中心軸線ＣＬ３，ＣＬ４に近づけることができ、各可動部材４１０，４２０の回動時に生じる負荷を低減することが可能となっている。これにより、阻止状態と阻止解除状態の切り替えの円滑化に貢献している。
【０２３３】
なお、上述した各実施の形態の記載内容に限定されず、例えば次のように実施してもよい。ちなみに、以下の別形態の構成を、上記各実施の形態における構成に対して、個別に適用してもよく、相互に組み合わせて適用してもよい。
【０２３４】
（１）島設備から供給される遊技球を一時的に貯留する貯留タンクを外枠１１に設けてもよい。詳しくは、島設備と外枠側取込ユニット１４０との間に貯留タンクを介在させ、当該貯留タンクから外枠側取込ユニット１４０に対して遊技球の供給が行われる構成としてもよい。また、外枠側取込ユニット１４０に代えて貯留タンクを用いることも可能である。遊技機本体１２に対して貯留タンクを搭載するのではなく、外枠１１に対して貯留タンクを搭載することにより、貯留タンク搭載に伴って生じる重量増加の影響が遊技機本体１２の回動に及ぼす影響を抑えることができる。つまり、外枠１１は島設備に対して固定されているため、貯留タンクを設けることで重量が増加しても、遊技機本体１２の建付けに対する影響は小さいと考えられる。故に、遊技機本体１２の開閉動作の際に同遊技機本体１２と外枠１１とが引っ掛かる（支える）といった不都合の発生は抑えられることとなる。但し貯留タンクを有する構成とした場合、貯留タンクの重量がパチンコ機１０全体の重量に加算されるため、上述した実施の形態における軽量化が十分に生かされない可能性がある。また、貯留タンクを用いることで、パチンコ機１０の背面側に貯留タンクを配置するためのスペースが必要となる。これにより、上記実施の形態に対して他部品（図柄表示装置４１等）の配置自由度の低下が生じるおそれがある。故に、望ましくは貯留タンクを排除し、上記取込機構１３０を用いる構成とするとよい。
【０２３５】
（２）上記各実施の形態では、本体側取込ユニット１６０を裏パックユニット１５に装着する構成としたが、これに限定されるものではない。遊技機本体１２を構成する内枠１３や前扉枠１４に装着することも可能である。
【０２３６】
（３）上記各実施の形態では、取込機構１３０を遊技機本体１２の回動基端側に設けたが、回動先端側に設けることも可能である。しかしながら、回動先端側においては遊技機本体１２と外枠１１との相対位置がずれやすくなり、それら遊技機本体１２と外枠１１とに設けられる各取込ユニット１４０，１６０の相対位置もずれやすくなると懸念される。さらには、遊技機本体１２を外枠１１に対して閉じる際には、回動基端側に比べて回動先端側の勢いは強くなりやすい。このため、両取込ユニット１４０，１６０の相対移動速度も大きくなりやすくなり、これに起因して両取込ユニット１４０，１６０が連結した際の衝撃も大きくなりやすくなる。これは、取込機構１３０及びシャッタ機構２００の機能保全の観点から好ましくない。故に、望ましくは、取込機構１３０を遊技機本体１２の回動基端側に配置するとよい。
【０２３７】
（４）外枠側取込ユニット１４０を遊技機本体１２の回動基端側、本体側取込ユニット１６０を遊技機本体１２の回動先端側となるようにそれら各取込ユニット１４０，１６０を配置したが、これを逆転することも可能である。すなわち、外枠側取込ユニット１４０を遊技機本体１２の回動先端側、本体側取込ユニット１６０を遊技機本体１２の回動基端側となるようにそれら各取込ユニット１４０，１６０を配置することも可能である。但し、このような変更を行った場合、遊技機本体１２の回動に合わせて本体側取込ユニット１６０が移動する際の軌道と外枠側取込ユニット１４０との干渉を回避するように、両取込ユニット１４０，１６０の配置を行う必要がある。仮に上記干渉を回避したとしても、両取込ユニット１４０，１６０の境界を移動する遊技球の流下方向と両取込ユニット１４０，１６０の相対移動方向とを揃えることは困難となる。故に、望ましくは、外枠側取込ユニット１４０を遊技機本体１２の回動基端側として両取込ユニット１４０，１６０を並設するとよい。
【０２３８】
（５）上記各実施の形態では、外枠側取込通路１４４や本体側取込通路１６３の通路の大きさ（例えば通路幅等）を、それら通路１４４，１６３内に連なる遊技球列が一列のみとなるように設定したが、これを変更し、それら通路１４４，１６３内に連なる遊技球列が複数列となるように設定することも可能である。但し、かかる場合であっても、下流側開口１５１〜可変通路部２５０〜上流側開口１６４の間においては、遊技球列が１列となるように形成することが好ましい。これにより、シャッタ機構２００や遮蔽部４３０等を用いた遊技球列の分断が難しくなることを抑制できる。
【０２３９】
（６）上記各実施の形態では、外枠側取込通路１４４を略コ字状とすることにより「減圧手段」としての機能を同外枠側取込通路１４４に付与する構成としたが、これを以下のように変更することも可能である。例えば、外枠側取込通路を段差状としたり、螺旋状（スパイラル状）としたりすることも可能である。また、島設備から連なる遊技球列に押されて上昇可能な程度（遊技球の移動が担保される程度）の上り傾斜部分を設けてもよい。
【０２４０】
（７）上記各実施の形態では、上側傾斜通路部１４５が左右に延びる構成としたが、その上流側の端部が下流側の端部よりも後方に位置するように上側傾斜通路部１４５全体を後方へ傾ける構成としてもよい。これにより、連結部材１４９の装着性の更なる向上に貢献することができる。
【０２４１】
（８）上記各実施の形態では、パチンコ機１０の平面視において（遊技機本体１２の回動中心軸線ＣＬ１方向から見て）下側傾斜通路部１４７を上側傾斜通路部１４５に対して前側に傾けて形成したが、これを変更し、パチンコ機１０の平面視において下側傾斜通路部１４７を上側傾斜通路部１４５に対して平行となるように形成することも可能である。
【０２４２】
（９）上記各実施の形態では、パチンコ機１０の平面視において（遊技機本体１２の回動中心軸線ＣＬ１方向から見て）外枠側取込ユニット１４０（詳しくは下流側開口１５１）と本体側取込ユニット１６０（詳しくは上流側開口１６４）とを遊技機本体１２の回動中心軸線ＣＬ１を中心とする仮想円上にそれぞれ配置したが、これに限定されるものではない。例えば、遊技機本体１２の回動中心軸線を中心とし外枠側取込ユニット１４０（詳しくは下流側開口１５１）を通過する仮想円の内側又は外側に本体側取込ユニット１６０（詳しくは上流側開口１６４）を配置してもよい。
【０２４３】
（１０）上記第１の実施の形態では、「阻止手段」としてのシャッタ機構２００が、複数のシャッタ部材（詳しくは第１シャッタ部材２１０及び第２シャッタ部材２３０）を有する構成としたが、シャッタ部材の個数を１つとすることも可能である。なお、シャッタ部材を３以上設けることも可能である。
【０２４４】
（１１）上記第１の実施の形態では、第１シャッタ部材２１０がスライド移動可能に設けられ、第２シャッタ部材２３０が回動可能に設けられる構成とした。すなわち両シャッタ部材２１０，２３０の動作態様が異なる構成とした。これを変更し、両シャッタ部材２１０，２３０の動作態様を揃える構成とすることも可能である。例えば、両シャッタ部材がともに回動可能に設けられていてもよいし、スライド移動可能に設けられていてもよい。
【０２４５】
また、第１シャッタ部材２１０が回動可能に設け、第２シャッタ部材をスライド移動可能に設けることも可能である。
【０２４６】
（１２）上記第１の実施の形態では、両シャッタ部材２１０，２３０を通路の上下に配置したが、これを変更し両シャッタ部材を通路の前後に配置することも可能である。
【０２４７】
（１３）上記第１の実施の形態では、「通路延長手段」としての機能及び遊技球の流下を規制する機能を併せ有する第１シャッタ部材２１０を外枠側取込ユニット１４０に設けたが、これを変更し、遊技球の流下を規制する機能を排除された第１シャッタ部材（すなわち通路延長手段）を本体側取込ユニットに設けることも可能である。
【０２４８】
（１４）上記各実施の形態では、払出装置９２（詳しくは回転体１００）が待機状態である場合に、本体側取込ユニット１６０の上流側開口１６４から遊技球の一部が突出するように、払出装置９２，ケースレール９１及び本体側取込ユニット１６０の各通路を形成したが、開口１６４からの遊技球の突出を回避するように、払出装置９２，ケースレール９１及び本体側取込ユニット１６０の各通路を形成してもよい。すなわち、遊技機本体１２を回動する際に、上流側開口１６４から突出している遊技球（第１特定遊技球Ｂ１）によって、両シャッタ部材２１０，２３０に当接している遊技球（第２特定遊技球Ｂ２）を押す構成としたが、このように遊技球同士が当接することを回避する構成としてもよい。
【０２４９】
（１５）上記第１の実施の形態では、可変通路部２５０を介して下流側開口１５１と上流側開口１６４とが連なる構成としたが、これを変更し可変通路部２５０を介することなく両開口１５１，１６４が連なる構成とすることも可能である。
【０２５０】
（１６）上記実施の形態では、第１シャッタ部材２１０がスライド移動することにより外枠側取込通路１４４が延長される構成としたが、これを変更し、底板部１５２自身がスライド移動することにより外枠側取込通路１４４を延長する構成としてもよい。
【０２５１】
（１７）上記第１の実施の形態では、第１シャッタ部材２１０によって、下側傾斜通路部１４７の通路方向と同方に通路が延長される構成としたが、これを変更し、下側傾斜通路部１４７の通路方向と異なる方向に通路が延長される構成としてもよい。例えば、第１シャッタ部材２１０を、下側傾斜通路部１４７の通路方向よりも若干か下方に傾いた方向にスライド移動させる構成としてもよい。
【０２５２】
（１８）上記第１の実施の形態では、遊技機本体１２の開放に伴って第１シャッタ部材２１０の突出量が最大となるタイミングが、第２シャッタ部材２３０の突出量が最大となるタイミングよりも遅れる構成としたが、第１シャッタ部材２１０の突出量が最大となるタイミングと第２シャッタ部材２３０の突出量が最大となるタイミングとを同期させてもよい。
【０２５３】
また上記第２の実施の形態では、各可動部材４１０，４２０の動作開始タイミング及び動作終了タイミングを揃える構成としたが、これに限定されるものではない。両可動部材４１０，４２０の動作開始タイミング及び動作終了タイミングの少なくともいずれかをずらすことも可能である。
【０２５４】
（１９）上記第１の実施の形態では、天板部１５３の先端に開口フランジ１７８を設けたが、この開口フランジ１７８を省略することも可能である。
【０２５５】
（２０）上記第１の実施の形態では、第２シャッタ部材２３０は所定の方向（パチンコ機１０の背面視において時計回り）に回動することにより突出量が増加し、所定の方向と反対（パチンコ機１０の背面視において反時計回り）に回動することにより突出量が減少する構成とした。これを逆転することも可能である。
【０２５６】
（２１）上記第１の実施の形態では、第２シャッタ部材２３０の回動中心軸線ＣＬ２が下側傾斜通路部１４７の通路方向と交差する方向に延びる構成としたが、通路方向と同一の方向に延びる構成とすることも可能である。但し、このような変更を行った場合、軸部に加わる負荷が当接部と回動中心軸線との距離に比例して大きくなると想定される。このような軸部への負担の増加は、当該軸部の変形等を招来し第２シャッタ部材２３０の回動を妨げる要因となると考えられるため好ましくない。故に、好ましくは、第２シャッタ部材２３０の回動中心軸線は下側傾斜通路部１４７の通路方向と交差する方向に延びる構成とするほうがよい。
【０２５７】
（２２）上記第１の実施の形態では、第２シャッタ部材２３０の当接部２３２が、当該第２シャッタ部材２３０の回動中心軸線ＣＬ２からの距離が一定となる曲面状、すなわち曲率が一定の曲面状をなす構成としたが、これに限定されるものではない。当接部２３２は、通路上流側から通路下流側に突出量が小さくなる曲面状であればよく、曲率が一定である必要はない。更には、当接部２３２を平面状とすることも可能である。
【０２５８】
（２３）上記各実施の形態では、本体側取込ユニット１６０の上流側開口１６４を外枠側取込ユニット１４０における下側傾斜通路部１４７の通路方向と同一方向に拡張し、上流側開口１６４内における上記方向への遊技球の移動を許容する構成とした。すなわち、第１特定遊技球Ｂ１によって第２特定遊技球Ｂ２が上流側に押し込まれる際に第２特定遊技球Ｂ２の押し込み負荷が想定以上に大きくなると、第１特定遊技球Ｂ１が遊技球の流下経路から離れる側に逃げる逃げ領域を本体側取込ユニット１６０側（詳しくは上流側開口１６４）に設けた。これを変更し、外枠側取込ユニット側（詳しくは下流側開口１５１付近）に、第２特定遊技球Ｂ２の押し込み負荷が想定以上に大きくなると第２特定遊技球Ｂ２が遊技球の流下経路から離れる側に逃げる逃げ領域を設けてもよい。
【０２５９】
（２４）上記第１の実施の形態では、本体側取込ユニット１６０に各シャッタ部材２１０，２３０を操作する操作壁部１８０及び操作片１８１を設けたが、これら操作壁部１８０及び操作片１８１の配設対象は本体側取込ユニット１６０に限定されるものではない。遊技機本体１２を回動する際に、外枠１１に対して相対移動する構成であれば操作壁部及び操作片の配設対象は任意である。
【０２６０】
上記第２の実施の形態についても同様に、本体側取込ユニット３９０に各可動部材４１０，４２０を操作する操作片３９３，３９４を設けたが、これら操作片３９３，３９４の配設対象は本体側取込ユニット３９０に限定されるものではない。遊技機本体１２を回動する際に、外枠１１に対して相対移動する構成であれば操作片の配設対象は任意である。
【０２６１】
また、各シャッタ部材２１０，２３０を突出する側に付勢する「付勢部材」として、コイルバネ（圧縮コイルバネ２２０や引張コイルバネ２４０）を用いたがこれに限定されるものではない。例えばねじりバネや板バネ等のコイルバネ以外のバネを用いることも可能であるし、ゴムを用いることも可能である。更には、「付勢部材」に代えて、各シャッタ部材２１０，２３０の自重を利用することで移動させる構成としてもよい。
【０２６２】
（２５）上記各実施の形態では、払出装置の待機状態において、回転体１００よりも上流側の遊技球が周縁１００ａに当たる構成としたが、払出装置の待機状態において、回転体１００よりも上流側の遊技球が凹部１００ｂに嵌まる構成とすることも可能である。かかる場合、凹部１００ｂに嵌まった遊技球に連なる遊技球のうち上流側開口１６４にかかる遊技球の少なくとも一部が当該上流側開口１６４から突出するように、ケースレール９１等の通路長を規定するとよい。
【０２６３】
（２６）取込機構１３０の側方となる位置（従来のパチンコ機１０においては貯留タンクが配置されている領域）に、各種制御装置６６，６３や図柄表示装置４１等を冷却する送風装置等を配置してもよい。これにより実用上好ましい構成を実現できる。
【０２６４】
（２７）上記各実施の形態では、本体側取込ユニット１６０と払出装置９２との間にケースレール９１が介在する構成としたが、ケースレール９１を省略し、本体側取込ユニット１６０と払出装置９２とを直通させる構成としてもよい。
【０２６５】
（２８）上記第１の実施の形態では、「阻止手段」として移動可能に設けられた第２シャッタ部材２３０を用いたが、これに限定されるものではない。移動式のシャッタ部材に代えて、固定式のストッパを用いてもよい。例えば、図２５に示すように、天板部１５３の先端部分に、上記実施の形態における開口フランジ１７８に代えて、遊技球の流出を阻止するストッパ３４０を設けてもよい。ストッパ３４０を、第１シャッタ部材２１０によって延長される領域に対して突出するように形成することにより、通路の延長に基づいて遊技球の流出を阻止することが可能となる。つまり、図２５（ａ）に示すように、第１シャッタ部材２１０による通路の延長が行われていない状態では、ストッパ３４０は遊技球の流下経路から離れた位置に存在する。このため遊技球の流出を妨げにくくなっている。一方、図２５（ｂ）に示すように、第１シャッタ部材２１０によって通路の延長がなされた場合には、ストッパ３４０が遊技球の流下経路と干渉することとなり、ストッパ３４０に導かれた遊技球と当たることで、遊技球の流出が阻止されることとなる。これにより、阻止手段に関する構成を簡略化することができる。
【０２６６】
但し、阻止手段を固定式とした場合には、下流側開口１５１から上流側開口１６４に流れる遊技球の流下経路が狭まりやすくなり、遊技機本体１２と外枠１１との位置ずれの影響を受けて遊技球の流下が阻害されるやすくなると想定される。故に、好ましくは「ストッパ」は固定式ではなく可動式とすることで、不用時の突出を控える構成を採用するとよい。
【０２６７】
（２９）上記第１の実施の形態では、第２シャッタ部材２３０が回動する構成としたが、第２シャッタ部材がスライド移動する構成としてもよい。具体的には、遊技球の流下を阻害しないように配置され、第２シャッタ部材を遊技球の流下方向に沿ってスライド移動可能に支持する支持部を設ける。そして、第２シャッタ部材の当接部と遊技球とが当接した状態にて当接部と遊技球との接触部分を通過し当該当接部に直交する仮想直線上に支持部又は他の部材等を配置し、その仮想直線方向への第２シャッタ部材の変位を規制する構成とするとよい。これにより、第２シャッタ部材に加わる球圧によって第２シャッタ部材が変形するといった不都合を生じにくくすることができる。但し、かかる構成を採用した場合、上記実施の形態と比べて第２シャッタ部材に関する構成が大型化しやすくなると考えられる。故に、望ましくは、第２シャッタ部材を回動可能に設け、その当接部が当該第２シャッタ部材の回動中心軸線に対して距離が一定となる曲面状をなす構成とするとよい。
【０２６８】
（３１）上記第１の実施の形態では、遊技機本体１２の開方向への移動に基づいてシャッタ機構２００が動作し、外枠側取込ユニット１４０からの遊技球の流下が阻止される構成としたが、これに限定されるものではない。作業者が遊技機を開放する際に行う動作、例えば施錠装置の解除操作等に基づいてシャッタ機構２００が動作する構成としてもよい。更には、作業者が行う既存の操作に連動してシャッタ機構２００が動作するのではなく、シャッタ機構２００を動作させるための別途操作を必要とする構成を採用してもよい。例えば、シャッタ機構２００を動作させるための操作部を前扉枠１４等に設け、その操作部が操作されることにより遊技球の流出が阻止される構成としてもよい。
【０２６９】
上記第２の実施の形態についても同様に、遊技機本体１２の開方向への移動に基づいて各可動部材４１０，４２０が動作し、外枠側取込ユニット３７０からの遊技球の流下が阻止される構成としたが、これに限定されるものではなく、上述した変更と同様の変更を行うことも可能である。
【０２７０】
（３２）上記各実施の形態では、外枠側取込通路１４４を異なる方向に延びる複数の通路部１４５，１４６，１４７，２５０によって構成したが、これに限定されるものではない。外枠側取込通路１４４を同一方向に延びる複数の通路部によって構成してもよいし、湾曲する１の通路部によって構成してもよい。
【０２７１】
（３３）上記各実施の形態では、外枠側取込通路１４４の下流側開口１５１を含んだ通路領域、すなわち下側傾斜通路部１４７が下り傾斜する構成としたが、これを変更し、下側傾斜通路部１４７が鉛直に延びる構成とすることも可能である。但し、このように鉛直に延びる通路において遊技球の流出を阻止する場合、シャッタ部材に加わる負荷（例えば遊技球の自重圧力）を分散させることが困難となり得る。故に、好ましくは、本実施の形態に示すように、外枠側取込通路１４４を下流側開口１５１を含んだ通路領域では下り傾斜するように形成するとよい。
【０２７２】
（３４）上記第１の実施の形態では、外枠１１の外枠側取込通路１４４と遊技機本体１２の本体側取込通路１６３との連結部分（境界部位）にシャッタ機構２００（詳しくはシャッタ部材２１０，２３０）を配置したが、これに限定されるものではない。例えば、内枠１３と前扉枠１４とに一連の遊技球案内通路が設けられている場合には、その遊技球案内通路における内枠１３側の通路部分と前扉枠１４側の通路部分との連結部分（境界部分）にシャッタ機構２００を配置していもよい。同様に、内枠１３と裏パックユニット１５とに一連の遊技球案内通路が設けられている場合には、その遊技球案内通路における内枠１３側の通路部分と裏パックユニット１５側の通路部分との連結部分（境界部分）にシャッタ機構２００を配置していもよい。
【０２７３】
（３５）上記第１の実施の形態では、外枠側取込通路１４４と本体側取込通路１６３との離間に伴って遊技球の流出を阻止するシャッタ機構２００を設けたが、これに限定されるものではない。すなわち、相対移動可能に設けられた一連の遊技球案内通路に対してシャッタ機構２００（詳しくはシャッタ部材２１０，２３０）を適用したが、これに限定されるものではない。相対移動しない（分離不能な）１の遊技球案内通路にシャッタ機構２００を適用することも可能である。
【０２７４】
また、シャッタ機構２００を遊技球案内通路の出口部分に設けるのではなく、取込通路の中間位置等に設けることも可能である。換言すれば、「特定位置」は遊技球案内通路の出口部分に限定されず、当該遊技球案内通路における任意の位置に設定することが可能である。
【０２７５】
（３６）上記第１の実施の形態では、外枠側取込通路１４４の下流側開口１５１の上側、すなわち天板部１５３側から第２シャッタ部材２３０が突出する構成としたが、これに限定されるものではない。例えば、前板部１５４側から突出する構成としてもよいし、後板部１５５側から突出する構成としてもよい。
【０２７６】
（３７）上記第１の実施の形態では、当接部２３２を第２シャッタ部材２３０の回動中心軸線からの距離が一定となる曲面状をなす構成としたが、これに限定されるものではない。第２特定遊技球Ｂ２の中心ＣＴと当接部及び第２特定遊技球Ｂ２を結んだ直線上にて第２シャッタ部材２３０の変位を抑えるストッパ又は軸部が存在するのであれば、当接部を平面又は曲率の一定でない曲面等とすることも可能である。更には、当接部２３２が一見すると面状でない構成、例えば突起の先端等に代表される点状とすることも可能である。
【０２７７】
（３８）上記第１の実施の形態では、当接部２３２に当接している第２特定遊技球Ｂ２からの球圧の一部を、当接部２３２を基準として第２特定遊技球Ｂ２の反対側に設けられた軸部１７５によって受ける構成としたが、これを以下のように変更することも可能である。すなわち、軸部１７５に代えて、第２シャッタ部材２３０の変位を規制するストッパを別途設けてもよい。例えば、仮想直線Ｌ１上において第２特定遊技球Ｂ２と共に第２シャッタ部材２３０を挟む位置に、ストッパを配置することで遊技球の球圧による第２シャッタ部材の変位を好適に抑えることができる。以下、図２６に基づき第２シャッタ部材の変位を規制する構成の変形例について説明する。
【０２７８】
上記実施の形態に示した回動式の第２シャッタ部材２３０及び軸部１７５に代えて、下流側開口３４９に対して出没するスライド式の第２シャッタ部材３５０と、第２シャッタ部材３５０を遊技球の流下方向に沿って移動可能な状態で保持するレール部材３５１とを設ける。第２シャッタ部材３５０は第１シャッタ部材２１０と対峙する板状をなしており、レール部材３５１にはこの第２シャッタ部材３５０の前後両側の端部が嵌まる溝部３５２が形成されている。
【０２７９】
レール部材３５１は、下流側開口３４９側の先端部が遊技球の流下経路との干渉を回避するように配置されている。このため、両取込ユニット１４０，１６０が連通している状態においてはレール部材に３５１によって遊技球の流下が妨げられるといった不都合が生じにくくなっている。
【０２８０】
レール部材３５１には、第２シャッタ部材３５０が阻止位置に配置され、第１シャッタ部材２１０との間に第２特定遊技球Ｂ２を挟んだ状態において、第２シャッタ部材３５０を基準として第２特定遊技球Ｂ２と反対側に位置するストッパ３５３が一体成形されている。ストッパ３５３は、第２シャッタ部材３５０の当接部３５４と反対側の板面に当接している。より詳細に説明すれば、第２シャッタ部材３５０の当接部３５４と第２特定遊技球Ｂ２との接点ＣＰ５と第２特定遊技球Ｂ２の中心ＣＴとを結んだ仮想直線Ｌ５上にストッパ３５３が位置している。このため、第２特定遊技球Ｂ２を介して第２シャッタ部材３５０に球圧が加わることにより第２シャッタ部材３５０が仮想直線Ｌ５に沿って移動しようとしても、ストッパ３５３によってその移動が妨げられることとなる。これにより、第２シャッタ部材３５０の変位を抑え、上記実施の形態と同様に、第２シャッタ部材３５０の保護を図りつつ、遊技球の抜け落ち抑制することが可能となる。
【０２８１】
なお、第２シャッタ部材３５０の動作させるための付勢部材（引張コイルバネ２４０に相当する構成）や操作部（第１壁面部２３６に相当する構成）等の設定は任意である。
【０２８２】
（３９）上記第１の実施の形態に示した第２シャッタ部材２３０を払出装置９２の回転体１００に代えて用いることも可能である。すなわち、回転体１００が回転することにより、遊技球の払出しを行う構成に代えて、第２シャッタ部材２３０が揺動（すなわち往復運動）することによって払出しを行う構成としてもよい。
【０２８３】
（４０）上記第１の実施の形態では、両シャッタ部材２１０，２３０に当接している第２特定遊技球Ｂ２の一部が下流側に露出する構成としたが、第２特定遊技球Ｂ２が下流側に露出しない構成としてもよい。具体的には、両シャッタ部材２１０，２３０が最大突出位置に配置された状態において、それら両シャッタ部材２１０，２３０の間に所定の隙間が形成される構成としたが、それらシャッタ部材２１０，２３０同士が接触する構成としてもよい。また、両シャッタ部材２１０，２３０が最大突出位置に配置された状態において、それら両シャッタ部材２１０，２３０によって遮られる領域が遊技球の流下方向にて重ならない構成としたが、これを変更し、両シャッタ部材２１０，２３０によって遮られる領域が遊技球の流下方向にて重なる構成としてもよい。なお、上記第２の実施の形態においても同様に、第２可動部材４２０と遮蔽部４３０とに当接している第２特定遊技球Ｂ２の一部が下流側に露出する構成としたが、第２特定遊技球Ｂ２が下流側に露出しない構成としてもよい。
【０２８４】
（４１）上記第１の実施の形態では、第２シャッタ部材２３０が遊技球の流下を阻止する位置に配置されることにより、それ以上の突出が抑えられる構成としたが、これに限定されるものではない。第１シャッタ部材２１０によって案内された遊技球が当接し、その流下を阻止している状態にて、更に突出量が増す構成とすることも可能である。
【０２８５】
（４２）上記第２の実施の形態では、各可動部材４１０，４２０を回動可能に設けたが、これを変更し、スライド移動可能に設けてもよい。また、いずれか一方の可動部材を回動式とし、他方の可動部材をスライド式とすることも可能である。
【０２８６】
（４３）上記第２の実施の形態では、可動部材４１０，４２０の軸受け孔４１１，４２１（回動中心軸線ＣＬ３，ＣＬ４）を各可動部材４１０，４２０の上流側の端部に配置したが、これに限定されるものではない。例えば、各可動部材の軸受け孔（回動中心軸線）の位置を、それら可動部材の下流側の端部に配置することも可能である。
【０２８７】
（４４）上記第２の実施の形態では、各可動部材４１０，４２０を前板部３７６側と後板部３７７側とに配置したが、これを変更し、底板部３７４側と天板部３７５側とに配置することも可能である。
【０２８８】
（４５）上記第２の実施の形態では、各可動部材４１０，４２０が断面略扇状の柱状をなす構成としたが、これに限定されるものではない。例えば、各可動部材を板状とすることも可能である。
【０２８９】
（４６）上記第２の実施の形態では、複数の可動部材４１０，４２０によって、遊技球の流下経路を変更する構成としたが、これを変更し、１の可動部材によって遊技球の流下経路を変更する構成としてもよい。例えば、上記実施の形態における第１可動部材４１０を省略することも可能である。但し、このような変更を行った場合、遊技球の流下を阻止している状態から、阻止しない状態へ移行する際に、遮蔽部４３０に当接している第２特定遊技球Ｂ２が、下流側開口３７３側に導かれにくくなると想定される。つまり、阻止しない状態に移行されたにもかかわらず、第２特定遊技球Ｂ２が遮蔽部４３０に引っ掛かったまま取り残されることが懸念される。故に、第１可動部材４１０を省略する場合には、阻止しない状態に移行される際に第２特定遊技球Ｂ２が上流に連なる遊技球の球圧によって下流側開口３７３に導く傾斜部（案内部）等を遮蔽部４３０に形成することが好ましい。
【０２９０】
（４７）上記第２の実施の形態では、遮蔽部４３０を固定式としたが、これを変更し遮蔽部を可動式とすることも可能である。具体的には、遮蔽部材を別体で設け、その遮蔽部材を流下経路の変更に合わせて下流側開口に対して出没させる構成とすることも可能である。例えば、遮蔽部を下流側開口に対して突出し遊技球の流下を阻止する位置と、遊技球の流下を阻止しない位置とに移動可能に設けるとよい。これにより、遊技球の流出を阻止しない状態では、両取込ユニットの合わせ部分（下流側開口や上流側開口）を大きくしやすくなり、遊技機本体１２と外枠１１との位置ずれによる影響を受けにくい構成を実現できる。例えば、遮蔽部４３０に代えて、上記第１の実施の形態に示す第２シャッタ部材２３０を用いることも可能である。
【０２９１】
（４８）上記第２の実施の形態では、外枠側取込通路と３７１と本体側取込通路３９１とを左右に配置する構成としたが、これら外枠側取込通路と３７１と本体側取込通路３９１とを上下に配置することも可能である。但し、このように上下に配置する構成とした場合には、第１特定遊技球Ｂ１を本体側取込通路３９１から突出させることにより、両取込通路３７１，３９１の分離が妨げられやすくなることが懸念される。故に、好ましくは、
左右（上述した仮想円上に）に並設するとよい。
【０２９２】
（４９）上記各実施の形態では、遊技機本体１２が外枠１１に対して回動可能に支持される構成としたが、これに限定されるものではない。例えば、遊技機本体１２が外枠１１に対してスライド移動可能に支持される構成としてもよい。
【０２９３】
（５０）上記各実施の形態では、「規制部」として回転体１００を有する構成としたが、これを以下のように変更してもよい。すなわち、払出通路９８に対して出没するゲート部材を設け、同ゲート部材が突出することに基づいて遊技球の流下を阻止するとともに、同ゲート部材が没入することに基づいて遊技球の流下を許容する構成としてもよい。
【０２９４】
（５１）上記各実施の形態では、上下通路部１４６が鉛直に延びる構成としたが、これに限定されるものではない。上下通路部は少なくとも、同上下通路部と下側傾斜通路部との境界にて、遊技球の流下方向が変化するように形成されていればよい。例えば、上下通路部が下り傾斜する構成とし、上下通路部と下側傾斜通路部との通路方向を交差させることも可能である。
【０２９５】
（５２）下側傾斜通路部１４７を上側傾斜通路部１４５に対して折り返すように構成した。具体的には、下側傾斜通路部１４７の通路方向が上側傾斜通路部１４５の通路方向よりも若干後側に傾くように外枠側取込通路１４４を形成した。これを変更し、下側傾斜通路部１４７の通路方向が上側傾斜通路部１４５の通路方向と平行（スロットマシン１０の平面視において平行）となるように外枠側取込通路１４４を形成することも可能である。
【０２９６】
（５３）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２９７】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。
【０２９８】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０２９９】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０３００】
特徴Ａ１．遊技媒体を案内する案内通路（例えば外枠側取込通路１４４）と、
第１位置から第２位置に移動することにより、前記案内通路の特定位置において遊技媒体の流下経路を変更する変更手段（例えば第１シャッタ部材２１０）と、
前記変更手段が前記第２位置に配置されることに基づいて前記遊技媒体が案内されることとなる領域において、前記変更手段によって案内された遊技媒体に下流側から当接することでそれよりも下流側への遊技媒体の流下を阻止するストッパ（第２シャッタ部材２３０）と
を備えていることを特徴とする遊技機。
【０３０１】
特徴Ａ１によれば、変更手段が第１位置から第２位置に移動することにより、案内通路を流下する遊技媒体の流下経路が変更される。変更手段が第２位置に配置されている場合には、遊技媒体がストッパに当接することで、当該ストッパよりも下流側への遊技媒体の流下が阻止されることとなる。
【０３０２】
本特徴においては特に、変更手段が第２位置に配置されることに基づき遊技媒体が案内されることとなる領域にてストッパと遊技媒体とが当接する構成とした。すなわち、流下経路が変更されることで遊技媒体が到達する領域にストッパを予め待機させる構成とした。予め待機しているストッパに向けて遊技媒体が移動するため、当該ストッパを遊技媒体の列に対して無理に割り込ませる必要がなくなる。これにより、ストッパと遊技媒体とのつかえを回避しやすくでき、遊技媒体の流下が阻止されている状態（阻止状態）と、遊技媒体の流下が阻止されていない状態（阻止解除状態）とを好適に切り替えることができる。
【０３０３】
なお、本特徴に示す「特定位置」を「所定領域」と置き換えることも可能である。
【０３０４】
特徴Ａ２．前記変更手段によって遊技媒体が案内される領域は、前記案内通路に含まれる領域であり、
前記ストッパは、前記変更手段によって案内された遊技媒体の流下を阻止する阻止位置と、前記阻止位置よりも前記案内通路の外側に偏倚し前記流下を阻止しない阻止解除位置との両位置へ移動可能に設けられていることを特徴とする特徴Ａ１に記載の遊技機。
【０３０５】
特徴Ａ２によれば、ストッパが移動可能な構成となっている。これにより、阻止状態においては遊技媒体の流出を好適に阻止しつつ、阻止解除状態においては遊技媒体の流下を阻害しにくくできる。詳しくはストッパの阻止解除位置が案内通路の外側に偏倚していることにより、ストッパを有する構成ととしたとしても、案内通路にて遊技媒体が詰まりやすくなるといった不都合を生じにくくすることができる。
【０３０６】
特徴Ａ３．前記変更手段は、前記ストッパが前記阻止位置に配置された後、前記第１位置から前記第２位置への移動が完了するように構成されていることを特徴とする特徴Ａ２に記載に遊技機。
【０３０７】
特徴Ａ３によれば、ストッパが阻止位置に配置された後、遊技媒体の流下経路の変更が完了する。上述の如く変更手段の動作完了タイミングをストッパの動作完了タイミングに対して遅らせることにより、遊技媒体とストッパとがつかえることで当該ストッパの阻止位置への移動が阻害されることを好適に抑制できる。
【０３０８】
特徴Ａ４．支持体（例えば外枠１１）と、
支持体によって開閉可能に支持された開閉体（例えば遊技機本体１２）と、
前記支持体及び前記開閉体のいずれか一方に設けられ、前記案内通路の上流側を構成する上流側通路（外枠側取込通路１４４）と、
前記支持体及び前記開閉体の他方に設けられ、前記案内通路の下流側を構成し、前記開閉体が前記支持体に対して閉鎖されている状態においては前記上流側通路と連通するとともに、前記開閉体が前記支持対に対して開放される場合には前記上流側通路と離間する下流側通路（本体側取込通路１６３）と
を備え、
前記上流側通路の出口部分は前記特定位置であり、
前記変更手段は、前記開閉体の開動作に基づき前記第２位置に移動され、前記開閉体の閉動作に基づき前記第１位置に移動されることを特徴とする特徴Ａ１乃至特徴Ａ３のいずれか１つに記載の遊技機。
【０３０９】
特徴Ａ４によれば、開閉体と支持体とに上流側通路及び下流側通路が分けて配置されている。開閉体が支持体に対して閉じた状態においては、上流側通路と下流側通路とが連通し遊技媒体の流下が許容される。開閉体が開放された場合には、上流側通路と下流側通路とが離間するが、上流側通路からの遊技媒体の流下はストッパによって阻止されることとなる。開閉体の動作に基づいて変更手段を第１位置及び第２位置に移動させることにより、変更手段を動作（移動）させるための別途操作を必要が無くなり、作業性の向上に貢献することができる。
【０３１０】
特に特徴Ａ２（ストッパが可動式である構成）との組み合わせにおいては、「前記ストッパを、前記開閉体の開放に基づいて前記上流側通路の出口部分に対して突出し遊技媒体の流出を阻止する位置に移動し、前記開閉体の閉鎖に基づいて遊技媒体の流出を阻止しない位置に移動する構成」とするとよい。分断される案内通路においては、開閉体と支持体との相対位置のずれに起因して、上流側通路と下流側通路と合わせ部分（境界部位）がずれやすくなると想定され、このようなずれを許容するためには上流側通路の出口部分と下流側通路の入口部分とを大きくすることが望ましい。この点、ストッパを移動可能な構成とすれば、流下を許容している状態にてストッパにより通路が狭められることを抑制でき、上述した上流側通路の出口部分と下流側通路の入口部分と合わせを大きくすることが可能となる。故に、開閉体と支持体との相対位置のずれを許容しやすくでき、実用上好ましい構成を実現できる。
【０３１１】
特徴Ａ５．前記変更手段は、前記上流側通路の出口部分を含む下流側を前記下流側通路に流れる方向とは異なる方向に延長する延長手段であり、
前記ストッパは、前記変更手段によって延長されることにより前記遊技媒体が案内されることとなる領域に対して突出するように設けられていることを特徴とする特徴Ａ４に記載に遊技機。
【０３１２】
特徴Ａ５によれば、遊技媒体の流下経路（通常の流下経路）から離れた位置にストッパが突出した状態にて、変更手段により延長された流下経路に沿って移動する遊技媒体が当たることとなる。すなわち、変更手段によって上流側通路が延長され、この通路延長によって遊技媒体が案内されることとなる領域にてストッパが待ち構えることとなる。ストッパを遊技媒体の列が形成される領域に対して無理に割り込ませる必要がなくなることで、例えばストッパが移動可能に設けられている構成においては、当該ストッパに対して遊技媒体が挟まることにより同ストッパの動作が阻害されたり、境界に位置する遊技媒体が上流側通路及び下流側通路のどちらの通路に配分されるかが区々になったりするといった不都合を生じにくくできる。
【０３１３】
また、通路の延長に伴って遊技媒体を流下方向へ移動させながら変更手段及びストッパ（ストッパが移動可能な構成の場合）を移動させることができるため、遊技媒体とのつかえを抑制しやすくできる。
【０３１４】
特徴Ａ６．前記ストッパは、前記変更手段によって延長されることにより前記遊技媒体が案内されることとなる領域に対して突出し当該ストッパよりも下流側への遊技媒体の流下を阻止する阻止位置と、前記突出が抑えられ前記流下を阻止しない阻止解除位置との両位置へ移動可能に設けられており、
前記変更手段及び前記ストッパは、前記下流側通路と前記上流側通路との離間に基づいて、前記ストッパの突出量が最大となった後、前記変更手段による流下経路の変更が完了するように構成されていることを特徴とする特徴Ａ５に記載に遊技機。
【０３１５】
特徴Ａ６によれば、開閉体が開放され下流側通路と上流側通路とが離間することに基づいて、変更手段（延長手段）及びストッパの突出量が増加する構成となっている。これにより、作業者が変更手段やストッパを動作させる必要がなくなり、それら変更手段及びストッパの動作タイミングがばらつくといった不都合を生じにくくすることができる。
【０３１６】
また、ストッパの突出量が最大となった後、変更手段による延長量が最大となることで、変更手段による通路の延長が完了する前に、ストッパの動作を完了することができ、特徴Ａ５に示した構成を好適に実現することができる。
【０３１７】
なお、本特徴に示す技術的特徴を実現するには、以下の構成を適用するとよい。すなわち、「前記第２シャッタ部材の突出量が所定値に達することにより、前記第１シャッタ部材によって延長された場合にその延長された領域を流下する遊技媒体に対して当接する突出位置に前記第２シャッタ部材が配置された後、前記第１シャッタ部材の延出量が所定値に達することにより、前記第２シャッタ部材に対して遊技媒体が当接する延出位置に前記第１シャッタ部材が配置されるように構成されていることを特徴とする遊技機」を適用するとよい。
【０３１８】
特徴Ａ７．前記ストッパは、前記変更手段によって延長されることにより前記遊技媒体が案内されることとなる領域に対して突出し当該ストッパよりも下流側への遊技媒体の流下を阻止する阻止位置と、前記突出が抑えられ前記流下を阻止しない阻止解除位置との両位置へ移動可能に設けられており、
前記第２位置に向けて前記変更手段を付勢する第１付勢部材（圧縮コイルバネ２２０）と、
前記下流通路に設けられ、前記変更手段を前記上流側通路の出口部分に向けて押すことにより前記第１付勢部材による付勢力に抗して前記第１位置に前記変更手段を移動させる第１操作部（操作壁部１８０）と、
前記阻止位置に向けて前記ストッパを付勢する第２付勢部材（引張コイルバネ２４０）と、
前記下流側通路に設けられ、前記ストッパを前記上流側通路の出口部分に向けて押すことにより前記第２付勢部材による付勢力に抗して前記阻止解除位置に前記ストッパを移動させる第２操作部（操作片１８１）と
を備え、
前記下流側通路と前記上流側通路とが離間する場合には、前記第２操作部が前記ストッパから離間した後、前記第１操作部が前記変更手段から離間するように構成されていることを特徴とする特徴Ａ５又は特徴Ａ６に記載の遊技機。
【０３１９】
特徴Ａ７によれば、変更手段は第１付勢部材によって延長（例えば突出）する側に付勢されており、下流側通路には変更手段を延長量の減少する側に押す第１操作部が設けられている。開閉体の開閉操作（開閉動作）に伴って第１操作部が移動することにより、変更手段の延長量を変化させることができる。またストッパについても同様に、第２付勢部材によって突出する側に付勢されており、開閉体の開閉操作（開閉動作）に伴って第２操作部が移動することにより、ストッパの突出量を変化させることができる。このように、支持体と開閉体との相対移動を利用して、変更手段及びストッパを動作させる構成とすることにより、作業者が変更手段やストッパを手動で動かす必要が無くなる。
【０３２０】
また、開閉体を開放する際には、先ず第２操作部がストッパから離間し突出量が最大の状態に移行される。この後、第１操作部が変更手段から離間し通路の延長が完了する。この通路の延長にあわせて遊技媒体が移動することにより、同遊技媒体とストッパとが当接し、遊技媒体の流下が阻止された状態となる。これにより、特徴Ａ６に示した構成を好適に実現できる。
【０３２１】
特徴Ａ８．前記上流側通路は、当該上流側通路の出口部分を含む下流側がその出口部分に向かって下り傾斜となるように形成されており、
前記上流側通路の下流側における下り傾斜と同じ方向に前記変更手段が突出するように当該変更手段の移動方向を規定する規定部（スリット１７１）を備えていることを特徴とする特徴Ａ５乃至特徴Ａ７のいずれか１つに記載の遊技機。
【０３２２】
特徴Ａ８によれば、遊技媒体の流出を阻止する際には、変更手段が上流側通路の下流側における下り傾斜と同じ方向に突出する。すなわち、変更手段は、上流からの遊技媒体の流れを引き継ぎその流下方向へ通路の延長を行うこととなる。このため、通路の延長が遊技媒体によって妨げられるといった不都合の発生を抑え、変更手段の動作を円滑に行うことが可能となる。
【０３２３】
特徴Ａ９．前記案内通路は、前記上流側通路の出口部分から前記下流側通路の入口部分に向けた遊技媒体の流れ方向が上下方向となるように又は前記上流側通路における前記出口部分を含んだ下流側の下り傾斜よりも鉛直に近くなるように形成されており、
前記上流側通路の出口部分から前記下流側通路の入口部分への遊技媒体の流下方向と交差する方向に前記変更手段が移動するように当該変更手段の移動方向が規定されていることを特徴とする特徴Ａ５乃至特徴Ａ８のいずれか１つに記載の遊技機。
【０３２４】
特徴Ａ５等に示したように、下流側通路に流れる方向とは異なる方向に通路の延長を行うには、本特徴に示す構成を適用するとよい。延長された通路部分に導かれた遊技媒体は、両通路の連通に伴って、延長された通路部分から元の案内通路（流下経路）へ戻す必要がある。特徴５等に示す構成においては、遊技媒体の流出を阻止する状態への移行は円滑に行うことができる。しかしながら、変更手段及びストッパにおいては、遊技媒体の流出を阻止する阻止状態への移行の円滑化はさることながら、阻止状態から阻止解除状態への移行についても円滑に行う構成が採用されることが好ましいと考えられる。この点、本特徴によれば、変更手段を引っ込めることにより、元の流下経路に対して遊技媒体を容易に戻すことができ、延長された通路部分に導かれた遊技媒体を元の流下経路に合流させるための構成が煩雑化することを抑制できる。これにより、遊技媒体の流出を許容する状態への移行を円滑に行うことが可能となり、実用上好ましい構成を実現できる。
【０３２５】
特徴Ａ１０．前記上流側通路は、当該上流側通路の出口部分を含んだ下流側が当該出口部分に向けて下り傾斜となるように形成されており、
前記変更手段は前記上流側通路の出口部分の下側に配置され、前記ストッパは前記上流側通路の出口部分の上側に配置されていることを特徴とする特徴Ａ５乃至特徴Ａ９のいずれか１つに記載の遊技機。
【０３２６】
一般的に遊技媒体の通路は、遊技媒体の流れの円滑化等を考慮して同遊技媒体よりも若干大きく形成される。しかしながら、このような余裕代の設定により、遊技媒体の流れの円滑化に貢献できる反面、遊技媒体の流れ（流下経路）にばらつきが生じやすくなる。この点、上流側通路の出口部分を含んだ下流側を当該出口部分に向けて下り傾斜となるように形成し、変更手段を流側通路の出口部分の下側に配置することにより、上流側通路の傾斜に沿って流下してきた遊技媒体を、通路の延長に合わせて延長方向に誘導しやすくできる。これにより、通路の延長に起因する遊技媒体の流れの乱れを抑え、阻止解除状態から阻止状態への移行の円滑化に貢献できる。
【０３２７】
また、ストッパを上流側通路の出口部分の上側に配置することにより、遊技媒体の流下を阻止している状態にて、遊技媒体の上下両側から押えやすくすることができる。このように遊技媒体を両側から押えることで、遊技媒体の自重圧力をストッパと変更手段とで分散して受けやすくでき、ストッパに負荷が集中することを回避しやすくできる。
【０３２８】
特徴Ａ１１．前記上流側通路は、当該上流側通路の出口部分を含む下流側がその出口部分に向けて下り傾斜となるように形成され、
前記変更手段が前記第２位置に配置されている状態においては、前記変更手段の上面（平板部２１１の上面）が前記上流側通路における出口部分を含む下流側の底面（底板部１５２の上面）に対して低位となるように両者の間に段差部が形成され、
前記変更手段における上流側通路の出口部分からの最大突出量は、少なくとも阻止対象となる前記遊技媒体を前記変更手段の上面に載置できる程度に設定されているとともに、
前記段差部の段差寸法は、前記変更手段の上面に載置された遊技媒体の上側の一部が、前記上流側通路の前記底面よりも高位となるように設定されており、
さらに、前記上流側通路には、変更手段の上面に載置されている遊技媒体に上流側から乗り上げた遊技媒体が下方から当接するように天井面（例えば天板部１５３の下面）が設けられていることを特徴とする特徴Ａ５乃至特徴Ａ１０のいずれか１つに記載の遊技機。
【０３２９】
遊技媒体の流下を阻止している状態においては、変更手段及びストッパに対して、列状をなす複数の遊技媒体の重みが加わることにより、それら変更手段及びストッパの負荷が大きくなることが懸念される。この点、本特徴によれば、遊技媒体の流出が阻止された状態においては、少なくとも阻止対象（当接対象）となる遊技媒体が変更手段の上面に載る。このように、上面に遊技媒体が載っている状態においては、後続する遊技媒体が上流側からの自重圧力が大きくなることで変更手段の上面に載置された遊技媒体に乗り上げることとなる。上方に持ち上げられた遊技媒体が上流側通路の天井面に当たることにより、遊技媒体を介して伝わる圧力の一部が天井面側に分散される。これにより、変更手段及びストッパに対して負荷が集中することを抑制することができる。
【０３３０】
例えば、遊技媒体が球状をなす場合、段差寸法をその直径よりも小さくするとよい。変更手段の上面に載っている遊技媒体は、自身の球面に沿って後続の遊技媒体を上方に誘導し（浮かせ）遊技媒体の列を介して伝わる自重圧力を逸らすことが可能となる。特に、遊技媒体が上流側通路の天井面に当たることにより、この天井面にて遊技媒体を介して伝わる圧力の一部を分散させることができる。
【０３３１】
特徴Ａ１２．前記ストッパは、前記案内通路の特定位置に対して突出し前記案内通路の特定位置よりも下流側への遊技媒体の流下を阻止する阻止位置と、前記案内通路の特定位置に対して突出が抑えられ前記流下を阻止しない阻止解除位置との両位置へ移動可能に設けられており、
前記変更手段及び前記ストッパは、それら変更手段及びストッパの両者が前記上流側通路の出口部分に対して突出することにより当該出口部分を狭めるとともに、その状態にて遊技媒体に当接する当接部（平板部２１１の上面や当接部２３２）をそれぞれ有し、
さらに、前記変更手段及び前記ストッパは、それら変更手段及びストッパの前記上流側通路の出口部分に対する突出に伴って、前記当接部が前記上流側通路の出口部分の向いている方向に移動するように構成されていることを特徴とする特徴Ａ５乃至特徴Ａ１１のいずれか１つに記載の遊技機。
【０３３２】
特徴Ａ１２によれば、変更手段及びストッパを突出させる際に、それら変更手段及びストッパの当接部が上流側通路の出口部分の向いている方向に移動する。これにより、出口部分を通過する遊技媒体の流れに沿うように当接部を移動させることができ、変更手段やストッパが突出する際の遊技媒体と当接部との咬み込みを抑制することが可能となる。
【０３３３】
なお例えば、変更手段が第２位置に配置され、且つストッパが阻止位置に配置されている状態にて、変更手段の当接部とストッパの当接部とが阻止対象たる遊技媒体を挟んで対峙する構成とすればよい。
【０３３４】
特徴Ａ１３．前記ストッパは、前記案内通路の特定位置に対して突出し前記案内通路の特定位置よりも下流側への遊技媒体の流下を阻止する阻止位置と、前記案内通路の特定位置に対して突出が抑えられ前記流下を阻止しない阻止解除位置との両位置へ移動可能に設けられており、
前記変更手段及び前記ストッパは、それら変更手段及びストッパの両者が前記上流側通路の出口部分に対して突出することにより当該出口部分を狭めるとともに、その状態にて遊技媒体に当接する当接部（平板部２１１の上面や当接部２３２）をそれぞれ有し、
前記変更手段及び前記ストッパは、前記両当接部に当接している遊技媒体において当該遊技媒体の流下方向における最下流側の端部を含む領域が、前記上流側通路の出口部分から露出するように形成されていることを特徴とする特徴Ａ５乃至特徴Ａ１２のいずれか１つに記載の遊技機。
【０３３５】
特徴Ａ１３によれば、変更手段及びストッパによって流出が阻止された遊技媒体は、その最下流側の端部を含んだ領域が上流側通路の出口部分から露出することとなる。このように、遊技媒体の一部を露出させる程度に、変更手段及びストッパの動作量（すなわち突出量）を抑えたとしても、変更手段及びストッパによって遊技媒体の自重圧力を分散して受けることが可能であるため、変更手段及びストッパの変位（移動や変形）を抑え遊技媒体が抜け落ちるといった不都合は生じにくくすることができる。これにより、遊技媒体の流下を好適に阻止しつつ、阻止状態と阻止解除状態との切り替えを素早く行うことが可能となる。
【０３３６】
特徴Ａ１４．前記下流側通路の途中位置にて遊技媒体を下流側から受け止めることでそれよりも下流側への遊技媒体の流入を規制する規制部（回転体１００の周縁１００ａ）が設けられ、
前記規制部により前記遊技媒体の流下が規制されている状態にて、前記規制部から前記下流側通路の入口部分に向けて列をなす前記遊技媒体のうち前記下流側通路における最上流に位置する前記遊技媒体（第１特定遊技球Ｂ１）の少なくとも一部が、前記下流側通路の入口部分（上流側開口１６４）から突出するように前記下流側通路が形成されており、
前記ストッパは、前記上流側通路の出口部分に対して突出し当該上流側通路の出口部分よりも下流側への遊技媒体の流下を阻止する阻止位置と、前記上流側通路の出口部分に対する突出が抑えられ前記流下を阻止しない阻止解除位置との両位置へ移動可能に設けられ、
前記変更手段及び前記ストッパは、前記下流側通路と前記上流側通路とが離間する際に、前記下流側通路の入口部分から突出した遊技媒体と、その遊技媒体に後続する遊技媒体（第２特定遊技球Ｂ２）との当接が維持されている状態において、前記変更手段が前記第２位置に、前記ストッパが前記阻止位置にそれぞれ移動するように構成されていることを特徴とする特徴Ａ４乃至特徴Ａ１３のいずれか１つに記載の遊技機。
【０３３７】
特徴Ａ１４によれば、下流側通路と上流側通路とが離間する際に、下流側通路から突出している遊技媒体とそれに後続する遊技媒体との当接が維持された状態にて変更手段及びストッパが動作する。このように遊技媒体の列が維持されることにより、下流側通路における最上流に位置する遊技媒体に後続する遊技媒体が変更手段及びストッパによって止められることなく上流側通路の出口部分からこぼれるといった不都合を生じにくくすることができる。
【０３３８】
更には、遊技媒体の移動と変更手段及びストッパの動作とに関連性を付与し、変更手段及びストッパが遊技媒体に対して当接しやすい状態を実現することが可能となる。すなわち、変更手段及びストッパが動作を完了するまで、阻止対象となる遊技媒体がストッパと当接する位置を通り過ぎることを抑制できる。これにより、変更手段及びストッパの動作が遊技媒体の移動に対して遅れることにより阻止状態への移行が間に合わず、遊技媒体の零れが発生するといった不都合を生じにくくすることができる。
【０３３９】
また、特徴Ａ５（案内通路を延長する構成）との組み合わせにおいては特に、通路を延長する際に、遊技媒体が通路の延長に先んじて流下することを抑制することができる。これにより、ストッパと遊技媒体との位置関係をつかえが生じにくい状態で維持しながら阻止状態への切り替えを行うことが可能となり、実用上好ましい構成を実現できる。特徴４等に示すように、流下経路の切り替えが行われる構成においても、遊技媒体同士の当接を維持することにより、流下経路の切り替えに伴って阻止対象となる遊技媒体が意図せぬ位置（例えば下流側）に移動することを抑制することができる。これにより、変更手段が移動する際に、当該変更手段に対して遊技媒体がつかえるといった不都合を生じにくくすることができる。
【０３４０】
特徴Ａ１５．少なくとも前記開閉体が開放されている場合に、前記下流側通路の途中位置にて遊技媒体を下流側から受け止めることでそれよりも下流側への遊技媒体の流入を規制する規制部（回転体１００の周縁１００ａ）が設けられ、
前記規制部により前記遊技媒体の流下が規制されている状態にて、前記規制部から前記下流側通路の入口部分に向けて列をなす前記遊技媒体のうち前記下流側通路における最上流に位置する前記遊技媒体の少なくとも一部が、前記下流側通路の入口部分から突出するように前記下流側通路が形成されており、
前記ストッパは、前記上流側通路の出口部分に対して突出し当該上流側通路の出口部分よりも下流側への遊技媒体の流下を阻止する阻止位置と、前記上流側通路の出口部分に対する突出が抑えられ前記流下を阻止しない阻止解除位置との両位置へ移動可能に設けられ、
前記開閉体の閉方向への移動に基づき、前記ストッパによって流出が阻止されている状態にて前記下流側通路の入口部分から突出している前記遊技媒体（第１特定遊技球Ｂ１）と、前記上流側通路の出口部分から露出している前記遊技媒体（第２特定遊技球Ｂ２）とが当接することを特徴とする特徴Ａ４乃至特徴Ａ１４のいずれか１つに記載の遊技機。
【０３４１】
特徴Ａ１５によれば、開閉体を閉鎖位置に向けて回動させることにより、下流側通路の入口部分から突出している遊技媒体によって、上流側通路の出口部分から露出している遊技媒体が上流側通路の上流側に向けて押される。詳しくは、下流側通路の遊技媒体は規制部から連なっていることにより、上流側通路の遊技媒体と当った際に、下流側に移動しにくくなっている。一方、上流側通路内で列をなしている遊技媒体は上流側への移動を規制されているわけではない。このため、上流側通路の遊技媒体が上流側に押されやすくなる。このように、阻止手段に当っている遊技媒体を上流側に押すことによって、ストッパと遊技媒体との引っ掛かりを弱め（又は無くし）ストッパの動作を円滑なものとすることができる。
【０３４２】
また、特徴Ａ２（ストッパが移動可能な構成）及び特徴Ａ５（案内通路を延長する構成）との組み合わせにおいては特に、下流側通路から突出している遊技媒体と上流側通路から露出している遊技媒体とが当接した後にその当接した状態を維持することのできるストロークを確保することができる。これにより、ストッパに対する自重圧力が下流側通路から突出している遊技媒体によって緩和されることなく、例えば遊技媒体とストッパとの間に隙間が形成されることなく、ストッパの阻止解除位置への移動が開始されることを回避しやすくできる。
【０３４３】
特徴Ａ１６．前記下流側通路の入口部分には、前記開閉体が閉じられる場合の移動方向先側と反対側への、当該下流側通路の入口部分から突出している遊技媒体の移動を許容する移動スペースが設けられていることを特徴とする特徴Ａ１４又は特徴Ａ１５に記載の遊技機。
【０３４４】
特徴Ａ１４又は特徴Ａ１５に示した構成によれば、変更手段やストッパの動作を好適なものとすることができる反面、開閉体を支持体に対して閉じる際に上流側通路の出口部分から露出している遊技媒体と下流側通路の入口部分から突出している遊技媒体とがつかえることにより開閉体の閉鎖が阻害されるといった不都合が生じ得る。特に、上流側通路内に形成された遊技媒体列を介して伝わる自重圧力が大きい場合、下流側通路の入口部分から突出している遊技媒体によって上流側通路の出口部分から露出している遊技媒体を押すことが困難となると想定される。かかる場合、開閉体の閉操作に伴って発生する外力が取込通路に集中しやすくなり、当該取込通路の変形等を招来する可能性がある。
【０３４５】
この点、本特徴に示すように、下流側通路の入口部分に開閉体閉時の回動方向側と反対側への遊技媒体の移動を許容する移動スペースを確保することにより、両遊技媒体が当った際の負荷が大きくなれば、下流側通路の入口部分から突出している遊技媒体を逃がすことができる。これにより上述したような不都合の発生を好適に回避することができる。
【０３４６】
また仮に、下流側通路の幅寸法等を大きくすることにより、下流側通路の入口部分から突出する遊技媒体の移動スペース（逃げスペース）を確保する構成とした場合、遊技媒体列の経路ばらつきが生じやすくなり上述した遊技媒体の突出を担保することが困難となり得る。この点、下流側通路の入口部分を拡張する構成とすれば、そのような不都合の発生を好適に回避できる。
【０３４７】
なお、下流側通路の通路幅等を大きくすることなく、当該下流側通路の入口部分を大きくするには、入口部分周辺における通路方向と斜めに交差するようにして入口部分を形成するとよい。
【０３４８】
特徴Ａ１７．前記下流側通路の入口部分は遊技機における斜め上方に向けて開放されていることを特徴とする特徴Ａ１４乃至特徴Ａ１６のいずれか１つに記載の遊技機。
【０３４９】
特徴Ａ１４等に示したように、下流側通路の入口部分から遊技媒体を積極的に突出させる構成においては、阻止手段による阻止状態の解除等を容易化できる反面、遊技媒体が零れやすくなることが懸念される。この点、本特徴に示すように、下流側通路の入口部分を斜め上方に開放すれば、遊技媒体の零れにくくすることができ、実用上好ましい構成を実現できる。
【０３５０】
なお、上記特徴Ａ１乃至Ａ１７のいずれか１つの構成を、以下の特徴Ｂ１乃至Ｂ１８のいずれか１の構成に対して適用してもよい。
【０３５１】
特徴Ｂ１．遊技場の島設備に固定される外枠（外枠１１）と、
当該外枠によって回動可能に支持されている遊技機本体（遊技機本体１２）と
を備え、
遊技を行う上で使用される遊技媒体が前記島設備から供給される遊技機において、
前記島設備から供給される前記遊技媒体を取り込む取込通路の下流側を構成するとともに、前記遊技機本体の回動に伴って当該遊技機本体と共に移動するように設けられた本体側通路（本体側取込ユニット１６０の本体側取込通路１６３）と、
前記取込通路の上流側を構成し、前記遊技機本体が前記外枠に対して閉鎖されている状態においては前記本体側通路と連通するとともに、前記遊技機本体が開放される場合に前記外枠側に残るように設けられた外枠側通路（外枠側取込ユニット１４０の外枠側取込通路１４４）と、
前記本体側通路及び前記外枠側通路が離間している状態にて前記外枠側通路の出口部分（例えば下流側開口１５１）からの前記遊技媒体の流出を阻止する阻止手段（シャッタ機構２００）と、
前記外枠側通路に設けられ、前記阻止手段によって流出が阻止され前記外枠側通路内に複数の遊技媒体が待機している状態にて、それら待機している遊技媒体を介して前記阻止手段に伝わる同遊技媒体の自重圧力を分散させる分散構造（例えば上下通路部１４６及び下側傾斜通路部１４７）と
を備えていることを特徴とする遊技機。
【０３５２】
特徴Ｂ１によれば、島設備から供給される遊技媒体は、取込通路を介して遊技機本体に取り込まれる。取込通路は、遊技機本体に設けられた本体側通路と外枠に設けられた外枠側通路とを有してなり、遊技機本体が外枠に対して閉鎖している状態ではそれら各通路が連通することにより遊技媒体の流下（取り込み）が許容され、遊技機本体が外枠に対して開放されている状態ではそれら各通路が離間されるとともに阻止手段によって外枠側通路の出口部分からの遊技媒体の流出（零れ落ちること）が阻止される。このように遊技媒体の流出が阻止された状態においては、外枠側通路に設けられた分散構造によって遊技媒体の自重圧力が分散され、阻止手段に対して負荷が集中することが回避されている。これにより、阻止手段の保護が図られている。
【０３５３】
また、遊技媒体の取込通路を遊技機本体側と外枠側とに分けて設けることにより、遊技機本体の重量低減に貢献することが可能となる。これにより、遊技機本体を開閉する際の作業負荷を抑えることができるとともに、遊技機本体と外枠との連結部分、すなわち外枠における支持部分に生じる負担を減らすことができる。
【０３５４】
更には、上述した取込通路を備える構成とすれば、従来の遊技機（パチンコ機やパロット）が備えている貯留タンクを設ける必要が無くなる。これにより、遊技機本体の重量低減に一層貢献することができる。更に、近年では遊技演出の多様化等を目的として絵柄表示装置や役物の大型化が進んでおり、上述の如く貯留タンクを廃止することができれば、絵柄表示装置等の配置スペースの確保が容易となる。これにより、絵柄表示装置等の大型化を促進でき、実用上好ましい構成を実現できる。
【０３５５】
なお、本特徴に示す「外枠」は特徴Ａ９等に示す「支持体」に相当し、「遊技機本体」は「開閉体」に相当する。また、「外枠側通路の出口部分」は特徴Ａ１等に示す「取込通路の特定位置」に相当し、「阻止手段」は「可動部材」を含む意である。
【０３５６】
また、「遊技媒体を取り込む取込通路」は、取込通路が少なくとも遊技媒体が流れ込むものであることを示している。つまり、取込通路は、必ずしも遊技媒体を取り込むための動力部や駆動部を有している必要はなく、遊技媒体が自重作用によって流れ込むものであってもよい。
【０３５７】
因みに、本特徴を「遊技場の島設備に固定される外枠と、当該外枠によって回動可能に支持されている遊技機本体とを備え、遊技を行う上で使用される遊技媒体が前記島設備から供給される遊技機において、前記島設備から供給される前記遊技媒体を取り込む取込通路の下流側を構成するとともに、前記遊技機本体の回動に伴って当該遊技機本体と共に移動するように設けられた本体側通路と、前記取込通路の上流側を構成し、前記遊技機本体が前記外枠に対して閉鎖されている状態においては前記本体側通路と連通するとともに、前記遊技機本体が開放される場合に前記外枠側に残るように設けられた外枠側通路と、前記本体側通路及び前記外枠側通路が離間している状態にて前記外枠側通路の出口部分からの前記遊技媒体の流出を阻止する阻止手段とを備えていることを特徴とする遊技機。」とすることも可能である。但し、かかる構成の変更によって、阻止手段に加わる負荷が大きくなりやすくなると想定される。つまり、阻止手段によって流出が阻止され外枠側通路内に複数の遊技媒体が待機している状態にて、それら待機している遊技媒体を介して阻止手段に伝わる同遊技媒体の自重圧力を分散させることが困難となり得る。故に、好ましくは、本特徴に示した「分散構造」を有する構成とすることが好ましい。
【０３５８】
特徴Ｂ２．前記外枠側通路は、島設備の遊技媒体供給部分に連結部材（連結部材１４９）を介して接続される入口部分（上流側開口１４８）を有し、
前記外枠側通路は、当該外枠側通路の入口部分が前記外枠よりも後方に位置し且つその入口部分が前記遊技機本体の回動先端側を向くように配置されていることを特徴とする特徴Ｂ１に記載の遊技機。
【０３５９】
取込通路の上流側を構成する外枠側通路を、その入口部分が外枠よりも後方且つ遊技機本体の回動先端側を向くように配置することによって、入口部分に接続する連結部材の取り回しを容易なものとすることができる。更には、連結部材等の着脱作業が外枠によって阻害されることを回避し、作業性の担保を図ることができる。
【０３６０】
なお、「回動先端側を向くように」は、遊技本体の回動先端を向く成分を有することを示している。すなわち、外枠側通路の入口部分の向きが遊技機本体の厚み方向よりも当該遊技本体の回動先端に傾いていることを示している。
【０３６１】
特徴Ｂ３．前記外枠側通路は、当該外枠側通路の出口部分を含む下流側がその出口部分に向けて下り傾斜となるように形成されており、
前記本体側通路は、前記外枠側通路の出口部分に連なる入口部分（上流側開口１６４）を含んだ上流側が下流側に向けて下り傾斜となるように形成されており、
前記本体側通路の入口部分は、前記外枠側通路の出口部分に対して、前記遊技機本体が開放される場合の回動先側となるように配置されていることを特徴とする特徴Ｂ１又は特徴Ｂ２に記載の遊技機。
【０３６２】
特徴Ｂ３によれば、本体側通路と外枠側通路とがそれら両通路の境界周辺にて下り傾斜している。このため、両通路の境界部位周辺で遊技媒体が滞留することを抑制し遊技媒体の流下を好適なものとすることができる。また上述した阻止手段によって遊技媒体の流出が阻止されている状態においては、外枠側通路の底面によって遊技媒体の自重圧力が分散されるため、同阻止手段に加わる負荷を低減することが可能となっている。
【０３６３】
また仮に、外枠側通路の出口部分を、本体側通路の入口部分に対して遊技機本体が開放される場合の回動先側となるように配置した場合、遊技機本体の回動に伴って本体側通路の入口部分が移動する際の軌道が、外枠側通路に対して重なりやすくなる。つまり、遊技機本体の回動に伴って、本体側通路の入口部分は外枠側通路の出口部分に近づく方向に移動し、その後外枠側通路の出口部分から離れていくこととなる。このような構成においては本体側通路と外枠側通路との干渉を回避しつつ、外枠側通路の出口部分と本体側通路の入口部分の合わせを担保するための構造が必要となり、取込通路に関する構成の煩雑化が顕著になると想定される。
【０３６４】
この点、本特徴によれば、本体側通路及び外枠側通路は、本体側通路の入口部分が遊技機本体開放時の回動方向における先側、外枠側通路の出口部分が遊技機本体開放時の回動方向における元側となるように並設されている（隣接して設けられている）。遊技機本体の回動に伴って、本体側通路の入口部分は外枠側通路の出口部分から離れる方向に移動することとなるため、本体側通路と外枠側通路との干渉を回避しやすくでき、外枠側通路の出口部分と本体側通路の入口部分との合わせを好適なものとすることができる。故に、取込通路を遊技機本体側と外枠側とに分けて配置することに起因する構成の煩雑化を抑えることができる。
【０３６５】
特徴Ｂ４．前記取込通路は、前記遊技機本体の回動基端側に配置されていることを特徴とする特徴Ｂ１乃至特徴Ｂ３のいずれか１つに記載の遊技機。
【０３６６】
上述の如く遊技機本体は回動可能に支持されているため、すなわち片持ち支持されているため、当該遊技機本体の自重によって外枠に対する位置ずれ（落ち込み）が生じ得ると考えられる。特に、外枠による支持部分から遠い位置に重量のかさむ構成が配置されている場合には、支持部分における負荷の増大を招来することとなり、上述した位置ずれをより顕著なものとする要因となり得る。このような、位置ずれが生じることは、各通路の連結にとって好ましくない。この点、本特徴に示すように、遊技機本体部の回動先端側に取込通路を配置すれば、回動中心軸線（支持部分）と取込通路との位置を近づけることができ、支持部分に加わる負荷を抑えることができる。これにより、上述した落ち込みの影響を少なくでき、両通路の連結を好適なものとすることができる。
【０３６７】
特徴Ｂ５．前記外枠側通路には、前記分散構造として、遊技媒体が当接することによって同遊技媒体の流下方向を変化させる通路壁（例えば前板部１５４）を有してなる曲がり部分（例えば上下通路部１４６及び下側傾斜通路部１４７の境界）が設けられていることを特徴とする特徴Ｂ１乃至特徴Ｂ４のいずれか１つに記載の遊技機。
【０３６８】
特徴Ｂ５によれば、外枠側通路内に貯留された遊技媒体は曲がり部分において通路壁と当り流下方向が変化する。このように遊技媒体を通路壁に対して当てることにより、遊技媒体の自重圧力を通路壁を介して分散させることができる。
【０３６９】
なお、「曲がり部分」は、遊技媒体の流下方向を変えることができる構成であればよく、例えば折曲状をなす構成としてもよいし、湾曲状や段差状をなす構成としてもよい。
【０３７０】
特徴Ｂ６．前記外枠側通路は、上下に延びる上下通路部（上下通路部１４６）と、その上下通路部の下流側において当該上下通路部に連続し、下流側に向けて下り傾斜した下流側傾斜通路部（下側傾斜通路部１４７）とを備え、
前記分散構造として、前記下流側傾斜通路部は、当該下流側傾斜通路部の底面上にて最上流（下側傾斜通路部１４７の最上流部位１４７ａ）に待機する遊技媒体が前記上下通路部の最下流（上下通路部１４６の最下流部位１４６ａ）に待機する遊技媒体に対して真下の位置よりも前記下流側傾斜通路部の側壁面（例えば前板部１５４の内面）の側にずれた位置となることにより、前記最上流に待機する遊技媒体が前記上下通路部にて連なる遊技媒体から受ける重量負荷として前記下流側傾斜通路部の側壁面に向けた成分を有するように形成されていることを特徴とする特徴Ｂ１乃至特徴Ｂ５のいずれか１つに記載の遊技機。
【０３７１】
特徴Ｂ６によれば、下流側傾斜通路部から上下通路部に連なる遊技媒体列の一部は、上下通路部から下流側傾斜通路部への曲がり部分にて下流側傾斜通路部の側壁面に当たることとなる。具体的には、下流側傾斜通路部の最上流に待機している遊技媒体が上下通路部の最下流に待機している遊技媒体によって下流側傾斜通路部の側壁面に押し当てられる。これにより、下流側傾斜通路部の最上流に待機している遊技媒体が同下流側傾斜通路部の底面のみならず側壁面に対しても当接することとなり、遊技媒体の重量負荷を一層好適に分散することが可能となる。故に例えば、外枠側通路内に貯留された遊技媒体の自重圧力が上述した阻止手段に対して集中することを抑制できる。
【０３７２】
特徴Ｂ７．前記外枠側通路は、前記上下通路部の上流側において同上下通路部に連続する上流側傾斜通路部（上側傾斜通路部１４５）を有し、
前記下流側傾斜通路部は、前記上流側傾斜通路部に対して折り返すように形成されていることを特徴とする特徴Ｂ６に記載の遊技機。
【０３７３】
特徴Ｂ７によれば、上流側傾斜通路部と上下通路部との境界において外枠側通路の通路方向が変化している。外枠側通路に形成された遊技媒体の列は、上流側傾斜通路部から上下通路部に移る部分にて上下通路部の壁面に当たることとなり遊技媒体の自重圧力が分散される。特徴Ｂ６との組み合せによって、外枠側通路が複数の曲がり部を有することとなり、遊技媒体の自重圧力の分散を好適に実現できる。特に、下流側傾斜通路部が上流側傾斜通路部に対して折り返すように形成されていることで、複数の曲がり部を有する構成としても、外枠側通路全体が大型化されることを好適に回避できる。すなわち、外枠側通路をコンパクトなものとしつつ、減圧を良好に行うことができる。
【０３７４】
特徴Ｂ８．前記取込通路は、前記遊技機本体の回動基端側に配置されており、
前記外枠側通路は、
島設備の遊技媒体供給部に連結部材を介して接続されるとともに前記遊技機本体の回動先端側に開放された入口部分（上流側開口１４８）を有する上流側傾斜通路部（上側傾斜通路部１４５）と、
前記上流側傾斜通路部の下流側にて連続し、前記外枠を構成する側枠部（例えば左枠部１１ｃ）に沿うようにして上下方向に延びる上下通路部（上下通路部１４６）と、
前記上下通路部の下流側にて連続し、前記上流側傾斜通路部側に対して折り返すように形成された下流側傾斜通路部（下側傾斜通路部１４７）と
を備えていることを特徴とする特徴Ｂ１乃至特徴Ｂ７のいずれか１つに記載の遊技機。
【０３７５】
特徴Ｂ８によれば、取込通路を遊技機本体の回動基端側に配置することによって、遊技機本体を支持している部分に加わる負担を小さくすることができる。また、特徴７と同様に外枠側通路をコンパクトなものとすることができ、取込通路の配置自由度の向上に貢献できる。これにより、取込通路を遊技機本体の回動中心軸線に対して近づけやすくすることができる。更には、上流側傾斜通路部の入口部分を回動先端側に向けることにより、島設備から上流側傾斜通路部への遊技媒体の導入を良好に行うことが可能となる。
【０３７６】
特徴Ｂ９．前記外枠側通路は、当該外枠側通路の出口部分を含む下流側がその出口部分（例えば下流側開口１５１）に向けて下り傾斜となるように形成され、
前記本体側通路は、前記外枠側通路の出口部分に連なる入口部分（上流側開口１６４）を含んだ上流側が下流側に向けて下り傾斜となるように形成され、
前記本体側通路の入口部分は、前記外枠側通路の出口部分に対して、前記遊技機本体が開放される場合の回動先側となるように配置されており、
前記外枠側通路の出口部分を含んだ端部と前記本体側通路の入口部分を含んだ端部とは、前記遊技機本体の回動中心軸線を中心として前記外枠側通路の出口部分の端部を含む仮想円（仮想円Ｃ１）の接線方向に並べて配置されていることを特徴とする特徴Ｂ１乃至特徴Ｂ８のいずれか１つに記載の遊技機。
【０３７７】
特徴Ｂ９によれば、特徴Ｂ３と同様の効果を奏する。すなわち、本体側通路と外枠側通路とがそれら両通路の境界周辺にて下り傾斜している。このため、両通路の境界部位周辺で遊技媒体が滞留することを抑制し遊技媒体の流下を好適なものとすることができる。また上述した阻止手段によって遊技媒体の流出が阻止されている状態においては、本体側通路の底面によって遊技媒体の自重圧力が分散されるため、同阻止手段に加わる負荷を低減することが可能となっている。また、本体側通路及び外枠側通路は、本体側通路の入口部分が遊技機本体開放時の回動方向における先側、外枠側通路の出口部分が遊技機本体開放時の回動方向における元側となるように並設されている（隣接して設けられている）。遊技機本体の回動に伴って、本体側通路の入口部分は外枠側通路の出口部分から離れる方向に移動することとなるため、本体側通路と外枠側通路との干渉を回避しやすくでき、外枠側通路の出口部分と本体側通路の入口部分との合わせを好適なものとすることができる。故に、取込通路を遊技機本体側と外枠側とに分けて配置することに起因する構成の煩雑化を抑えることができる。
【０３７８】
更には、外枠側通路の出口部分を含んだ端部と本体側通路の入口部分を含んだ端部とは、遊技機本体の回動中心軸線を中心として外枠側通路の出口部分の端部を通過する仮想円の当該出口部分における接線方向を向くように形成されている。本体側通路が遊技機本体の回動に伴って移動する際に、遊技機本体の回動中心軸線を中心とする円弧状の軌道を描くこととなるが、外枠側通路の出口部分と本体側通路の入口部分とが近接している状態では、それら出口部分と入口部分との相対移動方向は上記接線方向とほぼ同一となる。これにより、遊技機本体の回動方向への位置ばらつきに起因して、外枠側通路の出口部分と本体側通路の入口部分とがそれら出口部分及び入口部分の合わせ方向に対して交差する方向にずれることを抑制できる。これにより、遊技機本体の位置ばらつきに起因して、出口部分及び入口部分の境界部位における通過許容範囲が狭まるといった不都合を生じにくくすることができる。すなわち、回動方向への位置ばらつきを許容しやしすい構成の実現に貢献できる。例えば、両通路の相対移動の際に、外枠側通路の出口部分と本体側通路の入口部分との境界部位に遊技媒体が位置している場合であっても、その遊技媒体によって、相対移動が妨げられるといった不都合を生じにくくすることが可能となる。
【０３７９】
なお、「前記外枠側通路の出口部分を含んだ端部と前記本体側通路の入口部分を含んだ端部とは、前記遊技機本体の回動中心軸線を中心として前記外枠側通路の出口部分を含む仮想円の接線方向に並べて配置されている」とは、仮想円の接線上に各端部が並設されていることを示す他、遊技機本体の回動中心軸線方向視において、仮想円の接線方向に各端部が並設されている場合を示す。
【０３８０】
特徴Ｂ１０．前記取込通路は、前記遊技機本体の回動中心軸線よりも当該遊技機本体の回動先端側に配置されており、
前記外枠側通路は、島設備の遊技媒体供給部分に連結部材（連結部材１４９）を介して接続される入口部分を有する上流側傾斜通路部と、同外枠側通路の出口部分を有する下流側傾斜通路部とを備え、
さらに、前記外枠側通路は、当該外枠側通路の入口部分が前記外枠よりも後方に位置し且つその入口部分が当該外枠側通路の出口部分よりも前記遊技機本体の回動先端側を向くように、前記上流側傾斜通路部及び前記下流側傾斜通路部が前記遊技機本体の回動基端側を連結側として折り返すように形成されていることを特徴とする特徴Ｂ９に記載の遊技機。
【０３８１】
特徴Ｂ１０によれば、取込通路が遊技機本体の回動中心軸線よりも遊技機本体の回動先端側に配置されている。これにより、遊技機側方への取込通路の出っ張りを抑えることができ、例えば遊技機を島設備に設置する際に取込通路が引っ掛かるといった不都合を生じにくくすることができる。
【０３８２】
また、外枠側通路の入口部分は、外枠よりも後方に位置し且つ外枠側通路の出口部分よりも遊技機本体の回動先端側を向いている。これにより連結部材の着脱作業の煩雑化を抑制することができるとともに、連結部材の取り回しを容易なものとすることができる。
【０３８３】
更には、外枠側通路を、上流側傾斜通路部及び下流側傾斜通路部が遊技機本体の回動基端側を連結側として折り返すようにして形成することにより、特徴Ｂ９に示したように、外枠側通路の出口部分と本体側通路の入口部分との合わせを好適に担保しながら、上述した連結部材に関する作業性の担保等を図ることが可能となり、実用上好ましい構成を実現できる。また、上述の如く外枠側通路を形成することにより、当該外枠側通路に曲がり部分を設けることが可能となり、特徴Ｂ５と同様に、その曲がり部分において外枠側通路における遊技媒体を介して伝わる自重圧力を分散させることができる。これにより、各傾斜通路部によって阻止手段への負荷を低減を図ることができるとともに、上述した曲がり部分においても負荷の低減を行うことができ、実用上好ましい構成を実現できる。
【０３８４】
特徴Ｂ１１．前記阻止手段は、
遊技媒体の流出を阻止する位置及び遊技媒体の流出を阻止しない位置の両位置に移動可能に設けられた可動部材（第２シャッタ部材２３０）と、
前記可動部材に形成され、前記可動部材が前記阻止する位置に配置された場合に前記外枠側通路の出口部分に対して突出することで前記外枠側通路の出口部分を狭め、その状態にて遊技媒体に当接する当接部（当接部２３２）と、
前記可動部材を移動可能に支持する支持部（軸部１７５）と
を備え、
前記外枠側通路の出口部分から前記本体側通路の入口部分に流れる遊技媒体との干渉を回避するように前記外枠側通路の外側に配置され又は前記外枠側通路の外側に偏倚させて配置されているとともに、前記出口部分からの流出が阻止されている遊技媒体と前記当接部との当接部分を基準として当該遊技媒体の反対側に配置されている前記支持部又は他の部材によって、前記当接部分を基準として前記遊技媒体の反対側に向けた前記可動部材の変位が規制されることを特徴とする特徴Ｂ１乃至特徴Ｂ１０のいずれか１つに記載の遊技機。
【０３８５】
阻止手段によって遊技媒体の流出を阻止するには、例えば可動部材によって出口部分を塞ぐとよい。出口部分を塞いでしまうことで、仮に可動部材が変形等しても遊技媒体が流出するといった不都合は生じにくくなる。しかしながらその反面、可動部材の動作量が増し、遊技媒体の流出を阻止する状態への移行が素早く行われなくなる可能性が生じる。一方、可動部材によって塞がれる範囲を小さくし、可動部材の突出量を遊技媒体が引っ掛かる程度に抑えれば、可動部材の動作量を小さくし、遊技媒体の流出を阻止する状態への移行を素早く行うことが可能となる。しかしながらその反面、可動部材の変形等に起因して遊技媒体との当たりを維持することが困難となり、遊技媒体のこぼれが生じやすくなると考えられる。
【０３８６】
この点、本特徴によれば、可動部材の動作量を小さくし、阻止状態への素早い移行を可能としつつ、遊技媒体のこぼれを好適に抑制することができる。
【０３８７】
詳しくは、可動部材が支持部によって移動可能に支持されている。可動部材が突出することで外枠側通路の出口部分が狭まり、当接部に対して遊技媒体が当たることにより遊技媒体の流出が阻止されることとなる。当接部に伝わる遊技媒体の自重負荷によって可動部材が当接部分を基準として遊技媒体の反対側に向けて変位（変形又は移動）しようとすると想定される。出口部分からの流出が阻止されている遊技媒体と当接部との当接部分を基準として当該遊技媒体の反対側に支持部又は他の部材が配置されており、当該支持部等によって可動部材の当接部分を基準として遊技媒体の反対側に向けた変位が規制される。つまり、当接部に加わる負荷を支持部等によって受けることで、可動部材の変位を抑制している。これにより、可動部材の変形等を抑制し、流出阻止機能を担保することができる。
【０３８８】
なお、「可動部材」が遊技媒体の流出を阻止する可動部材である点に着目すれば、「可動部材」を「シャッタ部材」又は「ストッパ」と置き換えることも可能である。特に特徴Ａ１乃至Ａ１７との組み合わせにおいては、本特徴における「可動部材」を「シャッタ部材」又は「ストッパ」と置き換えることが好ましい。
【０３８９】
特徴Ｂ１２．前記可動部材は、前記支持部によって回動可能に支持されているとともに、前記阻止位置に配置され、前記当接部が前記外枠側通路の出口部分に対して突出している状態において、前記当接部が当該可動部材の回動中心軸線に対して前記外枠側通路の出口部分側に位置するように形成されており、
前記可動部材の回動中心軸線は、前記外枠側通路の出口部分の向きと交差する方向に延びており、
前記当接部は、前記外枠側通路の出口部分に対して凸となる曲面状をなし、前記可動部材の回動中心軸線からの距離が一定となるように形成されていることを特徴とする特徴Ｂ１１に記載の遊技機。
【０３９０】
特徴Ｂ１２によれば、当接部に加わった外力は、可動部材の回動中心軸線に向けて伝わることとなる。このため、当接部と支持部との距離が離れていても、このような離れに起因して発生する応力を小さくすることができる。また、遊技媒体の自重圧力によって可動部材が回動することを抑制でき、遊技媒体の流出を阻止している状態を好適に維持することが可能となる。
【０３９１】
また、本特徴においては可動部材を回動可能に支持し、当接部が回動中心軸線からの距離が一定となる曲面状をなす構成とした。これにより、例えば可動部材をスライド移動可能に支持する構成と比較して、阻止手段の小型化を促進することが可能となり、実用上好ましい構成を実現できる。
【０３９２】
なお、可動部材の回動中心軸線は、外枠側通路の出口部分の向き（すなわち遊技媒体の流下方向）に対して直交させるとよい。
【０３９３】
特徴Ｂ１３．前記可動部材は、突出する側への移動に伴って前記当接部が前記外枠側通路の出口部分の向いている方向に移動するように構成されていることを特徴とする特徴Ｂ１１又は特徴Ｂ１２に記載の遊技機。
【０３９４】
特徴Ｂ１３によれば、可動部材を突出させる際に、当接部が出口部分の向いている方向に移動する。これにより、出口部分を通過する遊技媒体の流れに沿うように当接部を移動させることができ、可動部材が突出する際の遊技媒体と当接部との咬み込みを抑制することが可能となる。
【０３９５】
特徴Ｂ１４．前記可動部材は、前記当接部に当接している遊技媒体において、当該遊技媒体の流下方向における最下流側の端部を少なくとも含む領域が前記外枠側通路の出口部分から露出するように形成されていることを特徴とする特徴Ｂ１１乃至特徴Ｂ１３のいずれか１つに記載の遊技機。
【０３９６】
特徴Ｂ１４によれば、可動部材によって流出が阻止された遊技媒体は、その最下流側の端部を含んだ領域が外枠側通路の出口部分から露出することとなる。このように、遊技媒体の一部を露出させる程度に、可動部材の動作量（すなわち突出量）を抑えたとしても、遊技媒体が抜け落ちるといった不都合は生じにくい。これにより、遊技媒体の流出を阻止する状態と、許容する状態との切り替えを素早く行うことが可能となる。
【０３９７】
特徴Ｂ１５．前記遊技媒体は球状をなし、
前記外枠側通路は、当該外枠側通路の出口部分を含んだ下流側が当該出口部分に向けて下り傾斜となるように形成されており、
前記可動部材は、前記当接部が前記遊技媒体における前記下り傾斜方向における下流側且つ前記外枠側通路の下流側の底面と反対側となる領域の少なくとも一部に対して当接するように形成されていることを特徴とする特徴Ｂ１１乃至特徴Ｂ１４のいずれか１つに記載の遊技機。
【０３９８】
特徴Ｂ１５によれば、特徴Ｂ１４と同様の効果を奏する。すなわち、遊技媒体の流出を阻止する状態と、許容する状態との切り替えを素早く行うことが可能となる。また、外枠側通路の出口部分を含んだ下流側が下り傾斜しているため、遊技媒体の自重圧力の一部を外枠側通路の底面によって分散することができる。これにより、可動部材に負荷が集中することを抑制することが可能となっている。このため、上述の如く遊技媒体との掛かりが小さくなる構成を採用したとしても、遊技媒体の自重圧力に起因して可動部材が押し退けられ遊技媒体が抜け落ちるといった不都合を生じにくくすることができ、実用上好ましい構成を実現できる。
【０３９９】
特徴Ｂ１６．前記外枠側通路は、当該外枠側通路の出口部分を含んだ下流側が当該出口部分に向けて下り傾斜となるように形成されており、
前記可動部材は、前記外枠側通路の出口部分の上側から突出するように設けられていることを特徴とする特徴Ｂ１１乃至特徴Ｂ１５のいずれか１つに記載の遊技機。
【０４００】
特徴Ｂ１６によれば、外枠側通路の出口部分を含んだ下流側が下り傾斜しているため、遊技媒体の自重圧力の一部を外枠側通路の底面によって分散することができる。これにより、可動部材に負荷が集中することを抑制することが可能となっている。
【０４０１】
また、遊技媒体が外枠側通路の底面を移動する場合、可動部材が出口部分の上側から突出するように設けられていることにより、支持部の配置の容易化に貢献できる。これにより、可動部材の変形を抑える構成を採用することに伴う構成の煩雑化を抑制することが可能となる。
【０４０２】
特徴Ｂ１７．前記遊技媒体は球状をなしており、
前記支持部又は前記他の部材は、前記遊技媒体における前記当接部との当接部分を通過する接線に直交する仮想直線（仮想直線Ｌ１）上に配置されていることを特徴とする特徴Ｂ１１乃至特徴Ｂ１６のいずれか１つに記載の遊技機。
【０４０３】
特徴Ｂ１７によれば、当接部に伝わる遊技媒体の自重負荷によって可動部材が仮想直線方向に変位（変形又は移動）しようとした場合、仮想直線上に支持部又は他の部材が配置されており、当該支持部等によって可動部材の仮想直線方向への移動が規制される。つまり、当接部に加わる負荷を支持部等によって受けることで、可動部材の変位を抑制することができる。これにより、可動部材の変形等を抑制し、流出阻止機能を担保することができる。
【０４０４】
特徴Ｂ１８．前記本体側通路の途中位置にて遊技媒体を下流側から受け止めることでそれよりも下流側への遊技媒体の流入を規制する規制部（回転体１００の周縁１００ａ）が設けられ、
前記規制部により前記遊技媒体の流下が規制されている状態にて、前記規制部から前記本体側通路の入口部分に向けて列をなす前記遊技媒体のうち前記本体側通路における最上流に位置する前記遊技媒体（第１特定遊技球Ｂ１）の少なくとも一部が、前記本体側通路の入口部分（上流側開口１６４）から突出するように前記本体側通路が形成されており、
前記阻止手段は、前記本体側通路と前記外枠側通路とが離間する際に、前記本体側通路の入口部分から突出した遊技媒体と、その遊技媒体に後続する遊技媒体（第２特定遊技球Ｂ２）との当接が維持されている状態において阻止位置に移動するように構成されていることを特徴とする特徴Ｂ１乃至特徴Ｂ１７のいずれか１つに記載の遊技機。
【０４０５】
特徴Ｂ１８によれば、本体側通路と外枠側通路とが離間する際に、本体側通路から突出している遊技媒体とそれに後続する遊技媒体との当接が維持された状態にて阻止手段が動作する。このように遊技媒体の列が維持されることにより、本体側通路における最上流に位置する遊技媒体に後続する遊技媒体が阻止手段によって止められることなく外枠側通路の出口部分からこぼれるといった不都合を生じにくくすることができる。
【０４０６】
更には、遊技媒体の移動と阻止手段の動作とに関連性を付与し、阻止手段が遊技媒体に対して当接しやすい状態を実現することが可能となる。すなわち、阻止手段が動作を完了するまで、阻止対象となる遊技媒体が阻止手段と当接する位置を通り過ぎることを抑制できる。これにより、阻止手段の動作が遊技媒体の移動に対して遅れることにより阻止状態への移行が間に合わず、遊技媒体の零れが発生するといった不都合を生じにくくすることができる。
【０４０７】
以下に、以上の各特徴を適用し得る各種遊技機の基本構成を示す。
【０４０８】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０４０９】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０４１０】
球使用回動式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【図面の簡単な説明】
【０４１１】
【図１】一実施の形態におけるパチンコ機の構成を示す斜視図。
【図２】パチンコ機の構成を示す背面図。
【図３】パチンコ機を後方から見た斜視図。
【図４】パチンコ機の主要な構成を展開して示す斜視図。
【図５】パチンコ機の主要な構成を展開して示す斜視図。
【図６】パチンコ機の主要な構成を分解して示す分解斜視図。
【図７】内枠の構成を示す正面図。
【図８】遊技盤の構成を示す正面図。
【図９】内枠の構成を示す背面図。
【図１０】裏パックユニットの構成を示す正面図。
【図１１】払出装置内部に形成された通路構造を示す縦断面図。
【図１２】取込機構を分解して示す分解斜視図。
【図１３】外枠側取込ユニットの取り付けを示す斜視図
【図１４】（ａ）取込機構の内部に形成された通路構造を示す斜視図、（ｂ）上下通路部及び下側傾斜通路部をパチンコ機の上方から見た概略図。
【図１５】（ａ）取込機構の正面図、（ｂ）取込機構の縦断面図。
【図１６】遊技球の貯留状態を説明するための説明図。
【図１７】（ａ）遊技球の取り込みが許容されている状態を示す模式図、（ｂ）遊技球の取り込みが規制されている状態を示す概略図。
【図１８】（ａ）シャッタ機構の構成を示す縦断面図、（ｂ）第２シャッタ部材を上方から見た概略図。
【図１９】シャッタ機構の動作タイミングを説明する説明図。
【図２０】（ａ）パチンコ機１０を簡略化して示す平面図、（ｂ）両取込ユニットの位置関係を示す概略図。
【図２１】遊技機本体の開閉動作とシャッタ機構の切替動作との関連を説明する説明図。
【図２２】遊技機本体の開閉動作とシャッタ機構の切替動作との関連を説明する説明図。
【図２３】パチンコ機の電気的構成を示すブロック図。
【図２４】（ａ）第２の実施の形態における変更手段を示す概略図、（ｂ），（ｃ）変更手段の動作を示す概略図。
【図２５】シャッタ機構の変形例を示す概略図。
【図２６】シャッタ機構の変形例を示す概略図。
【符号の説明】
【０４１２】
１０…パチンコ機、１１…外枠、１２…遊技機本体、１３…内枠、１４…前扉枠、１５…裏パックユニット、２１…上側支持用金具、２２…下側支持用突起、７１…裏パック、７２…払出機構、７４…ベース部、９１…ケースレール、９２…払出装置、９８…払出通路、１００…回転体、１３０…取込機構、１４０…外枠側取込ユニット、１４４…外枠側取込通路、１４５…上側傾斜通路部、１４６…上下通路部、１４７…下側傾斜通路部、１５１…下流側開口、１５２…底板部、１５３…天板部、１６０…本体側取込ユニット、１６３…本体側取込通路、１６４…上流側開口、１７１…スリット、１７３…ストッパ部、１７５…軸部、１７６…ストッパ部、１８０…操作壁部、１８１…操作片、２００…シャッタ機構、２１０…第１シャッタ部材、２１１…平板部、２２０…圧縮コイルバネ、２３０…第２シャッタ部材、２３２…当接部、２４０…引張コイルバネ、２５０…可変通路部。
【図１】
2010022458.tif 000003
【図２】
2010022458.tif 000004
【図３】
2010022458.tif 000005
【図４】
2010022458.tif 000006
【図５】
2010022458.tif 000007
【図６】
2010022458.tif 000008
【図７】
2010022458.tif 000009
【図８】
2010022458.tif 000010
【図９】
2010022458.tif 000011
【図１０】
2010022458.tif 000012
【図１１】
2010022458.tif 000013
【図１２】
2010022458.tif 000014
【図１３】
2010022458.tif 000015
【図１４】
2010022458.tif 000016
【図１５】
2010022458.tif 000017
【図１６】
2010022458.tif 000018
【図１７】
2010022458.tif 000019
【図１８】
2010022458.tif 000020
【図１９】
2010022458.tif 000021
【図２０】
2010022458.tif 000022
【図２１】
2010022458.tif 000023
【図２２】
2010022458.tif 000024
【図２３】
2010022458.tif 000025
【図２４】
2010022458.tif 000026
【図２５】
2010022458.tif 000027
【図２６】
2010022458.tif 000028